(57)【要約】      （修正有）【課題】一般照明、ディスプレイバックライト、情報ディスプレイにおける適用のための、ならびに疾患および／または美容上の状態の治療および／または予防および／または診断のための、発光ファイバーを提供する。【解決手段】有機発光電気化学セル（ＯＬＥＣ）がファイバーの形態を有する（ＯＬＥＦＣ）。【選択図】図１
2018029067.tif 000002
【特許請求の範囲】
【請求項１】
少なくとも１種のイオン種を含む有機発光電気化学セル（ＯＬＥＣ）であって、前記ＯＬＥＣはファイバーの形態を有する（ＯＬＥＦＣ）ことを特徴とする、ＯＬＥＦＣ。
【請求項２】
前記ＯＬＥＦＣが軟質または硬質のファイバーコアを含むことを特徴とする、請求項１に記載のＯＬＥＦＣ。
【請求項３】
ａ）外側の第１の電極を有するファイバーコアと；
ｂ）少なくとも１種の有機エレクトロルミネセンス化合物と少なくとも１種のイオン種とを含み、前記第１の電極の外側表面上に配置された、発光層（ＥＭＬ）と；
ｃ）前記有機発光層上に配置された輻射線透過性の第２の電極と
を含む、請求項１または２に記載のＯＬＥＦＣ。
【請求項４】
前記ファイバーが、円形、楕円形もしくは多角形の断面またはこれらの組合せを有することを特徴とする、請求項１〜３の１項以上に記載のＯＬＥＦＣ。
【請求項５】
ＯＬＥＦＣが、蛍光発光物質、燐光発光物質、および発光性有機金属錯体から選択される少なくとも１種の有機エレクトロルミネセンス化合物を含むことを特徴とする、請求項１〜４の１項以上に記載のＯＬＥＦＣ。
【請求項６】
有機エレクトロルミネセンス物質が、少なくとも１種のホスト物質と少なくとも１種の発光物質とを含み、前記ホスト物質が、好ましくは、アントラセン、ベンゾアントラセン、ケトン、カルバゾール、トリアリールアミン、インデノフルオレン、フルオレン、スピロビフルオレン、フェナントレン、ジヒドロフェナントレン、チオフェン、トリアジン、イミダゾール、これらの異性体および誘導体から選択されることを特徴とする、請求項１〜５の１項以上に記載のＯＬＥＦＣ。
【請求項７】
前記ＯＬＥＦＣが、正孔輸送物質（ＨＴＭ）、正孔注入物質（ＨＩＭ）、電子輸送物質（ＥＴＭ）、および電子注入物質（ＥＩＭ）から選択される、少なくとも１種のさらなる機能物質を含むことを特徴とする、請求項１〜６の１項以上に記載のＯＬＥＦＣ。
【請求項８】
前記ＯＬＥＦＣが、少なくとも１種のイオン性遷移金属錯体（ｉＴＭＣ）を含むことを特徴とする、請求項１〜７の１項以上に記載のＯＬＥＦＣ。
【請求項９】
請求項１〜８の１項以上に記載のＯＬＥＦＣの製造方法であって、当該方法が、次のステップ：
ａ）前記ファイバーコアの洗浄と；
ｂ）金属のコンフォーマル蒸着（conformal evaporation）による、または導電性物質を含む溶液もしくは配合物をコーティングすること、好ましくは浸漬コーティングもしくはスプレーコーティングによってコーティングすることによる、前記第１の電極の堆積と；
ｃ）少なくとも１種の有機エレクトロルミネセンス化合物と少なくとも１種のイオン種とを含む溶液または配合物をコーティングすること、好ましくは浸漬コーティングまたはスプレーコーティングによってコーティングすることによる、前記ＥＭＬの堆積と；
ｄ）前記第２の電極の堆積と；
ｅ）前記ファイバーを含むデバイスの任意の封止と
を含むことを特徴とする方法。
【請求項１０】
請求項１〜８の１項以上に記載の少なくとも１種のＯＬＥＦＣを含むキャンバス。
【請求項１１】
請求項１〜８の１項以上に記載の少なくとも１種のＯＬＥＦＣまたは請求項１０に記載のキャンバスを含むデバイス。
【請求項１２】
フラットパネル、曲面パネル、プラスター、包帯、毛布、寝袋、スリーブ、植込み型プローブ、経鼻胃管、胸郭ドレイン、パッド、ステント、パッチ、任意の種類の衣類、および口内の少なくとも１本の歯を覆うデバイスであることを特徴とする、請求項１１に記載のデバイス。
【請求項１３】
一般照明における使用、ディスプレイバックライトとしての使用、および情報ディスプレイとしての使用のための、請求項１１または１２に記載のデバイス。
【請求項１４】
疾患および／または美容上の状態の治療および／または予防および／または診断のための、請求項１１〜１２に記載のデバイス。
【請求項１５】
皮膚疾患および／または美容上の皮膚の状態の治療および／または予防および／または診断のための、請求項１４に記載のデバイス。
【請求項１６】
ざ瘡、乾癬、湿疹、皮膚炎、アトピー性皮膚炎、浮腫、白斑、皮膚の脱感作、ボーエン病、腫瘍、前癌性腫瘍、悪性腫瘍、基底細胞癌、扁平上皮細胞癌、二次転移、皮膚Ｔ細胞リンパ腫、日光角化症、ヒ素角化症、放射線皮膚炎およびセルライトから選択される皮膚疾患および／または美容上の皮膚の状態の治療および／または予防および／または診断のための、請求項１４または１５に記載のデバイス。
【請求項１７】
感染症、並びに炎症性、神経学的および心理学的な疾患および／または状態の治療および／または予防および／または診断のための、請求項１４〜１６の１項以上に記載のデバイス。
【請求項１８】
水、飲用水、ソフトドリンク、飲料、食料品および栄養物の消毒のための、請求項１４〜１７の１項以上に記載のデバイス。
【請求項１９】
光線力学療法（ＰＤＴ）における適用において使用するための、および／または黄疸およびクリグラー・ナジャー症候群の治療および／または予防のための、請求項１４〜１８の１項以上に記載のデバイス。
【請求項２０】
疾患および／または美容上の状態の治療および／または予防および／または診断のためのデバイスを製造するための、請求項１〜８の１項以上に記載のＯＬＥＦＣ。
【請求項２１】
疾患および美容上の状態を治療および／または予防および／または診断するための、請求項１〜８の１項以上に記載のＯＬＥＦＣまたは請求項１０に記載のキャンバスまたは請求項１１もしくは１２に記載のデバイスの使用。
【請求項２２】
疾患を治療および／または予防および／または診断するための、請求項１〜８の１項以上に記載のＯＬＥＦＣまたは請求項１０に記載のキャンバスまたは請求項１１もしくは１２に記載のデバイスの使用。
【請求項２３】
美容上の状態の治療および／または予防および／または診断のための、請求項１〜８の１項以上に記載のＯＬＥＦＣまたは請求項１０に記載のキャンバスまたは請求項１２もしくは１３に記載のデバイスの使用。
【発明の詳細な説明】
【発明の概要】
【０００１】
本発明は、とりわけ、発光ファイバー（radiative fiber）、それらの製造、ならびに、例えば、照明、ディスプレイ技術、医療および美容の用途における使用に関する。
【０００２】
有機エレクトロルミネセンスデバイス、特に、有機発光ダイオード（ＯＬＥＤ）は、例えば、本来的に軟質であり、また安価な方法、例えば、インクジェット印刷またはスクリーン印刷のような印刷技術によって、大面積に容易にコーティングできるという点で、それらが、それらの無機の対応物を凌ぐ利点を有するという理由で、２０年来、大いに注目されている。このため、有機エレクトロルミネセンスデバイスは、一般照明およびディスプレイ技術のような、大面積の用途のための非常に有望なデバイスである。実際に、ＯＬＥＤは、すでに、携帯電話またはデジタルカメラのディスプレイのような市販製品に見出すことができる。
【０００３】
有機エレクトロルミネセンスデバイスの別の応用分野は、光療法である。光療法（光線療法とも呼ばれる）は、広範な疾患および／または美容（審美的とも呼ばれる）の状態に用いることができる。ＬＥＤまたはレーザーのいずれかからの光を用いるこの療法は、すでに、例えば、外傷、損傷、頚部痛、骨関節炎、化学療法および輻射線療法の副作用を治療するために用いられている。
【０００４】
多くの場合、治療と美容のための適用の間の境界はあいまいであり、個々の状況および医師の評価に応じて決まる。しばしば、治療を要する状態は、美容上の配慮に結び付いている。例えば、ざ瘡の治療または予防は、その状態の程度に応じて、治療と美容の両方の要素を有し得る。乾癬、アトピー性皮膚炎、ならびに他の疾患および／または状態に対し、同じことが言える。多くの疾患および状態は、例えば、患者の皮膚の目に見える変化によってしばしば示される、外見上の暗示を伴う。これらの美容上の変化または審美的変化は、結果的に、少なくともある程度は、重大な疾患を生じる、心理学的変容に導き得る。
【０００５】
ある状態または疾患は、たとえ治療に関わる要素もまた役割を果たし得るとしても、美容上の要素が重要視され得る。これらのいくつかは、抗加齢、抗皺、ざ瘡および白斑の防止ならびに／または治療から選択される。
【０００６】
多くの診断具またはデバイスはまた、例えば、ビリルビン、酸素、またはＣＯのような血液特性を求めるために、多くの場合、光源を必要とする。美容と医学の両方において、皮膚は、照射される主な標的であるが、ヒトまたは動物の身体の他の標的もまた、光療法によって扱うことができる。これらの標的には、これらに限らないが、目、外傷、爪、および身体の内部が含まれる。光は、例えば、外傷、多かれ少なかれ固体である物体の表面、液体、および飲料の消毒を容易にする、または補助するためにも、用いることができる。本明細書で用いられる場合、多かれ少なかれ固体である表面は、液体でない、可塑性または弾性を有する任意の表面を含む。多くの物体がこの種類に入り、例えば、栄養物、食事用具、病院および手術で用いられる装置、ならびに消毒を必要とする任意の他の物体を含む。ヒトおよび動物の外傷さえも、また、この定義に含めることができる。
【０００７】
光療法の主な作用の１つは、ミトコンドリアにおける代謝の刺激である。特定の波長の光は、アデノシン三リン酸（ＡＴＰ）の形態の細胞の不可欠なエネルギーの産出を担う酵素である、シトクロムｃオキシダーゼを刺激する。ＡＴＰは、熱力学的に不利な生化学反応を誘導する細胞エネルギー移動のために、また細胞エネルギーの貯蔵庫として、必要である。ＡＴＰはまた、加齢および細胞死（酸化ストレス）に導く他の生化学的分子（例えば、反応性酸素化学種および一酸化窒素）を調節するために、シグナル分子としても働き得る。光療法の後、細胞は代謝の増加を示し、細胞は、より良く情報伝達を行い、より良い仕方でストレスの多い状態に耐える。
【０００８】
この原理は、多くの医薬療法および美容の用途、例えば、外傷の治癒、結合組織の修復、組織の修復、組織死の防止、炎症の緩和、痛み、急性損傷、慢性疾患、代謝異常、神経因性の痛みおよび季節因性障害に適用できる。
【０００９】
光の応用の別の分野は、様々な癌の治療である。癌の治療では、光線力学療法（ＰＤＴ）が重要な役割を果たす。ＰＤＴにおいて、光は、医薬と連係して使用され得る。これらの療法は、様々な皮膚および内部疾患を治療するために用いることができる。ＰＤＴでは、光薬剤として知られる感光性治療薬が、治療されようとする身体部分に、外部から、または内部から与えられる。次いで、その部分は、光薬剤を活性化するために、適切な振動数および強度の光に曝される。様々な光薬剤が、現在、入手可能である。例えば、５−アミノレブリン酸塩酸塩（Ｃｒａｗｆｏｒｄ  Ｐｈａｒｍａｃｅｕｔｉｃａｌｓ）、メチルアミノレブリン酸（Ｍｅｔｆｉｘ（登録商標）、Ｐｈｏｔｏｃｕｒｅ）のような局所剤がある。また、Ｐｈｏｔｏｆｉｎ（登録商標）（Ａｘｃａｎ）およびＦｏｓｃａｎ（登録商標）（Ｂｉｏｌｉｔｅｃｈ  Ｌｔｄ）を含めて、主に内部悪性腫瘍に用いられる注入用薬剤もある。多くの場合、薬剤は、感光性光薬剤に代謝される非活性型で適用される。
【００１０】
光線力学療法において、光薬剤に光を供給するための主な技法は、レーザーまたは濾光されたアークランプのような単独の光源からの適切な波長の光を投じることである。これらの光源は、扱いにくく高価であり、それゆえに、病院での使用にのみ適している。このため、患者にとっては不便であり、治療に大きな費用が掛かる。１日当たりに満足のいく数の患者を処置するために（治療が費用効率の高いものであるために）、また、患者に過度に不便を感じさせることを避けるために、大きな光放射照度が求められる。
【００１１】
ＷＯ９８／４６１３０およびＵＳ６０９６０６６は、光線力学療法に用いられるＬＥＤアレイを開示する。それらの中に教示されている小さいＬＥＤ光源は、一様でない光を患者に投射する。アレイの製造は、多数の接続が必要なために、複雑である。それらの中に示されているデバイスは、病院での治療用に考案されている。
【００１２】
ＧＢ２３６０４６１は、光（これは、次いで、光ファイバーを通して送られる）を生成するために、従来の光線力学療法の光源を用いる、軟質である衣類を開示する。このような光源は重いので、デバイスは、歩行できる患者を対象にしておらず、病院での使用に限定される。
【００１３】
ＵＳ５６９８８６６は、過駆動される無機ＬＥＤを用いる光源を開示する。ヒートシンク機構が必要とされ、このデバイスは、病院での治療にのみ適する。
【００１４】
ＷＯ９３／２１８４２は、無機ＬＥＤを用いる光源を開示する。運ぶことはできるが、このデバイスは、自宅での患者による歩行できる使用法には適さず、臨床治療が想定されている。
【００１５】
前記分野における光の広い応用のために不可欠な前提条件は、デバイスである。市販のシステムは、今日、大部分、レーザーに基づいている。しかし、これらのシステムは、病院に配置される、すなわち、固定デバイスである。コストを削減し、利便性、さらには適応性を増すために、持ち運びでき、自宅で使用される技術が求められる。実際に、ある研究は、この方向に専念している。
【００１６】
有機エレクトロルミネセンスデバイスは、本来的に軟質であり、また、例えば、インクジェット印刷またはスクリーン印刷のような印刷技術によって、大面積にコーティングできるという点で、それらの無機の対応物（発光ダイオード−ＬＥＤ）を凌ぐ多くの利点を有する。さらに、それらは、ＬＥＤに比べて、より均一な照射が行える。
【００１７】
Ｒｏｃｈｅｓｔｅｒ等は、ＧＢ２４０８２０９２において、軟質である基材に軟質である発光ダイオードを備えるＯＬＥＤのような軟質である医療用光源、ならびに、それから得られる、血液特性（例えば、ＣＯ、酸素、またはビリルビンのレベル）をモニターすることに向けられた診断デバイス、および病気を治療するための光療法デバイスを開示した。
【００１８】
Ｖｏｇｌｅ  ＫｌａｕｓとＫａｌｌｅｒｔ  Ｈｅｉｋｏは、ＥＰ０１８１８０７７３において、皮膚の治療のためのデバイスを開示した。このデバイスは、光源として、潜在的に軟質である有機発光ダイオード（ＯＬＥＤ）を備える。このデバイスは、衣類またはプラスターに組み込むことができる。
【００１９】
Ａｔｔｉｌｉ等（Ｂｒ．Ｊ．Ｄｅｒｍａｔｏｌ．１６１（１）、１７０−１７３．２００９）は、非黒色腫皮膚癌の治療において、着用できる低照射ＯＬＥＤを用いる、歩行できる患者を対象にした光線力学療法（ＰＤＴ）の非盲検パイロット臨床試験を公表し、ＯＬＥＤ−ＰＤＴが、軽量であるという付加的な利点を有するので、従来のＰＤＴよりつらさが少なく、それゆえに、より便利な自宅でのＰＤＴの可能性を有することを示唆した。
【００２０】
Ｓａｍｕｅｌ等は、ＥＰ１４４４００８Ｂ１５において、治療および／または美容処置に用いられる、歩行できる患者を対象にしたデバイスを開示しており、このデバイスは、ＯＬＥＤを備え、ポリ（ｐ−フェニレンビニレン）（ＰＰＶ）が、例として用いられている。
【００２１】
ＥＰ１４４４００８は、光線力学療法の治療のための、ＯＬＥＤを備えるデバイスを開示する。
【００２２】
治療に用いられるこれらのデバイスの全ては、有機発光ダイオード（ＯＬＥＤ）に基づいている。
【００２３】
しかし、現況技術のＯＬＥＤは、カソードとして、ＢａおよびＣａのような活性金属を用い、その結果、それらは、保管と作動の両方に関連する、受け入れられる寿命を確保するために、優れた封止を必要とする。大面積のフラットデバイスでは、小さな部分における欠陥さえ、全デバイスの全体的機能停止に至り得るので、適切な封止は、より一層欠くことができない。さらに、良好な性能を、特に寿命に関して、得るために、ＯＬＥＤは、通常、多層構造を有するように設計され、この場合、異なる機能が、個々の層において最適化される。しかし、このようなデバイスの製造プロセスは、より複雑な製造基盤を必要とするので、製造コストは高くなり、恐らく、歩留まりもまた低くなる。軟質であり、局所的損傷に影響を受けることが少ないデバイスを見出すことが、大いに望まれている。
【００２４】
軟質であるファイバーエレクトロルミネセンス光源は、例えば、ＵＳ６０７４０７１、ＵＳ５４８５３５５およびＵＳ５８７６８６３において記載される通り、当技術分野において知られている。化学ルミネセンスファイバー光源もまた知られている。これらのデバイスは、ファイバーに含まれる２種の化学品を一緒にするために、それらが変形された時に、発光する。化学反応が数時間続く間、化学品の間の化学反応は光を生じる。しかし、これらの先行技術の化学ルミネセンスファイバー光源は、明るさが十分でなく、医療または美容用途にとって十分な要件を達成できない。
【００２５】
ＯＬＥＤファイバーは、最近、ＵＳ６５３８３７５Ｂ１、ＵＳ２００３／００９９８５８に、Ｂｒｅｎｎｄａｎ  Ｏ’Ｃｏｎｎｏｒ等（Ａｄｖ．Ｍａｔｅｒ．２００７、１９、３８９７−３９００）によって記載された。単一のＯＬＥＤファイバーおよび照明におけるそれらの使用が、記載されている。しかし、これまでに開示されたＯＬＥＤファイバーは、ディスプレイおよび一般照明用途を目標としていた。
【００２６】
ファイバーＯＬＥＤは、また、いわゆるスマートテキスタイルにおける用い方でも、非常に関心を引いている。しかし、溶液から製品化されるファイバーＯＬＥＤは、ファイバー表面およびファイバーにコーティングされる電極の不均一性に主に起因する、技術的難題が依然として解決されないままである。これは、ＯＬＥＤが、層の表面および厚さの均一性の変化に、非常に影響を受け易いためである。ＯＬＥＤでは、非常に均一な層が求められる。通常、ＯＬＥＤにおける層の厚さは、非常に狭いプロセスウィンドウの原因となる、２０〜８０ｎｍの範囲にある。大きなピクセルでは、印刷技術を用いることによって、粗さの少ない薄膜を得ることが非常に難しい。この事情は、デバイスが曲がっている場合、より一層複雑である。
【００２７】
さらに、このようなデバイスの封止は、少なくとも１種の反応性金属がカソードとして用いられなければならないので、依然として非常に困難な仕事である。酸素および湿度は、ＯＬＥＤの機能を阻害または破壊し得る。
【００２８】
したがって、前記の欠点のない新規の薄い光源を開発することが求められている。
【００２９】
驚くべきことに、ファイバーの形態を有する有機発光電気化学セル（ＯＬＥＣ）（以下では、有機発光電気化学ファイバーセルまたは短くＯＬＥＦＣと呼ばれる）を、一般照明、ディスプレイ用途、ならびに医療および／または美容上の疾患および状態の治療および予防ための光源として用いることができる。ＯＬＥＦＣは、それらの構造が非常に簡単で、そのため、容易に製造できる。曲がった表面を有するデバイスの製造は、ＯＬＥＤにおけるこのような表面の製造に比べて、ＯＬＥＦＣの場合において、複雑さが少ない。これは、１）ＯＬＥＦＣでは、ＯＬＥＤにおける層に比べてずっと厚い、数ｍｍまでの厚さを有する層を用いることができる、２）層の均一性に関する要求の厳しさが、ＯＬＥＦＣでは、より低い、３）反応性金属を全く必要としない、および４）溶液からの発光層の加工が必要であり、これはイオン性化合物に起因する、という事実に、少なくともある程度、起因する。このため、プロセスウィンドウは、ずっと広く、特に量産での製造コストは、ＯＬＥＤのものに比べて、ずっと小さいであろう。
【００３０】
さらに、ＯＬＥＦＣは、空気に影響を受け易い電荷注入層、または電子注入のためのＢａもしくはＣｓのような金属に頼らず、このことが、ＯＬＥＤに比べて、それらの製造をさらに簡単にし、それらの費用効率を、より高める。これは、ＯＬＥＦＣの封止に対する要求の厳しさが、より低いことに起因する。
【００３１】
ＯＬＥＦＣの基礎を成す技術は、ＯＬＥＤまたはＬＥＤのものとは異なる。ＯＬＥＤとＬＥＤの両方は、順方向バイアスでのみ作動する。ＯＬＥＣとは対照的に、ＯＬＥＤとＬＥＤの両方のＩ−Ｖ（電流−電圧）曲線は、非対称である。それらが半導体技術の典型であるのに対して、ＯＬＥＣまたはＯＬＥＦＣは、基本的に、電気化学セル、またはより正確には、電解セルである。ＯＬＥＣまたはＯＬＥＦＣは、順方向と逆方向の両方のバイアスで作動する。ＯＬＥＤにおける電荷輸送は、正孔と電子が、いわゆる励起子、すなわち、電子−正孔対を生成するまで、分子から分子への正孔と電子の移動により行われる。電子と正孔が再結合する時に、発光が起こる。ＯＬＥＦＣでは、電圧を加えると、イオン２重層が、両方の電極上に、最初に形成される。強い電場が、２重層に発生し、２重層が、電子および正孔の注入に対するエネルギー障壁を、低下させる、または除去しさえする。
【００３２】
電解質は、アノードで酸化され、カソードで還元される。
【００３３】
分子カチオンおよびアニオンは、電場の下で拡散し、その間に発光性有機物質をドーピングし、終には、それらが出会い、一緒になって、いわゆるｐ−ｎ接合を形成する。さらに、励起子が、ｐ−ｎ接合において、発光性有機化合物上に生成される。励起子の放射減衰により、発光が起こる。ＯＬＥＣの最初の研究および原理は、Ｑｉｂｉｎｇ  Ｐｅｉ等、Ｓｃｉｅｎｃｅ、１９９５、２６９、１０８６−１０８８による論文を参照できる。ＯＬＥ（Ｆ）Ｃは、対称なＩ−ＶＬ曲線を示し、低駆動電圧を有し、カソードとしての活性金属を必要としない。
【００３４】
しかし、ｐ−ｎ接合を形成するために必要とされる時間が長いので、点燈は瞬間的ではない。このため、今日まで、ＯＬＥＣはディスプレイ用途に適していない。しかし、治療および美容の用途では、ディスプレイ用途のように、早い点燈または速い応答時間が必要ではない。
【００３５】
イオン性物質を含む発光デバイスの別の可能な型は、Ｄａｎｉｅｌ  Ａ．Ｂｅｒｎａｒｄｓ等、Ｓｃｉｅｎｃｅ  ２００８、３１３、１４１６によって報告された、イオン性ｐ−ｎ接合によるデバイスであり、この場合、２つの層が一緒にラミネートされる。層の１つは、移動性アニオンを有し、他の１つは、移動性カチオンを有する；イオン交換によって、イオン性ｐ−ｎ接合が、２つの層の間の境界に形成される。ここで、イオン性ｐ−ｎ接合は、電圧が加えられる前に、形成される。そして、ｐ−ｎ接合で発光を起こすことができる。類似の発光デバイスが、ＵＳ２００７／０１５７６６２Ａ１にも開示された。
【００３６】
ファイバーの形態を有するＯＬＥＣは、例えば、照明、ディスプレイの用途、ならびに医療および／または美容の用途で、さらなる利点をもたらす。それらは、特にデバイスの軟質であることが好都合である場合に、特定の用途に求められるデバイスを、その特殊な要求に適合させる新しい方法を提供する。
【００３７】
本発明は、少なくとも１種のイオン種を含む有機発光電気化学セル（ＯＬＥＣ）に関し、このＯＬＥＣがファイバーの形態を有する（ＯＬＥＦＣ）ことを特徴とする。ファイバーという用語は、断面の直径（または、非円形断面では、幅または高さ）よりも、ずっと大きい長さを有する形状を意味する。本発明の好ましい実施形態において、ファイバーという用語は、長さと直径の比が、かなり大きい、例えば、１０：１、またはこれを超える形状を意味する。特に好ましくは、長さと直径の比は、１００：１、またはこれを超える。
【００３８】
本発明によるＯＬＥＦＣは、少なくとも２つの電極を備える。好ましくは、前記ＯＬＥＦＣは、２つの電極、第１および第２の電極を備える。特に、ＯＬＥＦＣは、
ａ）第１の電極と、
ｂ）発光層と、
ｃ）第２の電極と
を備える。
【００３９】
発光層は、好ましくは、少なくとも１種の発光性有機物質を含む。前記ＯＬＥＦＣにおいて対象とされるこれらの物質に関する詳細は、本発明において、下に記載される。
【００４０】
本発明はまた、ファイバーコア１０（図１参照）を備えるＯＬＥＦＣにも関する。ファイバーコアは、軟質であるファイバーコア部材１０と、ファイバーコア部材１０の外側表面上に第１の電極２０とを備え得る。好ましくは、ファイバーコア部材１０は、非平面外側表面、例えば、円形外側表面を有し、第１の電極２０は、ファイバーコア部材１０の外側表面の全体を取り囲んで形成され、その結果、電極２０もまた、非平面外側表面、例えば、円形表面を有する。本発明の代替の好ましい態様において、ファイバーコア部材１０は省かれ、ファイバーコアは、全体として第１の電極２０から、例えば、長く延びたファイバー形状を有する金属電極からなっていてもよい。電極２０は、中空または中実であり得る。好ましくは、この電極は、非平面外側表面、例えば円形表面を含む。
【００４１】
ファイバーコアは、軟質であっても、または硬質（rigid）てもよく、軟質であるファイバーは、延性（すなわち、破損することなく、可塑的に変形できる）または弾性（すなわち、ファイバーが可逆的に変形し、変形の原因である力がもはや加えられなくなると、物体はその元の形状に戻る）のいずれかであり得る。好ましくは、ファイバーは軟質である。適切な物質を選ぶことによって、発光ファイバーの軟質の度合いは、望まれる任意の値に合わせることができる。
【００４２】
ファイバーコア１０は、透明、透光性、不透明または反射性であり得る。用いられる物質は、ガラス、プラスチック、セラミックまたは金属箔であり得るが、軟質である基材として、好ましくは、プラスチックおよび金属箔が用いられる。ファイバーコア部材１０は、軟質であるポリマーまたは金属物質を含み得る。ファイバーコア部材１０のための適切なポリマー物質は、ポリオレフィン、例えば、ポリエチレン、ポリプロピレン、またはポリテトラフルオロエチレン；ポリシロキサン；エポキシ、ポリアクリレート；ポリエチレンテレフタレート；およびこれらの誘導体である。ファイバーコア要素１０は、ガラス、または金属、例えば、アルミニウム、銅、もしくはスチールを含み得る。
【００４３】
用いられるガラスは、例えば、ソーダ石灰ガラス、ＢａもしくはＳｒ含有ガラス、鉛ガラス、ケイ酸アルミニウムガラス、ホウケイ酸ガラス、Ｂａホウケイ酸ガラスまたは石英であり得る。
【００４４】
プラスチック板（plate）は、例えば、ポリカーボネート樹脂、アクリル樹脂、塩化ビニル樹脂、ポリエチレンテレフタレート樹脂、ポリイミド樹脂、ポリエステル樹脂、エポキシ樹脂、フェノール樹脂、シリコーン樹脂、フッ素樹脂、ポリエーテルスルフィド樹脂またはポリスルホン樹脂からなり得る。
【００４５】
透明ファイバーコアのために、例えば、ポリエチレン、エチレン−酢酸ビニルコポリマー、エチレン−ビニルアルコールコポリマー、ポリプロピレン、ポリスチレン、ポリメチルメタクリレート、ＰＶＣ、ポリビニルアルコール、ポリビニルブチラール、ナイロン、ポリエーテルエーテルケトン、ポリスルホン、ポリエーテルスルホン、テトラフルオロエチレン−パーフルオロアルキルビニルエーテルコポリマー、ポリフッ化ビニル、テトラフルオロエチレン−エチレンコポリマー、テトラフルオロエチレン−ヘキサフルオロプロピレンコポリマー、ポリクロロトリフルオロエチレン、ポリフッ化ビニリデン、ポリエステル、ポリカーボネート、ポリウレタン、ポリイミドまたはポリエーテルイミドが用いられる。
【００４６】
ここで挙げられたもの以外の物質もまた、ファイバーコア１０として使用され得る。適切な物質は、当業者に知られている。
【００４７】
コア部材は、好ましくは約１μｍ〜約１０ｍｍ、特に好ましくは５μｍ〜５ｍｍ、特に非常に好ましくは１０μｍ〜１ｍｍの直径（または、非円形断面では、高さもしくは幅）を有する。ＯＬＥＦＣは、カソード２０とアノード４０に電気的に接続されたパワー源をさらに備え得る。パワー源は、電圧源、例えば、小さなバッテリー、印刷バッテリー、またはソケットに差し込むプラグであり得る。パワー源は、カソード２０およびアノード４０に接続される。パワー源はまた、使用者がデバイスをオン、オフできるスイッチ、および／または明るさコントロール、例えばポテンシオメーターも含み得る。
【００４８】
デバイスは、インタラクティブステアリングユニット（interactive steering unit）を含み得る。このステアリングユニットにより、例えば、連続照明からパルス照明へ切り替えることができる。それにより、また、照射強度および／または放出される波長を正確に合わせることができる。ステアリングユニットは、デバイスに直接結び付いていてもよい。それは、また、常置のまたは一時的な連結具を通じて分離されてもよい。デバイスは、使い捨てであってもよく、病院または病院の外での使用に適している。
【００４９】
ステアリングユニットは、使用者、患者、医師、看護師、または他の人によって、インタラクティブに使用され得る。ステアリングユニットはまた、それにプログラムを組み込むことによって、熟練者、例えば医師の仕様に従って運転され得る。
【００５０】
ファイバーはまた、輻射線透過性アノード４０の外側表面の第１の部分に接触している金属接触要素を備え得る。輻射線透過性アノード物質、例えば酸化インジウムスズ（ＩＴＯ）は、電圧降下を望まれる値にするのに十分なだけ大きい電導性を有さないかもしれないので、接触要素の目的は、ＯＬＥＦＣの長手に沿う電圧降下を小さくすることである。
接触要素は、任意の導電性金属、例えば、アルミニウムまたは銅を含み得る。湿気遮蔽層５０は、湿気が有機層３０に浸透することを防ぐ、任意の物質、例えば、ＳｉＯ２、Ｓｉ３Ｎ４またはオキシ窒化ケイ素を含み得る。封止物質６０は、シリコーンまたはエポキシを含み得る。
【００５１】
好ましい実施形態において、本発明によるＯＬＥＦＣは、
ａ）外側の第１の電極２０を有するファイバーコア１０（図１参照）と；
ｂ）少なくとも１種の有機エレクトロルミネセンス化合物と少なくとも１種のイオン種とを含み、前記第１の電極２０の外側表面上に位置する、発光層３０と；
ｃ）有機発光層３０上に位置する輻射線透過性の第２の電極４０と
を含む。
【００５２】
図１は、ＯＬＥＦＣの構成を概略的に示す（図１ａ、および図１ｂにおける断面）。好ましくは、第１の電極２０はカソードであり、第２の電極４０はアノードである。アノードの外側表面に、アノードの外側表面の第１の部分と接触している第１の表面を有する金属接触要素、ならびにカソードおよび金属接触要素に電気的に接続されたパワー源があり得る。
【００５３】
すでに記載されたように、第１の電極２０はカソードであってよく、第２の電極４０は、光透過性アノードであり得る。しかし、電極２０、４０の極性は逆であってもよく、電極２０がアノードであり、電極４０がカソードであり得る。２つの電極２０、４０、および有機放射放出層３０が、ＯＬＥＤデバイスを構成する。
【００５４】
望まれる場合、ＯＬＥＦＣはまた、図１に例示されるように、任意の輻射線透過性の湿気および／もしくは空気遮蔽層５０、ならびに／または、任意の輻射線透過性封止物質６０を備え得る。層５０の内側表面は、アノード４０の外側表面を取り囲み、物質６０の内側表面は、層５０が存在する場合は層５０の外側表面を、またはアノード４０の外側表面を取り囲む。
【００５５】
望まれる場合、ＯＬＥＦＣはまた、任意の屈折率整合層も備え得る。屈折率整合層の内側表面は、アノード４０の外側表面を取り囲み、層５０が存在する場合、物質５０の内側表面が、屈折率整合層の外側表面を取り囲む。このような屈折率整合層は、光取り出し（light out-coupling）の助けとなる。適切な物質は、高屈折率を有する誘電体物質、例えば、ＣｓＣｌ、ＮＰＢ、Ｃ６０、ＭｅＯ−ＴＰＤ、ＺｎＯ、２，９−ジメチル−４，７−ジフェニル−１，１０−フェナントロリン（ＢＣＰ）、Ａｌｑ３、Ａｕ、およびＳｎＯ２である。屈折率整合層の厚さは、１と３００ｎｍの間の範囲、好ましくは５と１００ｎｍの間の範囲、特に好ましくは１０と６０ｎｍの間の範囲にあり得る。屈折率整合についてのさらなる詳細は、ＵＳ２００８０２３１９５９Ａ１に見出すことができる。
【００５６】
発光ファイバーは、高い明るさを有し、それがファイバーまたは管の形状を有する場合、軟質をもつように製造できる。ファイバーまたは管の形状のＯＬＥＦＣは、湿気／空気遮蔽外側層を付け加えることによって、かつ／または、ファイバーコアの回りに湿気および空気不浸透性の外側金属電極を形成することによって、先行技術の平板ＯＬＥＤとは対照的に、軟質を保持すると同時に、改善された耐湿性を有し得る。
【００５７】
本発明によるＯＬＥＦＣは、１つまたは複数の波長もしくは波長範囲を放出できる。異なる波長（または、波長範囲）は、１つのファイバーに、異なる波長または波長範囲の光を発光する異なる機能物質を有する、２つ以上の発光層３０を用いることによって実現できる。好ましくは、本発明による発光ファイバーは、３つ、特に好ましくは２つ、特に非常に好ましくは１つの発光層３０を備える。
【００５８】
発光層３０はまた、１つの発光層に、様々な発光物質を含み得る。好ましくは、放射放出層３０は、３種、特に好ましくは２種、特に非常に好ましくは１種の発光物質を含む。
様々な発光物質は、下に記載される発光物質から選択されるが、適切な他のどのような発光物質も用いることができる。２種の発光物質が１つの発光層に用いられる場合、２種の発光物質のうちの１種の吸収スペクトルは、好ましくは、他方の発光物質の発光スペクトルと重なる。
【００５９】
異なる波長はまた、図２ａ）およびｂ）に示されるように、ｎ個の異なる波長または波長範囲を放出する、ｎ個の異なる発光層３０を有する小さなセグメントに、発光ファイバーを分割することによっても達成できる。複数のセグメントが１つのファイバーで用いられる場合、ｎは、好ましくは４、特に好ましくは３、特に非常に好ましくは２である（図２ｂ参照）。ｎが１に等しく複数のセグメントを備える、すなわち、各セグメントが同じ波長または波長範囲を放出するＯＬＥＦＣもまた好ましい。
【００６０】
異なる波長または波長範囲を放出するデバイスは、また、図３および図４（ｎは上と同じ定義である）に示されるように、異なる発光ファイバーを用いることによっても得ることができる。２種の異なる発光ファイバーを含むデバイスが特に好ましい（図４参照）。
【００６１】
デバイスにおける発光ファイバーの平行な配置は、１つの可能性にすぎない。ファイバーで知られているどのような加工法も、用いることができる。ファイバーは、例えば、図５に示されるように、織ることができる。これによって、様々な波長または波長範囲を放出するキャンバス（canvas）を得るために、様々な発光ファイバーが加工され得る。異なる波長を放出するファイバーが互いに直行するように、同じ波長を放出するファイバーが、互いに平行に配置されてもよい（図６）。異なる波長を放出するファイバーは、また、交互になる様に、配置されてもよい。
【００６２】
有機放射放出層３０は、４４０ｎｍ〜０．５ｍｍの範囲、好ましくは１００ｎｍ〜０．１ｍｍの範囲、特に好ましくは２００ｎｍ〜５０μｍの範囲、特に非常に好ましくは５００ｎｍ〜１０μｍの範囲の厚さを有し、また、電極２０、４０は、それぞれ、１０〜１０００ｎｍの範囲、好ましくは２０〜２００ｎｍの範囲、特に好ましくは２０〜１００ｎｍの範囲の厚さを有する。有機放射放出ファイバーは、また、効果的な混色および明るさの均一性のために、ＴｉＯ２、Ａｌ２Ｏ３、またはＳｉＯ２のような散乱粒子を含む、任意の放射散乱層も含み得る。散乱粒子は、また、封止物質６０に混合されてもよく、または、望まれる場合、封止物質６０の上の別個の層として形成されてもよい。様々な有機放射放出層３０が、本発明の例示的実施形態に結び付けて使用され得る。有機放射放出層は、少なくとも１つのポリマー層、または少なくとも１つの発光性有機分子を含む層を備え得る。
【００６３】
アノードとカソードの両方に適する物質は、Ａｌ、Ａｇ、Ａｕ、Ｐｔ、Ｃｕ、Ｆｅ、Ｉｒ、Ｍｏ、Ｐｄ、Ｓｎ、Ｖ、Ｃｏ、Ｎｉ、Ｗ、Ｇａ、Ｔａ、Ｓｂ、Ｚｎ、Ｉｎ、２種以上の元素の混合物、例えば、Ｍｇ／ＡｌまたはＡｌ／ＬｉまたはＭｇ／Ａｇを含む合金から好ましくは選択される全ての金属およびそれらの合金、これらに限らないが、酸化インジウムスズ（ＩＴＯ）、酸化インジウム亜鉛（ＩＺＯ）、酸化スズ（ＳｎＯ）、ＺｎＯ、ＩｎＯ、アルミニウム−亜鉛−酸化物（ＡｌＺｎＯ）、ならびに他の金属酸化物、例えば、酸化亜鉛でドーピングされたＡｌ−およびＩｎ−亜鉛酸化物、マグネシウム−インジウム−酸化物、および、ニッケル−タングステン−酸化物から好ましくは選択される金属酸化物である。窒化ガリウムのような金属窒化物、および、亜鉛−セレン化物のような金属セレン化物、および硫化亜鉛のような金属−硫化物もまた使用できる。電極（すなわち、アノードおよびカソード）として使用できるさらなる物質は、導電性ポリマー、例えば、ポリチオフェン、ポリアニリンおよびポリピロール、または、例えば、Ｍ．Ｓ．ＦｒｅｕｄおよびＢ．Ａ．Ｄｅｏｒｅによって、「Ｓｅｌｆ−Ｄｏｐｅｄ  Ｃｏｎｄｕｃｔｉｎｇ  Ｐｏｌｙｍｅｒｓ」、Ｊｏｈｎ  Ｗｉｌｅｙ＆Ｓｏｎｓ，Ｌｔｄ、２００７に開示されているような他の導電性ポリマーである。
【００６４】
電極、すなわち、アノードおよびカソードは、互いに独立に、透明、不透明、または反射性であり得る。アノードはまた、中間の状態を、例えば、ある程度反射性であり、またある程度透明でもある状態を取ることもできる。
【００６５】
電極が透明でない、またはある程度透明であるにすぎない場合、さらなる導電性物質が使用され得る。透明でない、またはある程度透明であるアノードとして好ましい物質は、これらに限らないが、Ａｕ、Ｉｒ、Ｍｏ、Ｐｄ、Ｐｔ、Ｃｕ、Ａｇ、Ｓｎ、Ｃ、Ａｌ、Ｖ、Ｆｅ、Ｃｏ、Ｎｉ、Ｗ、およびこれらの混合物から選択される。導電性物質は、また、前記のさらなる導電性物質と混合され得る（例えば、Ｉｎ−Ｃｕ）。
【００６６】
アノードは、好ましくは透明であり、アノードとして特に好ましい物質は、ＩＴＯである。さらなる物質がアノードに使用され得るが、これらは、当業者に知られている。
【００６７】
薄い誘電体層を形成するために用いられる、カソードに適するさらなる物質は、ＬｉＦ、Ｌｉ２Ｏ、ＢａＦ２、ＭｇＯ、またはＮａＦと混合される金属から選択される。典型的な組合せは、ＬｉＦ／Ａｌである。
【００６８】
トップにＩＴＯ層を有するＭｇ／Ａｌカソードが、ＵＳ５７０３４３６、ＵＳ５７０７７４５、ＵＳ６５４８９５６Ｂ２、ＵＳ６５７６１３４Ｂ２に記載されている。Ｍｇ／Ａｌ合金が、ＵＳ４８８５２２１に記載されている。
【００６９】
図１に示されるＯＬＥＦＣは、円形の断面を有するが、望まれる他のどのような断面を有していてもよい。例えば、ファイバーは、楕円形の断面、多角形の断面（例えば、四角形の断面）、または円形、楕円形もしくは多角形の断面の組合せを含み得る。
【００７０】
発光ファイバーは、好ましくは、約１μｍ〜約２ｍｍ、特に好ましくは５μｍ〜１ｍｍ、特に非常に好ましくは１０μｍ〜０．５ｍｍの直径（または、非円形断面では、高さ／幅）を有する。
【００７１】
本発明によるＯＬＥＦＣは、様々な物質を含み得る。原理的には、有機発光セルに用いられることが知られている、既知の如何なる物質も用いることができる。
【００７２】
物質は、低分子、ポリマー、オリゴマー、またはデンドリマー、これらのブレンドもしくは混合物の群から選択され得る。
【００７３】
本明細書において用いられる場合、低分子という用語は、ポリマー、オリゴマー、デンドリマー、またはブレンドではない分子と定義される。特に、低分子には、繰返し構造がない。低分子の分子量は、通常、少数の繰返し単位を有するポリマー、オリゴマー、またはこれら未満の範囲にある。
【００７４】
低分子の分子量は、好ましくは４０００ｇ／ｍｏｌ未満、特に好ましくは３０００ｇ／ｍｏｌ未満、特に非常に好ましくは２０００ｇ／ｍｏｌ未満である。
【００７５】
本発明でのポリマーは、好ましくは、１０〜１００００、特に好ましくは２０〜５０００、特に非常に好ましくは５０〜２０００個の繰返し単位を有する。本発明でのオリゴマーは、好ましくは２〜９個の繰返し単位を有する。ポリマーおよびオリゴマーの分岐度は、０（分岐のない線状ポリマー）と１（完全分岐デンドリマー）の間である。本明細書において用いられる場合、デンドリマーという用語は、Ｍ．Ｆｉｓｃｈｅｒ等、Ａｎｇｅｗ．Ｃｈｅｍ．、Ｉｎｔ．Ｅｄ．１９９９、３８、８８５に従って定義される。
【００７６】
本発明でのポリマーの分子量（ＭＷ）は、好ましくは１００００〜２００００００ｇ／ｍｏｌの範囲、特に好ましくは１０００００〜１５０００００ｇ／ｍｏｌの範囲、特に非常に好ましくは２０００００〜１００００００ｇ／ｍｏｌの範囲にある。ＭＷの決定は、当業者に知られている標準的な方法に従って、例えば、ポリスチレンを内部標準としてゲル浸透クロマトグラフィー（ＧＰＣ）を用いることによって、実施できる。
【００７７】
ブレンドは、少なくとも１種のポリマーデンドリマー成分、またはオリゴマー成分を含む混合物である。
【００７８】
本発明は、また、蛍光発光物質、燐光発光物質、および発光性有機金属錯体から選択される少なくとも１種の有機エレクトロルミネセンス化合物を含む前記ＯＬＥＦＣにも関する。
【００７９】
前記ＯＬＥＦＣは、４、好ましくは３、特に好ましくは２、特に非常に好ましくは１種の有機エレクトロルミネセンス化合物を含む。
【００８０】
ＯＬＥＦＣは、エレクトロルミネセンス化合物を、発光層の全質量に対して、好ましくは２０ｗｔ％〜９５ｗｔ％、特に好ましくは３０ｗｔ％〜８０ｗｔ％、特に非常に好ましくは５０ｗｔ％〜７５ｗｔ％の濃度範囲で含む。
【００８１】
ＨＩＭ、ＨＴＭ、ＥＩＭ、ＥＴＭから選択される全ての物質では、濃度は、発光層の全質量に対して、１ｗｔ％〜３０ｗｔ％の範囲、好ましくは５ｗｔ％〜２５ｗｔ％の範囲、特に好ましくは１０ｗｔ％〜２０ｗｔ％の範囲にある。
【００８２】
さらに、４、好ましくは３、特に好ましくは２、特に非常に好ましくは１種の蛍光発光物質を含むＯＬＥＦＣが好ましい。
【００８３】
さらに、４、好ましくは３、特に好ましくは２、特に非常に好ましくは１種の燐光発光物質を含むＯＬＥＦＣが好ましい。
【００８４】
さらに、４、好ましくは３、特に好ましくは２、特に非常に好ましくは１種の有機金属錯体を含むＯＬＥＦＣが好ましい。
【００８５】
２種以上の発光物質が用いられる場合、フェルスターのエネルギー移動を容易にするために、１種の発光物質の発光スペクトルは、好ましくは、別の発光物質の吸収スペクトルと重なる。
【００８６】
有機エレクトロルミネセンス化合物は、有機機能物質の種類に属する。こうして、有機機能物質は、蛍光発光物質、燐光発光物質、および有機金属錯体を含む。下でより詳細に説明されるように、それらは、正孔輸送物質（ＨＴＭ）、正孔注入物質（ＨＩＭ）、電子輸送物質（ＥＴＭ）、および電子注入物質（ＥＩＭ）のような物質をさらに含む。
【００８７】
本発明での有機機能物質は、多くの場合、それらの分子フロンティア軌道、すなわち、最高被占分子軌道（ＨＯＭＯ）（価電子帯と呼ばれることもある）および最低空分子軌道（ＬＵＭＯ）（伝導帯と呼ばれることもある）によって特徴付けられる。ＨＯＭＯおよびＬＵＭＯのレベルは、ごく普通に、（例えば、ＸＰＳ＝Ｘ線光電子分光法、ＵＰＳ＝紫外光電子分光法もしくはＣＶ＝サイクルボルタンメトリーによって）測定され、または（（時間依存）ＤＦＴ＝密度関数理論のような量子化学的方法によって）計算され、これらは当業者に知られている。当業者は、また、これらのエネルギーレベルの絶対値が、用いられる方法にかなり依存するという事実を承知している。有機機能物質のＨＯＭＯおよびＬＵＭＯエネルギーレベルの信頼できる比較は、同じ測定方法または計算方法を用いることを必要とする。出願人等は、有機半導体のエネルギーレベルを求める一貫した組合せ方法を確立した。１セットの半導体（２０種を超える異なる半導体）のＨＯＭＯ／ＬＵＭＯレベルが、信頼できる評価方法を用いるＣＶによって測定され、また、同じ相関関数、例えばＢ３ＰＷ９１、および同じ基底の組、例えば６−３１Ｇ（ｄ）を用いる、Ｇａｕｓｓｉａｎ  ０３ＷのＤＦＴによっても計算される。次いで、計算値は、測定値により較正される。このような較正因子が、さらなる計算に用いられる。計算値と測定値の間の一致は、非常に良好である。したがって、本発明でのエネルギーレベルの比較は、信用できる基盤の上に置かれている。エネルギーギャップまたはバンドギャップは、ＨＯＭＯとＬＵＭＯのエネルギーレベルの違いによって得られる。
【００８８】
発光体という用語は、他の物質からの何らかの種類のエネルギー移動によって、または電気的もしくは光学的かのいずれかで励起子を生成することによって、励起エネルギーを受け取ると、放射減衰して発光する物質を表す。基本的には２種類の発光体、蛍光および燐光発光体がある。蛍光発光体という用語は、励起１重項状態からその基底状態へ放射遷移する物質または化合物に関する。本明細書で用いられる場合、燐光発光体は、遷移金属を含むルミネセンス物質または化合物に関する。通常、これは、スピン禁制遷移、例えば、励起３重項または５重項からの遷移、によって引き起こされる発光をする物質を含む。
【００８９】
本明細書で用いられる場合、ドーパントという用語もまた、発光体または発光物質という用語に対して用いられる。
【００９０】
本発明によるＯＬＥＦＣに用いられる好ましい青色蛍光発光体は、多環芳香族化合物、例えば、９，１０−ジ（２−ナフチルアントラセン）および他のアントラセン誘導体、テトラセン、キサンテン、ペリレンの誘導体、例えば、２，５，８，１１−テトラ−ｔ−ブチルペリレン、フェニレン、例えば、４，４’−（ビス（９−エチル−３−カルバゾビニレン）−１，１’−ビフェニル、フルオレン、アリールピレン（ＵＳ２００６／０２２２８８６）、アリーレンビニレン（ＵＳ５１２１０２９、ＵＳ５１３０６０３）、ルブレン、クマリン、ローダミン、キナクリドンの誘導体、例えば、Ｎ，Ｎ’−ジメチルキナクリドン（ＤＭＱＡ）、ジシアノメチレンピラン、例えば、４（ジシアノエチレン）−６−（４−ジメチルアミノスチリル−２−メチル）−４Ｈ−ピラン（ＤＣＭ）、チオピラン、ポリメチン、ピリリウムおよびチアピリリウム塩、ペリフランテン、インデノペリレン、ビス（アジニル）イミン−ホウ素化合物（ＵＳ２００７／００９２７５３Ａ１）、ビス（アジニル）メテン化合物、ならびにカルボスチリル化合物から選択される。
【００９１】
好ましいさらなる青色蛍光発光体は、Ｃ．Ｈ．Ｃｈｅｎ等：「Ｒｅｃｅｎｔ  ｄｅｖｅｌｏｐｍｅｎｔｓ  ｉｎ  ｏｒｇａｎｉｃ  ｅｌｅｃｔｒｏｌｕｍｉｎｅｓｃｅｎｔ  ｍａｔｅｒｉａｌｓ」、Ｍａｃｒｏｍｏｌ．Ｓｙｍｐ．１２５、（１９９７）、１−４８、および「Ｒｅｃｅｎｔ  ｐｒｏｇｒｅｓｓ  ｏｆ  ｍｏｌｅｃｕｌａｒ  ｏｒｇａｎｉｃ
ｅｌｅｃｔｒｏｌｕｍｉｎｅｓｃｅｎｔ  ｍａｔｅｒｉａｌｓ  ａｎｄ  ｄｅｖｉｃｅｓ」、Ｍａｔ．Ｓｃｉ．ａｎｄ  Ｅｎｇ．Ｒ、３９（２００２）、１４３−２２２に記載されている。
【００９２】
本発明での好ましい蛍光ドーパントは、モノスチリルアミン、ジスチリルアミン、トリスチリルアミン、テトラスチリルアミン、スチリルホスフィン、スチリルエーテルおよびアリールアミンの種類から選択される。
【００９３】
モノスチリルアミンは、１つの置換または無置換スチリル基、および少なくとも１つの、好ましくは芳香族の、アミンを含む化合物を意味する。ジスチリルアミンは、２つの置換または無置換スチリル基、および少なくとも１つの、好ましくは芳香族の、アミンを含む化合物を意味する。トリスチリルアミンは、３つの置換または無置換スチリル基、および少なくとも１つの、好ましくは芳香族の、アミンを含む化合物を意味する。テトラスチリルアミンは、４つの置換または無置換スチリル基、および少なくとも１つの、好ましくは芳香族の、アミンを含む化合物を意味する。スチリル基は、特に好ましくはスチルベンであり、これは、また、さらに置換されていてもよい。対応するホスフィンおよびエーテルは、アミンと同様に定義される。本発明の目的では、アリールアミンまたは芳香族アミンは、窒素に直接結合した、３つの置換もしくは無置換芳香族または複素芳香族環系を含む化合物を意味する。これらの芳香族または複素芳香族環系の少なくとも１つは、好ましくは少なくとも１４個の芳香環原子を有する、好ましくは縮合環系である。これらの好ましい例は、芳香族アントラセン−アミン、芳香族アントラセン−ジアミン、芳香族ピレン−アミン、芳香族ピレン−ジアミン、芳香族クリセン−アミンおよび芳香族クリセンジアミンである。芳香族アントラセン−アミンは、１つのジアリールアミノ基が、好ましくは９位で、アントラセン基に直接結合している化合物を意味する。芳香族アントラセン−ジアミンは、２つのジアリールアミノ基が、好ましくは９，１０位で、アントラセン基に直接結合している化合物を意味する。香族ピレン−アミン、ピレン−ジアミン、クリセン−アミン、およびクリセン−ジアミンは、これらと同様に定義され、この場合、ピレン上のジアリールアミノ基は、好ましくは、１位で、または１，６位で結合している。
【００９４】
好ましいさらなる蛍光ドーパントは、例えばＷＯ２００６／１２２６３０による、インデノフルオレン−アミンおよびインデノフルオレン−ジアミン、例えばＷＯ２００８／００６４４９による、ベンゾインデノフルオレン−アミンおよびベンゾインデノフルオレン−ジアミン、ならびに、例えばＷＯ２００７／１４０８４７による、ジベンゾインデノフルオレン−アミンおよびジベンゾインデノフルオレン−ジアミンから選択される。
【００９５】
スチリルアミン類からのドーパントの例は、置換または無置換トリスチルベン−アミン、または、ＷＯ２００６／０００３８８、ＷＯ２００６／０５８７３７、ＷＯ２００６／０００３８９、ＷＯ２００７／０６５５４９、およびＷＯ２００７／１１５６１０に記載されているドーパントである。ジスチリルベンゼンおよびジスチリルビフェニル誘導体は、ＵＳ５１２１０２９に記載されている。さらなるスチリルアミンは、ＵＳ２００７／０１２２６５６Ａ１に見出される。
【００９６】
特に好ましいスチリルアミンドーパントおよびトリアリールアミンドーパントは、ＵＳ７２５０５３２Ｂ２、ＤＥ１０２００５０５８５５７Ａ１、ＣＮ１５８３６９１Ａ、ＪＰ０８０５３３９７Ａ、ＵＳ６２５１５３１Ｂ１、およびＵＳ２００６／２１０８３０Ａに開示されている、式１から６の化合物である。
【化１】
2018029067.tif 000003
【００９７】
好ましいさらなる蛍光ドーパントは、ＥＰ１９５７６０６Ａ１、およびＵＳ２００８／０１１３１０１Ａ１に開示されている、トリアリールアミンの群から選択される。
【００９８】
好ましいさらなる蛍光ドーパントは、ナフタレン、アントラセン、テトラセン、フルオレン、ペリフランテン、インデノペリレン、フェナントレン、ペリレン（ＵＳ２００７／０２５２５１７Ａ１）、ピレン、クリセン、デカシクレン、コロネン、テトラフェニルシクロペンタジエン、ペンタフェニルシクロペンタジエン、フルオレン、スピロフルオレン、ルブレン、クマリン（ＵＳ４７６９２９２、ＵＳ６０２００７８、ＵＳ２００７／０２５２５１７Ａ１）、ピラン、オキサゾン、ベンゾオキサゾール、ベンゾチアゾール、ベンゾイミダゾール、ピラジン、ケイ皮酸エステル、ジケトピロロピロール、アクリドンおよびキナクリドン（ＵＳ２００７／０２５２５１７Ａ１）の誘導体から選択される。
【００９９】
アントラセン化合物の中で、９，１０−置換アントラセン、例えば、９，１０−ジフェニルアントラセンおよび９，１０−ビス（フェニルエチニル）アントラセンが特に好ましい。１，４−ビス（９’−エチニルアントラセニル）ベンゼンもまた好ましいドーパントである。
【０１００】
燐光発光体の例は、出願ＷＯ００／７０６５５、ＷＯ０１／４１５１２、ＷＯ０２／０２７１４、ＷＯ０２／１５６４５、ＥＰ１１９１６１３、ＥＰ１１９１６１２、ＥＰ１１９１６１４およびＷＯ２００５／０３３２４４によって明らかにされている。一般に、エレクトロルミネセンスデバイスに用いられる燐光化合物として先行技術により用いられ、有機エレクトロルミネセンスの分野の当業者に知られている全ての燐光錯体が適切であり、当業者は、発明することなしに、さらなる燐光錯体を用いることが可能であろう。
【０１０１】
燐光発光体は、好ましくは式Ｍ（Ｌ）ｚを有する、金属錯体であってよく、式中、Ｍは金属原子であり、Ｌは、出現する毎に互いに独立に、１つ、２つまたはこれを超える位置によりＭに結合または配位した有機配位子であり、ｚは、整数≧１で、好ましくは、１、２、３、４、５もしくは６であり、任意に、これらの集合体は、好ましくは配位子Ｌを通じて、１つまたは複数の、好ましくは１つ、２つまたは３つの位置により、ポリマーに連結している。
【０１０２】
Ｍは、特に、遷移金属から選択され、好ましくはＶＩＩＩ族の遷移金属、またはランタノイド、またはアクチニドから選択され、特に好ましくは、Ｒｈ、Ｏｓ、Ｉ、Ｐｔ、Ｐｄ、Ａｕ、Ｓｍ、Ｅｕ、Ｇｄ、Ｔｂ、Ｄｙ、Ｒｅ、Ｃｕ、Ｚｎ、Ｗ、Ｍｏ、Ｐｄ、Ａｇ、またはＲｕから選択され、特に非常に好ましくは、Ｏｓ、Ｉｒ、Ｒｕ、Ｒｈ、Ｒｅ、Ｐｄ、またはＰｔから選択される金属原子である。Ｍはまた、Ｚｎでもあり得る。
【０１０３】
本発明によるＯＬＥＦＣは、また、少なくとも１種の金属錯体を含み得る。量子力学によれば、高いスピン多重度をもつ励起状態からの、例えば励起３重項状態からの、基底状態への遷移は、許されない。しかし、重い原子、例えば、イリジウム、オスミウム、白金およびユウロピウムの存在は、強いスピン−軌道カップリングを生じる、すなわち、励起１重項および３重項が混ざり、その結果、３重項が、いくらかの１重項特性を獲得する；１重項−３重項の混合が、非放射事象より速い放射減衰速度を生じる場合、輝度は効率的であり得る。この種の発光は、最初に、Ｂａｌｄｏ等；Ｎａｔｕｒｅ  ３９５、１５１−１５４（１９９８）によって報告されたように、金属錯体を用い実現できる。
【０１０４】
好ましい配位子は、２−フェニルピリジン誘導体、７，８−ベンゾキノリン誘導体、２−（２−チエニル）ピリジン誘導体、２−（１−ナフチル）ピリジン誘導体または２−フェニルキノリン誘導体である。これらの全ての化合物は、例えば、青色発光では、フルオロ−またはトリフルオロメチル置換基によって、置換されていてもよい。補助配位子は、好ましくは、アセチルアセトネートまたはピクリン酸である。
【０１０５】
特に、ＵＳ２００７／００８７２１９Ａ１に開示されている、ＰｔまたはＰｄと４座配位子との式７の錯体（式中、Ｒ１からＲ１４、およびＺ１からＺ５は、その文献に定義されている通りである）、拡張された環系を有するＰｔポルフィリン錯体（ＵＳ２００９／００６１６８１Ａ１）、ならびにＩｒ錯体は、例えば、２，３，７，８，１２，１３，１７，１８−オクタエチル−２１Ｈ，２３Ｈ−ポルフィリン−Ｐｔ（ＩＩ）、テトラフェニル−Ｐｔ（ＩＩ）−テトラベンゾポルフィリン（ＵＳ２００９／００６１６８１Ａ１）、シス−ビス（２−フェニルピリジナト−Ｎ，Ｃ２’）Ｐｔ（ＩＩ）、シス−ビス（２−（２’−チエニル）ピリジナト−Ｎ，Ｃ３’）Ｐｔ（ＩＩ）、シス−ビス（２−（２’−チエニル）キノリナト−Ｎ，Ｃ５’）Ｐｔ（ＩＩ）、（２−（４，６−ジフルオロフェニル）ピリジナト−Ｎ，Ｃ２’）Ｐｔ（ＩＩ）アセチルアセトネート、またはトリス（２−フェニルピリジナト−Ｎ，Ｃ２’）Ｉｒ（ＩＩＩ）（Ｉｒ（ｐｐｙ）３、緑色）、ビス（２−フェニルピリジナト−Ｎ，Ｃ２）Ｉｒ（ＩＩＩ）アセチルアセトネート（Ｉｒ（ｐｐｙ）２アセチルアセトネート、緑色、ＵＳ２００１／００５３４６２Ａ１、Ｂａｌｄｏ、Ｔｈｏｍｐｓｏｎ等、Ｎａｔｕｒｅ  ４０３、（２０００）、７５０−７５３）、ビス（１−フェニルイソキノリナト−Ｎ，Ｃ２’）（２−フェニルピリジナト−Ｎ，Ｃ２’）イリジウム（ＩＩＩ）、ビス（２−フェニルピリジナト−Ｎ，Ｃ２’）（１−フェニルイソキノリナト−Ｎ，Ｃ２’）イリジウム（ＩＩＩ）、ビス（２−（２’−ベンゾチエニル）ピリジナト−Ｎ，Ｃ３’）イリジウム（ＩＩＩ）アセチルアセトネート、ビス（２−（４’，６’−ジフルオロフェニル）ピリジナト−Ｎ，Ｃ２’）イリジウム（ＩＩＩ）ピコリネート（Ｆｉｒｐｉｃ、青色）、ビス（２−（４’，６’−ジフルオロフェニル）ピリジナト−Ｎ，Ｃ２’）Ｉｒ（ＩＩＩ）テトラキス（１−ピラゾリル）ボレート、トリス（２−（ビフェニル−３−イル）−４−ｔｅｒｔ−ブチルピリジン）イリジウム（ＩＩＩ）、（ｐｐｚ）２Ｉｒ（５ｐｈｄｐｙｍ）（ＵＳ２００９／００６１６８１Ａ１）、（４５ｏｏｐｐｚ）２Ｉｒ（５ｐｈｄｐｙｍ）（ＵＳ２００９／００６１６８１Ａ１）、２−フェニルピリジン−Ｉｒ錯体の誘導体、例えば、イリジウム（ＩＩＩ）ビス（２−フェニルキノリル−Ｎ，Ｃ２’）アセチルアセトネート（ＰＱＩｒ）、トリス（２−フェニルイソキノリナト−Ｎ，Ｃ）Ｉｒ（ＩＩＩ）（赤色）、ビス（２−（２’−ベンゾ［４，５−ａ］チエニル）ピリジナト−Ｎ，Ｃ３）Ｉｒアセチルアセトネート（［Ｂｔｐ２Ｉｒ（ａｃａｃ）］、赤色、Ａｄａｃｈｉ等、Ａｐｐｌ．Ｐｈｙｓ．Ｌｅｔｔ．７８（２００１）、１６２２−１６２４）が、適切である。
【化２】
2018029067.tif 000004
【０１０６】
同様に適切であるのは、３価ランタニド、例えば、Ｔｂ３＋およびＥｕ３＋の錯体（Ｊ．Ｋｉｄｏ等、Ａｐｐｌ．Ｐｈｙｓ．Ｌｅｔｔ．６５（１９９４）、２１２４、Ｋｉｄｏ等、Ｃｈｅｍ．Ｌｅｔｔ．６５７、１９９０、ＵＳ２００７／０２５２５１７Ａ１）、または、Ｐｔ（ＩＩ）、Ｉｒ（Ｉ）、Ｒｈ（Ｉ）とマレオニトリルジチオレートとの燐光錯体（Ｊｏｈｎｓｏｎ等、ＪＡＣＳ  １０５、１９８３、１７９５）、Ｒｅ（Ｉ）トリカルボニルジイミン錯体（とりわけ、Ｗｒｉｇｈｔｏｎ、ＪＡＣＳ  ９６、１９７４、９９８）、Ｏｓ（ＩＩ）とシアノ配位子およびビピリジルもしくはフェナントロリン配位子との錯体（Ｍａ等、Ｓｙｎｔｈ．Ｍｅｔａｌｓ  ９４、１９９８、２４５）、または、ホストのないＡｌｑ３である。
【０１０７】
３座配位子を有するさらなる燐光発光体が、ＵＳ６８２４８９５およびＵＳ７０２９７６６に記載されている。赤色発光燐光錯体は、ＵＳ６８３５４６９およびＵＳ６８３０８２８に挙げられている。
【０１０８】
特に好ましい燐光ドーパントは、式８を有する化合物、および、例えばＵＳ２００１／００５３４６２Ａ１に開示されている、さらなる化合物である。
【０１０９】
特に好ましい燐光ドーパントは、式９を有する化合物、および、例えばＵＳ２００７／０９５１１８Ａ１に開示されている、さらなる化合物である。
【化３−１】
2018029067.tif 000005
【０１１０】
さらなる誘導体が、ＵＳ７３７８１６２Ｂ２、ＵＳ６８３５４６９Ｂ２、およびＪＰ２００３／２５３１４５Ａに記載されている。
【０１１１】
さらに、カルベン３重発光体（triple emitter）、特に、金属としてイリジウムを含むカルビン錯体から選択される燐光発光体が好ましい。好ましい錯体は、ＷＯ２００５／０９１３７３、ＷＯ２００５／１１３７０４、およびＰ．Ｅｒｋ等、ＳＩＤ  ２００６、１１、２、１３１に開示されているＮ−複素環式カルビン（ＮＨＣ）イリジウム錯体、例えば、ｆａｃ−Ｉｒ（ｄｐｂｉｃ）３、Ｉｒ（ｐｍｂｉｃ）３、Ｉｒ（ｐｍｉｃ）３、Ｉｒ（ｄｐｎｉｃ）３、Ｉｒ（ｃｎ−ｐｍｉｃ）３である。
【０１１２】
本明細書において他の箇所で挙げられている金属錯体に付言すると、本発明での適切な金属錯体は、遷移金属から選択され得るが、希土類元素、ランタニドおよびアクチニドもまた、本発明の主題である。好ましくは、金属は、Ｉｒ、Ｒｕ、Ｏｓ、Ｅｕ、Ａｕ、Ｐｔ、Ｃｕ、Ｚｎ、Ｍｏ、Ｗ、Ｒｈ、Ｐｄ、またはＡｇから選択される。
【０１１３】
エレクトロルミネセンス化合物は、また、ポリマー、オリゴマー、デンドリマー、およびブレンドであり得る。
【０１１４】
ポリマーは、また、電荷移動輸送機能のような、さらなる機能を有し得る。それゆえに、本発明は、また、さらなるポリマー分子を含む組成物にも関する。
【０１１５】
好ましくは、前記ポリマーは、単位を含み、これらは、好ましくは、燐光発光体、特に、前記の発光性金属錯体を含む群から選択される。ここでは、８〜１０族の元素（Ｒｕ、Ｏｓ、Ｒｈ、Ｉｒ、Ｐｄ、Ｐｔ）を含む、対応する構造単位が、特に好ましい。
【０１１６】
ポリマーは、様々な機能が、１つの大きな分子、または大きな分子のブレンドに組み込まれ得るという点に特徴がある。これらの機能は、とりわけ、正孔注入物質、正孔輸送物質、発光物質、電子注入物質、および電子輸送物質の機能である。ポリマーに組み込まれる機能は、様々なグループに分類できる。望みの機能グループとそれらの間の比率とを選択することによって、ポリマーは、望みの機能を有するようになり得る。
【０１１７】
ポリマー、オリゴマーおよびデンドリマーの間の違いは、本発明内で別の箇所に定義されているように、分子的存在物の大きさ、大きさの分布、および分岐に基づく。
【０１１８】
様々な構造は、とりわけ、ＷＯ２００２／０７７０６０Ａ１、およびＤＥ１０３３７３４６Ａ１に開示され、包括的に列挙されている構造である。構造単位は、例えば、次のグループから生じ得る。
【０１１９】
グループ１：ポリマーの正孔注入および／または輸送の特性を向上させる単位；それは、本発明内で別の箇所に記載されているＨＩＭまたはＨＴＭに相当する。
【０１２０】
グループ２：ポリマーの電子注入および／または輸送の特性を向上させる単位；それは、本発明内で別の箇所に記載されているＥＩＭまたはＥＴＭに相当する。
【０１２１】
グループ３：グループ１およびグループ２からの個々の単位の組合せを有する単位。
【０１２２】
グループ４：電界蛍光発光（electrofluorescence）の代わりに、電界燐光発光（electrophosphorescence）を得ることができるような程度に、発光特性を変える単位；通常、それは、燐光発光体、または、より好ましくは、本発明内で別の箇所に記載されている発光性金属錯体に相当する。
【０１２３】
グループ５：いわゆる１重項状態から、より高いスピン状態、例えば３重項状態への転位を増進させる単位。
【０１２４】
グループ６：得られるポリマーのモルホロジーおよび／または発光色に影響を及ぼす単位。
【０１２５】
グループ７：通常、骨格として用いられ、電子輸送機能、正孔輸送機能、または両方を有し得る単位。
【０１２６】
好ましくは、ポリマーは、前記の低分子量ＨＴＭまたはＨＩＭを含む単位から好ましくは選択される、グループ１の単位を含む正孔輸送または注入ポリマーである。
【０１２７】
グループ１からの好ましいさらなる単位は、例えば、トリアリールアミン、ベンジジン、テトラアリール−パラ−フェニレンジアミン、カルバゾール、アズレン、チオフェン、ピロールおよびフランの誘導体、ならびに、Ｏ、Ｓ、またはＮを含むさらなる複素環である。
【０１２８】
好ましいＨＴＭまたはＨＩＭポリマーは、式１０による次の繰返し単位の少なくとも１つを含むポリマーである。
【化３−２】
2018029067.tif 000006
【０１２９】
式中、
Ａｒ１は、同じであっても異なっていてもよく、異なる繰返し単位にある場合は独立に、単結合、または任意に置換された単核もしくは多核アリール基を表し、
Ａｒ２は、同じであっても異なっていてもよく、異なる繰返し単位にある場合は独立に、任意に置換された単核もしくは多核アリール基を表し、
Ａｒ３は、同じであっても異なっていてもよく、異なる繰返し単位にある場合は独立に、任意に置換された単核または多核アリール基を表し、
ｍは、１，２または３である。
【０１３０】
式１０の特に好ましい単位は、式１１〜１３からなる群から選択される。
【化４】
2018029067.tif 000007
【０１３１】
式中、
Ｒは、出現する毎に、同じであっても異なっていてもよく、Ｈ、置換もしくは無置換の芳香族または複素芳香族基、アルキル、シクロアルキル、アルコキシ、アラルキル、アリールオキシ、アリールチオ、アルコキシカルボニル、シリル、カルボキシ基、ハロゲン原子、シアノ基、ニトロ基、あるいはヒドロキシ基から選択され、
ｒは、０、１、２、３または４であり、また
ｓは、０、１、２、３、４または５である。
【０１３２】
好ましいさらなるＨＴＭまたはＨＩＭポリマーは、式１４による次の繰返し単位の少なくとも１つを含むポリマーである。
【０１３３】
−（Ｔ１）ｃ−（Ａｒ４）ｄ−（Ｔ２）ｅ−（Ａｒ５）ｆ−        式１４式中、
Ｔ１およびＴ２は、互いに独立に、チオフェン、セレノフェン、チエノ［２，３ｂ］チオフェン、チエノ［３，２ｂ］チオフェン、ジチエノチオフェン、ピロール、アニリンから選択され、これらの全ては、Ｒ５により任意に置換されており、
Ｒ５は、出現する毎に互いに独立に、ハロゲン、−ＣＮ、−ＮＣ、−ＮＣＯ、−ＮＣＳ、−ＯＣＮ、ＳＣＮ、Ｃ（＝Ｏ）ＮＲ０Ｒ００、−Ｃ（＝Ｏ）Ｘ、−Ｃ（＝Ｏ）Ｒ０、−ＮＨ２、−ＮＲ０Ｒ００、ＳＨ、ＳＲ０、−ＳＯ３Ｈ、−ＳＯ２Ｒ０、−ＯＨ、−ＮＯ２、−ＣＦ３、−ＳＦ５、任意に置換されたシリル、または、１〜４０個のＣ原子を有するカルビルもしくはヒドロカルビルから選択され、これは、任意に置換され、および１個以上のヘテロ原子を任意に含み、
Ａｒ４およびＡｒ５は、互いに独立に、単核もしくは多核アリールまたはヘテロアリールであり、これは、任意に置換されており、また隣接するチオフェンもしくはセレノフェン基の一方または両方の２，３位に任意に縮合しており、
ｃおよびｅは、互いに独立に、０、１、２、３または４で、１＜ｃ＋ｅ≦６であり、
ｄおよびｆは、互いに独立に、０、１、２、３または４である。
【０１３４】
ＨＴＭポリマーの例は、ＷＯ２００７／１３１５８２Ａ１、およびＷＯ２００８／００９３４３Ａ１に開示されている。
【０１３５】
好ましくは、前記ポリマーは、グループ２の単位を含み、これらは、本発明内で別の箇所に記載されている低分子量ＥＴＭまたはＥＩＭを含む群から好ましくは選択される。
【０１３６】
電子注入または電子輸送特性を有する、グループ２からの好ましいさらなる単位は、例えば、ピリジン、ピリミジン、ピリダジン、ピラジン、オキサジアゾール、キノリン、キノキサリンおよびフェナジンの誘導体であるが、トリアリールボラン、およびＯ、Ｓ、またはＮを含むさらなる複素環でもある。
【０１３７】
好ましくは、前記ポリマーは、正孔移動度および電子移動度を増す構造（すなわち、グループ１および２からの単位）が互いに直接結合している、グループ３からの単位を含む。これらの単位のあるものは、発光体として役立ち、発光色を、緑色、黄色または赤色にシフトさせる。このため、それらの使用は、例えば、元々は青色の発光ポリマーから、他の発光色または広帯域発光を生成させるのに適している。
【０１３８】
好ましくは、ポリマーは、グループ４の単位を含み、これらは、燐光発光体、特に、本発明内で別の箇所に記載されている発光性金属錯体を含む群から好ましくは選択される。
ここでは、８〜１０族の元素（Ｒｕ、Ｏｓ、Ｒｈ、Ｉｒ、Ｐｄ、Ｐｔ）を含む対応する構造単位が特に好ましい。
【０１３９】
好ましくは、前記ポリマーは、グループ５の単位を含み、これらは、１重項状態から３重項状態への転位を増進させることができ、また、グループ４からの構造要素を支えるために用いられ、これらの構造要素の燐光特性を向上させる。この目的に適するのは、特に、ＤＥ１０３０４８１９Ａ１、およびＤＥ１０３２８６２７Ａ１に記載されている、カルバゾールおよび架橋カルバゾール２量体単位である。この目的に同様に適するのは、ＤＥ１０３４９０３３Ａ１に記載されている、ケトン、ホスフィンオキシド、スルホキシド、スルホン、シランの誘導体、および類似の化合物である。好ましいさらなる構造単位は、本発明内で別の箇所に記載されている、低分子量の燐光マトリックスを含む群から選択され得る。
【０１４０】
好ましくは、前記ポリマーは、グループ６の単位を含み、これらの単位は、ポリマーのモルホロジーおよび／または発光色に影響を及ぼし、前記のもの以外では、前記のグループ内に入らない、すなわち、電荷キャリア移動度にほんの僅かな影響を有するにすぎない、有機金属錯体ではない、または１重項−３重項転位に影響を及ぼさない、少なくとも１つのさらなる芳香族または別の共役構造を有する単位である。この種の構造要素は、得られるポリマーのモルホロジーおよび／または発光色に影響を及ぼし得る。したがって、その単位に応じて、それらは、発光体としても用いられ得る。ここでは、６〜４０個のＣ原子を有する芳香族構造が好ましく、または、トラン、スチルベン、またはビススチリルアリーレンの誘導体も好ましく、これらの各々は、１つもしくは複数の基Ｒ１によって置換されていてもよい。ここでは、１，４−フェニレン、１，４−ナフタレン、１，４−もしくは９，１０−アントリレン、１，６−、２，７−もしくは４，９−ピレニレン、３，９−もしくは３，１０−ペリレニレン、４，４’−ビフェニリレン、４，４’’−ターフェニリレン、４，４’−ビ−１，１’−ナフチリレン、４，４’−トラニレン、４，４’−スチルベニレンまたは４，４’’−ビススチリルアリーレンの誘導体を組み入れることが、特に好ましい。
【０１４１】
好ましくは、前記ポリマーは、ポリマー骨格として通常用いられ、６〜４０個のＣ原子を有する芳香族構造を含む、グループ７の単位を含む。これらは、例えば、４，５−ジヒドロピレン誘導体、４，５，９，１０−テトラヒドロピレン誘導体、例えば、ＵＳ５９６２６３１、ＷＯ２００６／０５２４５７Ａ２およびＷＯ２００６／１１８３４５Ａ１に開示されているフルオレン誘導体、例えばＷＯ２００３／０２０７９０Ａ１に開示されている９，９’−スピロビフルオレン誘導体、例えばＷＯ２００５／１０４２６４Ａ１に開示されている９，１０−フェナントレン誘導体、例えばＷＯ２００５／０１４６８９Ａ２に開示されている９，１０−ジヒドロフェナントレン誘導体、５，７−ジヒドロジベンゾオキセピン誘導体、例えば、ＷＯ２００４／０４１９０１Ａ１、ＷＯ２００４／１１３４１２Ａ２に開示されているシス−およびトランス−インデノフルオレン誘導体、例えばＷＯ２００６／０６３８５２Ａ１に開示されているビナフタレン誘導体、ならびに、例えば、ＷＯ２００５／０５６６３３Ａ１、ＥＰ１３４４７８８Ａ１およびＷＯ２００７／０４３４９５Ａ１、ＷＯ２００５／０３３１７４Ａ１、ＷＯ２００３／０９９９０１Ａ１およびＤＥ  １０２００６００３７１０．３に開示されているさらなる単位である。
【０１４２】
グループ７からの好ましいさらなる構造要素は、例えば、ＵＳ５，９６２，６３１、ＷＯ２００６／０５２４５７Ａ２、およびＷＯ２００６／１１８３４５Ａ１に開示されているフルオレン誘導体、例えばＷＯ２００３／０２０７９０Ａ１に開示されているスピロ−ビフルオレン誘導体、例えば、ＷＯ２００５／０５６６３３Ａ１、ＥＰ１３４４７８８Ａ１およびＷＯ２００７／０４３４９５Ａ１に開示されている、ベンゾフルオレン、ジベンゾフルオレン、ベンゾチオフェン、ジベンゾフルオレンおよびこれらの誘導体から選択される。
【０１４３】
グループ７の非常に好ましい構造要素は、式１５のものである。
【化５】
2018029067.tif 000008
【０１４４】
式中、
Ａ、ＢおよびＢ’は、互いに独立に、また複数個が出現する場合には互いに独立に、２価の基であり、好ましくは−ＣＲ１Ｒ２−、−ＮＲ１−、−ＰＲ１−、−Ｏ−、−Ｓ−、−ＳＯ−、−ＳＯ２−、−ＣＯ−、−ＣＳ−、−ＣＳｅ−、−Ｐ（＝Ｏ）Ｒ１−、−Ｐ（＝Ｓ）Ｒ１−、および−ＳｉＲ１Ｒ２−から選択され、
Ｒ１およびＲ２は、互いに独立に、Ｈ、ハロゲン、−ＣＮ、−ＮＣ、−ＮＣＯ、−ＮＣＳ、−ＯＣＮ、−ＳＣＮ、−Ｃ（＝Ｏ）ＮＲ０Ｒ００、−Ｃ（＝Ｏ）Ｘ、−Ｃ（＝Ｏ）Ｒ０、−ＮＨ２、−ＮＲ０Ｒ００、−ＳＨ、−ＳＲ０、−ＳＯ３Ｈ、−ＳＯ２Ｒ０、−ＯＨ、−ＮＯ２、−ＣＦ３、−ＳＦ５、任意に置換されたシリル、または１〜４０個のＣ原子を有するカルビルもしくはヒドロカルビルから選択される互いに同じまたは異なる基であり、これは任意に置換されており、また１個以上のヘテロ原子を任意に含み、任意に、基Ｒ１およびＲ２は、それらが結び付いているフルオレン部分とスピロ基を形成し、
Ｘは、ハロゲンであり、
Ｒ０およびＲ００は、互いに独立に、Ｈ、あるいは１個以上のヘテロ原子を任意に含み、任意に置換された、カルビルもしくはヒドロカルビル基であり、
各ｇは、独立に、０または１であって、同じサブ単位における対応する各ｈは、０または１のもう一方のものであり、
ｍは、整数≧１であり、
Ａｒ１およびＡｒ２は、互いに独立に、単核もしくは多核のアリールまたはヘテロアリールであり、これは、任意に置換され、また、インデノフルオレン基の７，８−位または８，９−位に任意に縮合し、
ａおよびｂは、互いに独立に、０または１である。
【０１４５】
基Ｒ１およびＲ２が、それらが結び付いているフルオレン基とスピロ基を形成する場合、それは、好ましくは、スピロビフルオレンである。
【０１４６】
式１５の基は、好ましくは、次の式１６〜２０から選択される。
【化６】
2018029067.tif 000009
【０１４７】
式中、Ｒ１は、式１５で定義された通りであり、ｒは、０、１、２、３または４であり、Ｒは、Ｒ１の意味の１つを有する。
【０１４８】
Ｒは、好ましくは、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲ０Ｒ００、−Ｃ（＝Ｏ）Ｘ０、−Ｃ（＝Ｏ）Ｒ０、−ＮＲ０Ｒ００、任意に置換されたシリル、４から４０個、好ましくは６から２０個のＣ原子を有するアリールもしくはヘテロリール、または、１から２０個、好ましくは１から１２個のＣ原子を有する、直鎖、分岐状もしくは環状のアルキル、アルコキシ、アルキルカルボニル、アルコキシカルボニル、アルキルカルボニルオキシもしくはアルコキシカルボニルオキシであり、ここで、１個以上のＨ原子は、ＦもしくはＣｌによって任意に置き換えられており、Ｒ０、Ｒ００およびＸ０は、上で定義された通りである。
【０１４９】
式１５の特に好ましい基は、次の式２１〜２４から選択される。
【化７】
2018029067.tif 000010
【０１５０】
式中、
Ｌは、Ｈ、ハロゲン、または任意にフッ素化された、１から１２個のＣ原子を有する線状もしくは分岐状のアルキルまたはアルコキシであり、好ましくは、Ｈ、Ｆ、メチル、ｉ−プロピル、ｔ−ブチル、ｎ−ペントキシ、またはトリフルオロメチルであり、また
Ｌ’は、任意にフッ素化された、１から１２個のＣ原子を有する線状もしくは分岐状のアルキルまたはアルコキシであり、好ましくは、ｎ−オクチルまたはｎ−オクチルオキシである。
【０１５１】
グループ１〜８から選択される１種または複数の単位を同時に含む、本発明における使用に適するポリマーが好ましい。１つのグループからの２種以上の構造単位が同時に存在することも、同様に好ましいことであり得る。
【０１５２】
発光体の構造単位以外に、前記グループからの少なくとも１種の構造単位もまた含む、本発明における使用に適するポリマーが好ましい。少なくとも２種の構造単位は、特に好ましくは、異なる種類の前記単位からのものである。
【０１５３】
ポリマー中に存在する場合、異なる種類のグループの比率は、好ましくは、それぞれの場合において、少なくとも５ｍｏｌ％、特に好ましくは、それぞれの場合において、少なくとも１０ｍｏｌ％である。特に、これらの構造単位の１つが、正孔伝導性単位のグループから選択され、他のグループが発光性単位である場合に対して、これらの２つの機能（正孔伝導および発光）は、同じ単位によってもまた担われ得る。
【０１５４】
しかし、より小さい比率の発光単位、特に緑色−および赤色−発光単位もまた、例えば、白色−発光コポリマーの合成のために、好ましいことであり得る。白色−発光コポリマーを合成できる方法が、ＤＥ１０３４３６０６Ａ１に、詳細に記載されている。
【０１５５】
適切な溶解性を確保するために、繰返し単位当たり、置換基に、平均で少なくとも２個の非芳香族Ｃ原子が存在することが好ましい。ここでは、少なくとも４個のＣ原子が好ましく、少なくとも８個のＣ原子が特に好ましい。さらに、これらの個々のＣ原子は、ＯまたはＳによって置き換えられていてもよい。しかし、これが、ある比率の繰返し単位は、さらなる非芳香族置換基を全くもたないことを意味することは、全く可能である。
【０１５６】
膜のモルホロジーを損なうことを避けるために、線状鎖に１２個を超えるＣ原子を有する長鎖置換基を有さないことが好ましく、特に好ましくは、８個を超えるＣ原子を有するものが全くなく、特に、６個を超えるＣ原子を有するものが全くない。
【０１５７】
前記ポリマーは、統計コポリマー（statistical copolymers）もしくはランダムコポリマー、交互コポリマー（alternating copolymer）もしくは位置規則性コポリマー、ブロックコポリマー、またはこれらの組合せであり得る。
【０１５８】
非常に好ましい実施形態において、ポリマーは、共役ポリマーであり、ここで、上および下に記載されている機能性基は、ポリマー主鎖に統合される。
【０１５９】
別の好ましい実施形態において、ポリマーは、非共役または部分共役ポリマーである。
【０１６０】
特に好ましい実施形態において、前記ポリマーは、主鎖非共役ポリマーであり、この場合、ポリマーは、少なくとも１つの非共役スペーサーを主鎖に含む。特に非常に好ましい非共役または部分共役ポリマーは、非共役骨格単位、または骨格単位の共役を妨げる単位を備える。側鎖非共役ポリマーと同様に、主鎖非共役ポリマーもまた、高い３重項レベルを生じる。
【０１６１】
好ましい非共役骨格単位は、例えば、次の式２５および２６に示され、ＤＥ１０２００９０２３１５６．０に開示されている、インデノフルオレン誘導体を含む単位から選択される。
【化８】
2018029067.tif 000011
【０１６２】
式中、ＸおよびＹは、互いに独立に、Ｈ、Ｆ、１〜４０個のＣ原子を有するアルキル基、２〜４０個のＣ原子を有するアルキレン基、２〜４０個のＣ原子を有するアルキニル基、６〜４０個のＣ原子を有する置換もしくは無置換アリール基、および５〜２５個の原子を有する置換もしくは無置換ヘテロアリール基から選択される。
【０１６３】
好ましいさらなる非共役骨格単位は、例えば、次の式２７〜４０に示され、ＤＥ１０２００９０２３１５４．４に開示されている、フルオレン、フェナントレン、デヒドロフェナントレン、インデノフルオレンの誘導体を含む単位から選択される。
【化９−１】
2018029067.tif 000012
【化９−２】
2018029067.tif 000013
【化１０】
2018029067.tif 000014
【０１６４】
式中、Ｒ１からＲ４は、上で定義された、ＸおよびＹと同じ意味を有する。
【０１６５】
別の好ましい実施形態において、前記ポリマーは、側鎖非共役ポリマーであり、これは、ポリマーに基づく燐光発光にとって特に重要である。一般に、このような燐光ポリマーは、ＵＳ７２５０２２６Ｂ２に開示されるように、ビニル化合物のラジカル共重合によって得られ、少なくとも１種の燐光発光体および少なくとも１種の電荷輸送単位を側鎖に含む。このような燐光ポリマーのさらなる例は、例えば、ＪＰ２００７／２１１２４３Ａ２、ＪＰ２００７／１９７５７４Ａ２、ＵＳ７２５０２２６Ｂ２、ＪＰ２００７／０５９９３９Ａに開示されている。
【０１６６】
さらなる実施形態において、前記ポリマーは、また、蛍光発光のための非共役ポリマーでもあり得る。好ましい１重項非共役ポリマーは、ＪＰ２００５／１０８５５６、ＪＰ２００５／２８５６６１、ＪＰ２００３／３３８３７５などに開示されているように、例えば、アントラセネン（antracenene）、ベンゾアントラセン、およびそれらの誘導体を側鎖に有する側鎖ポリマーである。
【０１６７】
前記ポリマーは、また、ＥＴＭまたはＨＴＭとしても働くことができ、好ましくは、そのポリマーは、非共役ポリマーである。
【０１６８】
本発明での有機機能物質は、また、ホスト物質から選択され得る。ホスト物質は、通常、発光体と組み合わせて用いられ、一般に、発光物質に比べて、ＨＯＭＯとＬＵＭＯの間に、より大きなエネルギーギャップを有する。さらに、ホスト物質は、電子または正孔輸送物質のいずれかとして振舞う。ホスト物質は、また、電子と正孔の両方の輸送特性を有し得る。１重項遷移がＯＬＥＦＣにおける光ルミネセンスを主に担う場合、発光体の吸収スペクトルと、ホスト物質の光ルミネセンススペクトルとの間の最大限の重なりが、非常に望ましい。これにより、ホスト物質から発光体へのエネルギー移動が保証される。
【０１６９】
ホスト物質はまた、特にホストが燐光発光体と組み合わせて用いられようとする場合に、マトリックスまたはマトリックス物質とも呼ばれる。発光体単位を含むコポリマーの場合には、ポリマー骨格がホストとして働く。
【０１７０】
本発明はまた、少なくとも１種のホスト物質と少なくとも１種の発光物質とを含むＯＬＥＦＣにも関し、ホスト物質は、好ましくは、アントラセン、ベンゾアントラセン、ケトン、カルバゾール、トリアリールアミン、インデノフルオレン、フルオレン、スピロビフルオレン、フェナントレン、ジヒドロフェナントレン、チオフェン、トリアジン、イモダゾール（imodazole）、これらの異性体および誘導体から選択される。
【０１７１】
ＯＬＥＦＣは、４、好ましくは３、特に好ましくは２、特に非常に好ましくは１種のホスト物質を含む。
【０１７２】
したがって、前記ＯＬＥＦＣは、また、２種以上のホスト物質も含み得る。ＯＬＥＦＣが２種以上のホスト物質を含む場合、ホスト物質は、また、コ−ホストまたはコ−ホスト物質とも呼ばれる。
【０１７３】
蛍光発光体に適する好ましいホスト物質は、アントラセン、ベンゾアントラセン、インデノフルオレン、フルオレン、スピロビフルオレン、フェナントレン、デヒドロフェナントレン、チオフェン、トリアジン、イミダゾール、およびこれらの誘導体から選択される。
【０１７４】
蛍光発光体に適する好ましいホスト物質は、アントラセン、ベンゾアントラセン、インデノフルオレン、フルオレン、スピロビフルオレン、フェナントレン、デヒドロフェナントレン、チオフェン、トリアジン、およびイミダゾールから選択される。
【０１７５】
蛍光発光体にとって特に好ましいホスト物質は、オリゴアリーレン類（例えば、ＥＰ６７６４６１による２，２’，７，７’−テトラフェニルスピロビフルオレン、またはジナフチルアントラセン）、特に、縮合芳香族基、例えば、フェナントレン、テトラセン、コロネン、クリセン、フルオレン、スピロフルオレン、ペリレン、フタロペリレン、ナフタロペリレン、デカシクレン、ルブレンを含むオリゴアリーレン、オリゴアリーレンビニレン（例えば、ＥＰ６７６４６１による４，４’−ビス（２，２−ジフェニルエテニル）−１，１’−ビフェニル（ＤＰＶＢｉ）または４，４−ビス−２，２−ジフェニルビニル−１，１−スピロビフェニル（スピロ−ＤＰＶＢｉ））、多脚金属錯体（例えば、ＷＯ２００４／０８１０１７による）、特に、８−ヒドロキシキノリンの金属錯体、例えば、アルミニウム（ＩＩＩ）トリス（８−ヒドロキシキノリン）（アルミニウムキノレート、Ａｌｑ３）またはビス（２−メチル−８−キノリノラト）−４−（フェニルフェノリノラト）アルミニウム、また、イミダゾールキレートとの金属錯体（ＵＳ２００７／００９２７５３Ａ１）およびキノリン金属錯体、アミノキノリン金属錯体、ベンゾキノリン金属錯体、正孔伝導性化合物（例えば、ＷＯ２００４／０５８９１１による）、電子伝導性化合物、特に、ケトン、ホスフィンオキシド、スルホキシドなど（例えば、ＷＯ２００５／０８４０８１およびＷＯ２００５／０８４０８２による）、アトロプ異性体（例えば、ＷＯ２００６／０４８２６８による）、ボロン酸誘導体（例えば、ＷＯ２００６／１１７０５２による）またはベンゾアントラセン（例えば、ＤＥ１０２００７０２４８５０）から選択される。特に好ましいホスト物質は、ナフタレン、アントラセン、ベンゾアントラセンおよび／もしくはピレン、またはこれらの化合物のアトロプ異性体を含むオリゴアリーレン、ケトン、ホスフィンオキシド、ならびにスルホキシドの種類から選択される。特に非常に好ましいホスト物質は、アントラセン、ベンゾアントラセンおよび／もしくはピレン、またはこれらの化合物のアトロプ異性体を含むオリゴアリーレン類から選択される。本発明の目的では、オリゴアリーレンは、少なくとも３つのアリールまたはアリーレン基が互いに結合した化合物を意味すると理解されているものとする。
【０１７６】
蛍光発光体にとって好ましいさらなるホスト物質は、特に、式４１の化合物から選択される。
【０１７７】
Ａｒ４−（Ａｒ５）ｐ−Ａｒ６      式４１
式中、
Ａｒ４、Ａｒ５、Ａｒ６は、出現する毎に、同じかまたは異なり、５から３０個の芳香環原子を有するアリールまたはヘテロアリールであり、これは、１つまたは複数の基によって置換されていてもよく、
ｐは、１、２、または３であり、
Ａｒ４、Ａｒ５およびＡｒ６におけるπ−電子の合計は、ｐ＝１の場合、少なくとも３０個であり、ｐ＝２の場合、少なくとも３６個であり、ｐ＝３の場合、少なくとも４２個である。
【０１７８】
式４１のホスト物質において、基Ａｒ５が、１つまたは複数の基Ｒ１によって置換されていてもよいアントラセンを表し、基Ａｒ４およびＡｒ６が９および１０位に結合していることが、特に好ましい。特に非常に好ましくは、基Ａｒ４および／またはＡｒ６の少なくとも１つが、１−もしくは２−ナフチル、２−、３−もしくは９−フェナントレニル、または２−、３−、４−、５−、６−もしくは７−ベンゾアントラセニルから選択される縮合アリール基であり、これらの各々は、１つまたは複数の基Ｒ１によって置換されていてもよい。アントラセン系化合物は、ＵＳ２００７／００９２７５３Ａ１およびＵＳ２００７／０２５２５１７Ａ１に記載されており、例えば、２−（４−メチルフェニル）−９，１０−ジ−（２−ナフチル）アントラセン、９−（２−ナフチル）−１０−（１，１’−ビフェニル）アントラセンおよび９，１０−ビス［４−（２，２−ジフェニルエテニル）フェニル］アントラセン、９，１０−ジフェニルアントラセン、９，１０−ビス（フェニルエチニル）アントラセン、ならびに１，４−ビス（９’−エチニルアントラセニル）ベンゼンである。２つのアントラセン単位を含むホスト物質（ＵＳ２００８／０１９３７９６Ａ１）、例えば、１０，１０’−ビス［１，１’，４’，１’’］ターフェニル−２−イル−９，９’−ビスアントラセニルもまた好ましい。
【０１７９】
好ましいさらなるホスト物質は、アリールアミン、スチリルアミン、フルオレセイン、ペリノン、フタロペリノン、ナフタロペリノン、ジフェニルブタジエン、テトラフェニルブタジエン、シクロペンタジエン、テトラフェニルシクロペンタジエン、ペンタフェニルシクロペンタジエン、クマリン、オキサジアゾール、ビスベンゾオキサゾリン、オキサゾン、ピリジン、ピラジン、イミン、ベンゾチアゾール、ベンゾオキサゾール、ベンゾイミダゾール（ＵＳ２００７／００９２７５３Ａ１）の誘導体、例えば、２，２’，２’’−（１，３，５−フェニレン）トリス［１−フェニル−１Ｈ−ベンゾイミダゾール］、アルダジン、スチルベン、スチリルアリーレンの誘導体、例えば、９，１０−ビス［４−（２，２−ジフェニルエテニル）フェニル］アントラセン、およびジスチリルアリーレン誘導体（ＵＳ５１２１０２９）、ジフェニルエチレン、ビニルアントラセン、ジアミノカルバゾール、ピラン、チオピラン、ジケトピロロピロール、ポリメチン、メロシアニン、アクリドン、キナクリドン、ケイ皮酸エステル、および蛍光染料である。
【０１８０】
アリールアミンおよびスチリルアミンの誘導体、例えば、４，４’−ビス［Ｎ−（１−ナフチル）−Ｎ−（２−ナフチル）アミノ］ビフェニル（ＴＮＢ）が、特に好ましい。
【０１８１】
蛍光発光体のためのホストとして好ましい、オリゴアリーレンを有する化合物は、例えば、ＵＳ２００３／００２７０１６Ａ１、ＵＳ７３２６３７１Ｂ２、ＵＳ２００６／０４３８５８Ａ、ＵＳ７３２６３７１Ｂ２、ＵＳ２００３／００２７０１６Ａ１、ＷＯ２００７／１１４３５８、ＷＯ２００８／１４５２３９、ＪＰ３１４８１７６Ｂ２、ＥＰ１００９０４４、ＵＳ２００４／０１８３８３、ＷＯ２００５／０６１６５６Ａ１、ＥＰ０６８１０１９Ｂ１、ＷＯ２００４／０１３０７３Ａ１、ＵＳ５０７７１４２、ＷＯ２００７／０６５６７８、およびＵＳ２００７／０２０５４１２Ａ１に開示されている化合物である。特に好ましいオリゴアリーレン系化合物は、式４２から４８を有する化合物である。
【化１１−１】
2018029067.tif 000015
【化１１−２】
2018029067.tif 000016
【０１８２】
蛍光発光体のためのさらなるホスト物質は、スピロビフルオレンおよびこれらの誘導体、例えば、ＥＰ０６７６４６１に開示されているスピロ−ＤＰＶＢｉ、およびＵＳ６５６２４８５に開示されているインデノフルオレンから選択され得る。
【０１８３】
燐光発光体のための好ましいホスト物質、すなわち、マトリックス物質は、ケトン、カルバゾール、インドロカルバゾール、トリアリールアミン、インデノフルオレン、フルオレン、スピロビフルオレン、フェナトレン（phenathrene）、デヒドロフェナントレン、チオフェン、トリアジン、イミダゾールおよびこれらの誘導体から選択される。いくつかの好ましい誘導体が、下でより詳細に記載される。
【０１８４】
燐光発光体が用いられる場合、ホスト物質は、蛍光発光体のために用いられるホスト物質に比べて、かなり異なる特徴を満たさなければならない。燐光発光体のために用いられるホスト物質は、発光体の３重項レベルに比べて、エネルギーにおいて、より高い３重項レベルを有することが必要である。ホスト物質は、電子もしくは正孔のいずれか、またはこれらの両方を輸送できる。さらに、発光体は、１重項−３重項の混合を十分に容易にするために、大きなスピン−軌道カップリング定数を有すると仮定される。これは、金属錯体を用いることによって可能になり得る。
【０１８５】
好ましいマトリックス物質は、Ｎ，Ｎ−ビスカルバゾリルビフェニル（ＣＢＰ）、カルバゾール誘導体（例えば、ＷＯ２００５／０３９２４６、ＵＳ２００５／００６９７２９、ＪＰ２００４／２８８３８１、ＥＰ１２０５５２７もしくはＤＥ１０２００７００２７１４による）、アザカルバゾール（例えば、ＥＰ１６１７７１０、ＥＰ１６１７７１１、ＥＰ１７３１５８４、ＪＰ２００５／３４７１６０による）、ケトン（例えば、ＷＯ２００４／０９３２０７による）、ホスフィンオキシド、スルホキシドおよびスルホン（例えば、ＷＯ２００５／００３２５３による）、オリゴフェニレン、芳香族アミン（例えば、ＵＳ２００５／００６９７２９による）、双極性マトリックス物質（例えば、ＷＯ２００７／１３７７２５による）、シラン（例えば、ＷＯ２００５／１１１１７２による）、９，９−ジアリールフルオレン誘導体（例えば、ＤＥ１０２００８０１７５９１による）、アザボロールまたはボロン酸エステル（例えば、ＷＯ２００６／１１７０５２による）、トリアゾール誘導体、オキサゾールおよびオキサゾール誘導体、イミダゾール誘導体、ポリアリールアルカン誘導体、ピラゾリン誘導体、ピラゾロン誘導体、ジスチリルピラジン誘導体、チオピランジオキシド誘導体、フェニレンジアミン誘導体、第３級芳香族アミン、スチリルアミン、インドール、アントロン誘導体、フルオレノン誘導体、フルオレニリデンメタン誘導体、ヒドラゾン誘導体、シラザン誘導体、芳香族ジメチリデン化合物、ポルフィリン化合物、カルボジイミド誘導体、ジフェニルキノン誘導体、フタロシアニン誘導体、８−ヒドロキシキノリン誘導体の金属錯体、例えば、Ａｌｑ３、（この８−ヒドロキシキノリン錯体は、また、トリアリールアミノフェノール配位子を含み得る（ＵＳ２００７／０１３４５１４Ａ１））、配位子として金属フタロシアニン、ベンゾオキサゾールもしくはベンゾチアゾールを有する様々な金属錯体−ポリシラン化合物、正孔伝導性ポリマー、例えば、ポリ（Ｎ−ビニルカルバゾール）（ＰＶＫ）、アニリンコポリマー、チオフェンオリゴマー、ポリチオフェン、ポリチオフェン誘導体、ポリフェニレン誘導体、ポリフルオレン誘導体である。
【０１８６】
特に好ましいさらなるマトリックス物質は、例えば、ＤＥ１０２００９０２３１５５．２、ＥＰ０９０６９４７Ｂ１、ＥＰ０９０８７８７Ｂ１、ＥＰ９０６９４８Ｂ１、ＷＯ２００８／０５６７４６Ａ１、ＷＯ２００７／０６３７５４Ａ１、ＷＯ２００８／１４６８３９Ａ１、およびＷＯ２００８／１４９６９１Ａ１に開示されている、インドロカルバゾールおよびそれらの誘導体（例えば、式４９から５５）を含む化合物から選択される。
【化１２−１】
2018029067.tif 000017
【化１２−２】
2018029067.tif 000018
【０１８７】
好ましいカルバゾール誘導体の例は、１，３−Ｎ，Ｎ−ジカルバゾールベンゼン（＝９，９’−（１，３−フェニレン）ビス−９Ｈ−カルバゾール）（ｍＣＰ）、９，９’−（２，２’−ジメチル［１，１’−ビフェニル］−４，４’−ジイル）ビス−９Ｈ−カルバゾール（ＣＤＢＰ）、１，３−ビス（Ｎ，Ｎ’−ジカルバゾ−ル）ベンゼン（＝１，３−ビス（カルバゾール−９−イル）ベンゼン）、ＰＶＫ（ポリビニルカルバゾール）、３，５−ジ（９Ｈ−カルバゾール−９−イル）ビフェニル、および式５６から６０の化合物である。
【化１３−１】
2018029067.tif 000019
【化１３−２】
2018029067.tif 000020
【０１８８】
好ましいＳｉテトラアリール化合物は、例えば、（ＵＳ２００４／０２０９１１５、ＵＳ２００４／０２０９１１６、ＵＳ２００７／００８７２１９Ａ１、ＵＳ２００７／００８７２１９Ａ１）式６１から６６の化合物である。
【化１４−１】
2018029067.tif 000021
【化１４−２】
2018029067.tif 000022
【０１８９】
燐光ドーパントにとって特に好ましいマトリックスは、式６７の化合物である（ＥＰ６５２２７３Ｂ１）。
【化１５】
2018029067.tif 000023
【０１９０】
燐光ドーパントにとって特に好ましいさらなるマトリックス物質は、一般式６８の化合物から選択される（ＥＰ１９２３４４８Ａ１）。
【０１９１】
［Ｍ（Ｌ）２］ｎ          式６８
式中、Ｍ、Ｌ、およびｎは、前記文献と同じ定義である。好ましくは、ＭはＺｎであり、Ｌはキノリネートであり、ｎは、２、３または４である。特に非常に好ましいのは、［Ｚｎｑ２］２、［Ｚｎｑ２］３、および［Ｚｎｑ２］４である。
【０１９２】
金属オキシノイド錯体から選択されるコ−ホストが好ましく、リチウムキノレート（Ｌｉｑ）またはＡｌｑ３が特に好ましい。
【０１９３】
発光体化合物は、ホスト化合物に比べて、より小さいバンドギャップを有することが求められる。一般に、より小さいバンドギャップは、共役分子系のπ−電子系を広げることによって実現できる。そのため、発光体化合物は、ホスト分子より広がった共役π−電子系を有する傾向がある。多くの例、例えば、ＪＰ２９１３１１６ＢおよびＷＯ２００１／０２１７２９Ａ１に開示されているスチリルアミン誘導体、ならびに、ＷＯ２００８／００６４４９およびＷＯ２００７／１４０８４７に開示されているインデノフルオレン誘導体が、公開されている。
【０１９４】
本発明の別の主題は、正孔輸送物質（ＨＴＭ）、正孔注入物質（ＨＩＭ）、電子輸送物質（ＥＴＭ）、および電子注入物質（ＥＩＭ）から選択される、少なくとも１種のさらなる機能物質を含む前記ＯＬＥＦＣに関する。
【０１９５】
有機機能物質は、正孔輸送物質（ＨＴＭ）から選択され得る。ＨＴＭは、それが、正孔注入物質またはアノードから注入される正孔（すなわち、正電荷）を輸送することができる物質または単位であることに特徴がある。ＨＴＭは、通常、高く、典型的には−５．４ｅＶより高い、ＨＯＭＯを有する。多くの場合、ＨＩＭは、また、隣接層に応じて、ＨＴＭとしても機能し得る。
【０１９６】
本発明によるＯＬＥＦＣは、４、好ましくは３、特に好ましくは２、特に非常に好ましくは１種のＨＴＭを含む。
【０１９７】
有機機能物質は、正孔注入物質（ＨＩＭ）から選択され得る。ＨＩＭは、正孔（すなわち、正電荷）がアノードから有機層へ注入されることを容易にすることができる物質または単位を表す。通常、ＨＩＭは、アノードの仕事関数に匹敵する、またはより高いＨＯＭＯレベル、すなわち、−５．３ｅＶ以上を有する。
【０１９８】
本発明によるＯＬＥＦＣは、４、好ましくは３、特に好ましくは２、特に非常に好ましくは１種のＨＩＭを含む。
【０１９９】
有機機能物質は、電子輸送物質（ＥＴＭ）から選択され得る。ＥＴＭは、ＥＩＭまたはカソードから注入される電子（すなわち、負電荷）を輸送することができる物質を表す。
ＥＴＭは、通常、低く、典型的には−２．７ｅＶより低いＬＵＭＯを有する。
【０２００】
本発明によるＯＬＥＦＣは、４、好ましくは３、特に好ましくは２、特に非常に好ましくは１種のＥＴＭを含む。
【０２０１】
有機機能物質は、電子注入物質（ＥＩＭ）から選択され得る。ＥＩＭは、電子（すなわち、負電荷）がカソードから有機層に注入されることを容易にすることができる物質を表す。ＥＩＭは、通常、カソードの仕事関数に匹敵する、またはより低いＬＵＭＯレベルを有する。典型的には、ＥＩＭは、−２．６ｅＶより低いＬＵＭＯを有する。
【０２０２】
本発明によるＯＬＥＦＣは、４、好ましくは３、特に好ましくは２、特に非常に好ましくは１種のＥＩＭを含む。
【０２０３】
原則として、当業者に知られている如何なるＨＴＭも、本発明によるＯＬＥＦＣに用いることができる。本明細書において別の箇所で挙げられているＨＴＭに付言すると、ＨＴＭは、好ましくは、アミン、トリアリールアミン、チオフェン、カルバゾール、フタロシアニン、ポルフィリン、これらの異性体および誘導体から選択される。ＨＴＭは、特に好ましくは、アミン、トリアリールアミン、チオフェン、カルバゾール、フタロシアニン、およびポルフィリンから選択される。
【０２０４】
正孔輸送層に適する物質は、フェニレンジアミン誘導体（ＵＳ３６１５４０４）、アリールアミン誘導体（ＵＳ３５６７４５０）、アミノ置換カルコン誘導体（ＵＳ３５２６５０１）、スチリルアントラセン誘導体（ＪＰ  Ａ５６−４６２３４）、多環芳香族化合物（ＥＰ１００９０４１）、ポリアリールアルカン誘導体（ＵＳ３６１５４０２）、フルオレノン誘導体（ＪＰ  Ａ５４−１１０８３７）、ヒドラゾン誘導体（ＵＳ３７１７４６２）、スチルベン誘導体（ＪＰ  Ａ６１−２１０３６３）、シラザン誘導体（ＵＳ４９５０９５０）、ポリシラン（ＪＰ  Ａ２−２０４９９６）、アニリンコポリマー（ＪＰ  Ａ２−２８２２６３）、チオフェンオリゴマー、ポリチオフェン、ＰＶＫ、ポリピロール、ポリアニリンおよびさらなるコポリマー、ポルフィリン化合物（ＪＰ  Ａ６３−２９５６９６５）、芳香族ジメチリデン型化合物、カルバゾール化合物、例えば、ＣＤＢＰ、ＣＢＰ、ｍＣＰ、芳香族第３級アミンおよびスチリルアミン化合物（ＵＳ４１２７４１２）、ならびに、モノメリックトリアリールアミン（ＵＳ３１８０７３０）である。さらに多くのトリアリールアミノ基もまた、その分子中に存在し得る。
【０２０５】
少なくとも２つの第３級アミン単位を含む芳香族第３級アミン（ＵＳ４７２０４３２およびＵＳ５０６１５６９）、例えば、４，４’−ビス［Ｎ−（１−ナフチル）−Ｎ−フェニルアミノ］ビフェニル（ＮＰＤ）（ＵＳ５０６１５６９）またはＭＴＤＡＴＡ（ＪＰ  Ａ４−３０８６８８）、Ｎ，Ｎ，Ｎ’，Ｎ’−テトラ（４−ビフェニル）ジアミノビフェニレン（ＴＢＤＢ）、１，１−ビス（４−ジ−ｐ−トリルアミノフェニル）シクロヘキサン（ＴＡＰＣ）、１，１−ビス（４−ジ−ｐ−トリルアミノフェニル）−３−フェニルプロパン（ＴＡＰＰＰ）、１，４−ビス［２−［４−［Ｎ，Ｎ−ジ（ｐ−トリル）アミノ］フェニル］ビニル］ベンゼン（ＢＤＴＡＰＶＢ）、Ｎ，Ｎ，Ｎ’，Ｎ’−テトラ−ｐ−トリル−４，４’−ジアミノビフェニル（ＴＴＢ）、ＴＰＤ、Ｎ，Ｎ，Ｎ’，Ｎ’−テトラフェニル−４，４’’’−ジアミノ−１，１’：４’，１’’：４’’，１’’’−クアテルフェニル、同様に、カルバゾール単位を含む第３級アミン、例えば、４（９Ｈ−カルバゾル−９−イル）−Ｎ，Ｎ−ビス［４−（９Ｈ−カルバゾル−９−イル）フェニル］ベンゼンアミン（ＴＣＴＡ）が好ましい。同様に、ＵＳ２００７／００９２７５５Ａ１による、ヘキサアザトリフェニレン化合物も好ましい。
【０２０６】
式６９から７４の次のトリアリールアミン化合物が特に好ましく、これらは、また、置換されていてもよく、ＥＰ１１６２１９３Ａ１、ＥＰ６５０９５５Ａ１、Ｓｙｎｔｈ．Ｍｅｔａｌｓ  １９９７、９１（１−３）、２０９、ＤＥ１９６４６１１９Ａ１、ＷＯ２００６／１２２６３０Ａ１、ＥＰ１８６００９７Ａ１、ＥＰ１８３４９４５Ａ１、ＪＰ０８０５３３９７Ａ、ＵＳ６２５１５３１Ｂ１、およびＷＯ２００９／０４１６３５に開示されている。
【化１６−１】
2018029067.tif 000024
【化１６−２】
2018029067.tif 000025
【０２０７】
本明細書において別の箇所で挙げられているＨＩＭに付言すると、適切なＨＩＭは、フェニレンジアミン誘導体（ＵＳ３６１５４０４）、アリールアミン誘導体（ＵＳ３５６７４５０）、アミノ置換カルコン誘導体（ＵＳ３５２６５０１）、スチリルアントラセン誘導体（特開昭５４−１１０８３７）、ヒドラゾン誘導体（ＵＳ３７１７４６２）、アシルヒドラゾン、スチルベン誘導体、（特開昭６１−２１０３６３）、シラザン誘導体（ＵＳ４９５０９５０）、ポリシラン化合物（特開平２−２０４９９６）、ＰＶＫおよび他の導電性巨大分子、アニリン系コポリマー（特開平２−２８２２６３）、導電性巨大分子チオフェンオリゴマー（特開平１−２１１３９９）、ＰＥＤＯＴ：ＰＳＳ（スピンコーティングされるポリマー）、プラズマ蒸着フルオロカーボンポリマー（ＵＳ６１２７００４、ＵＳ６２０８０７５、ＵＳ６２０８０７７）、ポルフィリン化合物（特開昭６３−２９５６９６５、ＵＳ４７２０４３２）、芳香族第３級アミンおよびスチリルアミン（ＵＳ４１２７４１２）、ベンジジン型のトリフェニルアミン、スチリルアミン型のトリフェニルアミン、およびジアミン型のトリフェニルアミンである。アリールアミンデンドリマーもまた用いることができ（特開平８−１９３１９１）、同様にフタロシアニン誘導体も用いることができ、ナフタロシアニン誘導体またはブタジエン誘導体もまた適切である。
【０２０８】
好ましくは、ＨＩＭは、アミン、トリアリールアミン、チオフェン、カルバゾール、フタロシアニン、ポルフィリンおよびこれらの誘導体を含むモノメリック有機化合物から選択される。
【０２０９】
第３級芳香族アミン（ＵＳ２００８／０１０２３１１Ａ１）、例えば、Ｎ，Ｎ’−ジフェニル−Ｎ，Ｎ’−ジ（３−トリル）ベンジジン（＝４，４’−ビス［Ｎ−３−メチルフェニル］−Ｎ−フェニルアミノ）ビフェニル（ＮＰＤ）（ＵＳ５０６１５６９）、Ｎ，Ｎ’−ビス（Ｎ，Ｎ’−ジフェニル−４−アミノフェニル）−Ｎ，Ｎ−ジフェニル−４，４’−ジアミノ−１，１’−ビフェニル（ＴＰＤ２３２）および４，４’，４’’−トリス［３−メチルフェニル）フェニルアミノ］−トリフェニルアミン（ＭＴＤＡＴＡ）（特開平４−３０８６８８）またはフタロシアニン誘導体（例えば、Ｈ２Ｐｃ、ＣｕＰｃ、ＣｏＰｃ、ＮｉＰｃ、ＺｎＰｃ、ＰｄＰｃ、ＦｅＰｃ、ＭｎＰｃ、ＣｌＡｌＰｃ、ＣｌＧａＰｃ、ＣｌＩｎＰｃ、ＣｌＳｎＰｃ、Ｃｌ２ＳｉＰｃ、（ＨＯ）ＡｌＰｃ、（ＨＯ）ＧａＰｃ、ＶＯＰｃ、ＴｉＯＰｃ、ＭｏＯＰｃ、ＧａＰｃ−Ｏ−ＧａＰｃ）が特に好ましい。
【０２１０】
式７５（ＴＰＤ２３２）、２、３、および４の次のトリアリールアミン化合物（これらは、また、置換されていてもよい）、ならびに、ＵＳ７３９９５３７Ｂ２、ＵＳ２００６／００６１２６５Ａ１、ＥＰ１６６１８８８Ａ１、およびＪＰ０８２９２５８６Ａに開示されているさらなる化合物が特に好ましい。正孔注入物質として適切であるさらなる化合物が、ＥＰ０８９１１２１Ａ１およびＥＰ１０２９９０９Ａ１に開示されている。
【化１７−１】
2018029067.tif 000026
【化１７−２】
2018029067.tif 000027
【０２１１】
原理的に、当業者に知られている如何なるＥＴＭも、本発明により用いることができる。本明細書において別の箇所で挙げられているＥＴＭに付言すると、適切なＥＴＭは、イミダゾール、ピリジン、ピリミジン、ピリダジン、ピラジン、オキサジアゾール、キノリン、キノキサリン、アントラセン、ベンゾアントラセン、ピレン、ペリレン、ベンゾイミダゾール、トリアジン、ケトン、ホスフィンオキシド、フェナジン、フェナントロリン、トリアリールボラン、これらの異性体および誘導体から選択される。
【０２１２】
適切なさらなるＥＴＭは、イミダゾール、ピリジン、ピリミジン、ピリダジン、ピラジン、オキサジアゾール、キノリン、キノキサリン、アントラセン、ベンゾアントラセン、ピレン、ペリレン、ベンゾイミダゾール、トリアジン、ケトン、ホスフィンオキシド、フェナジン、フェナントロリン、およびトリアリールボランから選択される。
【０２１３】
適切なさらなるＥＴＭは、８−ヒドロキシキノリンの金属キレート（例えば、Ｌｉｑ、Ａｌｑ３、Ｇａｑ３、Ｍｇｑ２、Ｚｎｑ２、Ｉｎｑ３、Ｚｒｑ４）、Ｂａｌｑ、４−アザフェナントレン−５−オール／Ｂｅ錯体（ＵＳ５５２９８５３Ａ；例えば、式７９）、ブタジエン誘導体（ＵＳ４３５６４２９）、複素環式蛍光発光剤（optical brightener）（ＵＳ４５３９５０７）、ベンゾアゾール、例えば、１，３，５−トリス（２−Ｎ−フェニルベンゾイミダゾリル）ベンゼン（ＴＰＢＩ）（ＵＳ５７６６７７９、式８０）、１，３，５−トリアジン、ピレン、アントラセン、テトラセン、フルオレン、スピロビフルオレン、デンドリマー、テトラセン、例えば、ルブレン誘導体、１，１０−フェナントロリン誘導体（ＪＰ２００３／１１５３８７、ＪＰ２００４／３１１１８４、ＪＰ２００１／２６７０８０、ＷＯ２００２／０４３４４９）、シラシル（silacyl）−シクロペンタジエン誘導体（ＥＰ１４８０２８０、ＥＰ１４７８０３２、ＥＰ１４６９５３３）、ピリジン誘導体（ＪＰ２００４／２００１６２  Ｋｏｄａｋ）、フェナントロリン、例えば、ＢＣＰおよびＢｐｈｅｎ、さらに、ビフェニルもしくは他の芳香族基を通じて結合した多数のフェナントロリン（ＵＳ２００７／０２５２５１７Ａ１）またはアントラセンに結合したフェナントロリン（ＵＳ２００７／０１２２６５６Ａ１、例えば、式８１および８２）、１，３，４−オキサジアゾール、例えば式８３、トリアゾール、例えば式８４、トリアリールボラン、例えば、Ｓｉもまた含むもの（例えば、式６４）、ベンゾイミダゾール誘導体および他のＮ複素環式化合物（参照、ＵＳ２００７／０２７３２７２Ａ１）、シラシクロペンタジエン誘導体、ボラン誘導体、Ｇａオキシノイド錯体から選択される。
【０２１４】
２，９，１０−置換アントラセン（１−または２−ナフチルおよび４−もしくは３−ビフェニルを有する）、または、２つのアントラセン単位を含む分子（ＵＳ２００８／０１９３７９６Ａ１）が好ましい。
【化１８】
2018029067.tif 000028
【０２１５】
同様に、ＵＳ６８７８４６９Ｂ２、ＵＳ２００６／１４７７４７Ａ、およびＥＰ１５５１２０６Ａ１に開示されている、アントラセン−ベンゾイミダゾール誘導体、例えば、式８５から８７の化合物も好ましい。
【化１９】
2018029067.tif 000029
【０２１６】
原理的に、当業者に知られている如何なるＥＩＭも、本発明により用いることができる。本明細書において他の箇所で挙げられているＥＩＭに付言すると、適切なＥＩＭは、８−ヒドロキシキノリンの金属錯体、複素環式有機化合物、フルオレノン、フルオレニリデンメタン、ペリレンテトラカルボン酸、アントラキノンジメタン、ジフェノキノン、アントロン、アントラキノンジエチレン−ジアミン、これらの異性体および誘導体から選択される少なくとも１種の有機化合物を含み、本発明により用いることができる。
【０２１７】
８−ヒドロキシキノリンの金属錯体、例えば、Ａｌｑ３およびＧａｑ３は、電子注入層のためのＥＩＭとして用いることができる。カソードに対する境界で、アルカリ金属またはアルカリ土類金属、例えば、Ｌｉ、Ｃｓ、ＣａまたはＭｇによる還元性ドーピングは、利点がある。Ｃｓを含む組合せ、例えば、ＣｓおよびＮａ、ＣｓおよびＫ、ＣｓおよびＲｂ、またはＣｓ、ＮａおよびＫが好ましい。
【０２１８】
複素環式有機化合物、例えば、１，１０−フェナントロリン誘導体、ベンゾイミダゾール、チオピランジオキシド、オキサゾール、トリアゾール、イミダゾールまたはオキサジアゾールも、同様に適切である。窒素を含む適切な５員環の例は、オキサゾール、チアゾール、オキサジアゾール、チアジアゾール、トリアゾール、およびＵＳ２００８／０１０２３１１Ａ１に開示されている化合物である。
【０２１９】
好ましいＥＩＭは、式８８から９０を有する化合物から選択され、これらは、置換されていても、無置換であってもよい。
【化２０】
2018029067.tif 000030
【０２２０】
有機化合物、例えば、フルオレノン、フルオレニリデンメタン、ペリレンテトラカルボン酸、アントラキノンジメタン、ジフェノキノン、アントロンおよびアントラキノンジエチレンジアミンもまた用いることができ、例えば、次の式のものがある。
【化２１】
2018029067.tif 000031
【０２２１】
本発明によるＯＬＥＦＣは、少なくとも１種のイオン種を含み得る。好ましくは、この少なくとも１種のイオン種は、移動性である。少なくとも１種のイオン種は、低分子、ポリマー、オリゴマー、デンドリマー、ブレンド、および／またはこれらの混合物から選択され得る。
【０２２２】
好ましい実施形態において、ＯＬＥＦＣは、Ｋ＋Ａ−の形態の少なくとも１種のイオン性有機エレクトロルミネセンス化合物を含み得るが、ここで、Ｋ＋またはＡ−のいずれかは、発光性有機物質であり、Ｋ＋およびＡ−は、それぞれ、カチオンおよびアニオンを表す。ＯＬＥＦＣは、好ましくは３、特に好ましくは２、特に非常に好ましくは１種の式Ｋ＋Ａ−の化合物を含む。
【０２２３】
好ましくは、イオン性物質は、発光性有機物質と同じ溶媒に可溶である。これにより、前記発光物質とイオン性物質とを含む混合物の調製が容易になる。通常、発光性有機物質は、一般的な有機溶媒、例えば、トルエン、アニソール、クロロホルムに可溶である。
【０２２４】
好ましくは、前記イオン性物質は、室温で固体であり、特に好ましくは、前記イオン性物質は、室温で固体であって、３０〜３７℃で軟化する。
【０２２５】
好ましくは、前記イオン種は、カチオンである。適切な無機カチオンＫ＋は、例えばＫ＋（カリウム）およびＮａ＋から選択できる。適切な有機カチオンＫ＋は、式９３から９７に示されているアンモニウム−、ホスホニウム、チオウロニウム−、グアニジニウムカチオン、または式９８から１２５に示されている複素環式カチオンから選択され得る。
【化２２】
2018029067.tif 000032
【０２２６】
式中、
Ｒ１からＲ６は、互いに独立に、１〜２０個のＣ原子を有する線状もしくは多分岐状（hyperbranched）アルキル残基、２〜２０個のＣ原子および１つまたは複数の非共役２重結合を有する線状もしくは多分岐状アルケニル残基、２〜２０個のＣ原子および１つまたは複数の非共役３重結合を有する線状もしくは多分岐状アルキニル残基、３〜７個のＣ原子を有する飽和、部分飽和もしくは完全飽和シクロアルキル（これは、１〜６個のＣ原子を有するアルキル基によりさらに置換されていてもよい）から選択でき、ここで、１つまたは複数の置換基Ｒは、ハロゲン、特に、−Ｆおよび／または−Ｃｌにより部分的もしくは完全に置換されていてもよく、あるいは、−ＯＲ’、−ＣＮ、−Ｃ（Ｏ）ＯＨ、−Ｃ（Ｏ）ＮＲ’２、−ＳＯ２ＮＲ’２、−ＳＯ２ＯＨ、−ＳＯ２Ｘ、−ＮＯ２により部分的に置換されていてもよく、Ｒ１からＲ６の非隣接、非α−炭素原子の１個または２個は、−Ｏ−、−Ｓ−、−Ｓ（Ｏ）−、−ＳＯ２−、−Ｎ＋Ｒ’２−、−Ｃ（Ｏ）ＮＲ’−、−ＳＯ２ＮＲ’−、および−Ｐ（Ｏ）Ｒ’−から選択される基により置換されていてもよく、式中、Ｒ’＝Ｈ、無置換または−Ｆにより部分的もしくは完全に置換されたＣ１〜Ｃ６−アルキル、Ｃ３〜Ｃ７−シクロアルキル、無置換もしくは置換フェニルであり、また、Ｘ＝ハロゲンである。
【０２２７】
式９３において、Ｒ１〜Ｒ４はＨであってもよいが、但し、残基Ｒ１〜Ｒ４の少なくとも１つはＨでない。式９４において、Ｒ１〜Ｒ４は、ＨおよびＮＲ’２であってよく、式中、Ｒ’は、上と同じ定義である。式９５において、Ｒ１〜Ｒ５はＨであり得る。式９６において、Ｒ１〜Ｒ６は、Ｈ、ＣＮ、およびＮＲ’２であってよく、Ｒ’は、上と同じ定義である。
【化２３】
2018029067.tif 000033
【化２４】
2018029067.tif 000034
【０２２８】
式中、置換基Ｒ１’からＲ４’は、互いに独立に、Ｈ、ＣＮ、１〜２０個のＣ原子を有する線状および分岐状アルキル残基、２〜２０個のＣ原子および１つまたは複数の非共役２重結合を有する線状および分岐状アルケニル残基、２〜２０個のＣ原子および１つまたは複数の非共役３重結合を有する線状および分岐状アルキニル残基、３〜７個のＣ原子を有する部分もしくは完全不飽和シクロアルキル残基（これは、１〜６個のＣ原子を有するアルキル残基により置換されていてもよい）、飽和および部分もしくは完全不飽和ヘテロアリール、ヘテロアリール−Ｃ１−Ｃ６−アルキル、または、アルキル−Ｃ１−Ｃ６−アルキルから選択され、置換基Ｒ１’、Ｒ２’、Ｒ３’および／またはＲ４’は、一緒に環を形成していてもよく、置換基Ｒ１’〜Ｒ４’の１つまたは複数は、ハロゲン、特に、−Ｆおよび／もしくは−Ｃｌ、ならびに、−ＯＲ’、−ＣＮ、−Ｃ（Ｏ）ＯＨ、−、Ｃ（Ｏ）ＮＲ’２、−ＳＯ２ＮＲ’２、−Ｃ（Ｏ）Ｘ、−ＳＯ２ＯＨ、−ＳＯ２Ｘ、−ＮＯ２により部分的または完全に置換されていてもよく、置換基Ｒ１’およびＲ４’は、ハロゲンにより同時には置換されておらず、置換基Ｒ１’およびＲ２’の１個または２個の炭素原子（これらは、隣接していない、またはヘテロ原子に結合していない）は、−Ｏ−、−Ｓ−、−Ｓ（Ｏ）−、−ＳＯ２−、−Ｎ＋Ｒ’２−、−Ｃ（Ｏ）ＮＲ’−、−ＳＯ２ＮＲ’−、および−Ｐ（Ｏ）Ｒ’−から選択される基によって置換されていてもよく、式中、Ｒ’＝Ｈ、無置換または−Ｆにより部分的もしくは完全に置換された１〜６個のＣ原子を有するアルキル、３〜７個のＣ原子を有するシクロアルキル、無置換もしくは置換フェニルであり、また、Ｘ＝ハロゲンである。
【０２２９】
−ＯＲ’、−ＮＲ’２、−Ｃ（Ｏ）ＯＨ、−Ｃ（Ｏ）ＮＲ’２、−ＳＯ２ＮＲ’２、−ＳＯ２ＯＨ、−ＳＯ２Ｘ、および−ＮＯ２から選択されるＲ２’が好ましい。
【０２３０】
好ましいさらなるイオン性物質が、例えばＵＳ２００７／０２６２６９４Ａ１に開示されている。
【０２３１】
特に好ましいさらなるイオン性物質は、式１２６によって表される構造を有するカチオンを含む。それらには、Ｎ，Ｎ，Ｎ−トリメチルブチルアンモニウムイオン、Ｎ−エチル−Ｎ，Ｎ−ジメチル−プロピルアンモニウムイオン、Ｎ−エチル−Ｎ，Ｎ−ジメチルブチルアンモニウムイオン、Ｎ，Ｎ，−ジメチル−Ｎ−プロピルブチルアンモニウムイオン、Ｎ−（２−メトキシエチル）−Ｎ，Ｎ−ジメチルエチルアンモニウムイオン、１−エチル−３−メチルイミダゾリウムイオン、１−エチル−２，３−ジメチルイミダゾリウムイオン、１−エチル−３，４−ジメチルイミダゾリウムイオン、１−エチル−２，３，４−トリメチルイミダゾリウムイオン、１−エチル−２，３，５−トリメチルイミダゾリウムイオン、Ｎ−メチル−Ｎ−プロピルピロリジニウムイオン、Ｎ−ブチル−Ｎ−メチルピロリジニウムイオン、Ｎ−ｓｅｃ−ブチル−Ｎ−メチルピロリジニウムイオン、Ｎ−（２−メトキシエチル）−Ｎ−メチルピロリジニウムイオン、Ｎ−（２−エトキシエチル）−Ｎ−メチルピロリジニウムイオン、Ｎ−メチル−Ｎ−プロピルピペリジニウムイオン、Ｎ−ブチル−Ｎ−メチルピプリジニウム（pipridinium）イオン、Ｎ−ｓｅｃ−ブチル−Ｎ−メチルピペリジニウムイオン、Ｎ−（２−メトキシエチル）−Ｎ−メチルピペリジニウムイオン、およびＮ−（２−エトキシエチル）−Ｎ−メチルピペリジニウムイオンが含まれる。
【化２５】
2018029067.tif 000035
【０２３２】
特に非常に好ましいのは、Ｎ−メチル−Ｎ−プロピルピペリジニウムである。
【０２３３】
特に好ましいイオン性物質は、メチルトリオクチルアンモニウムトリフルオロメタン−スルホネート（ＭＡＴＳ）、１−メチル−３−オクチルイミダゾリウムオクチルサルフェート、１−ブチル−２，３−ジメチルイミダゾリウムオクチルサルフェート、１−オクタデシル−３−メチルイミダゾリウムビス（トリフルオロメチルスルホニル）イミド、１−オクタデシル−３−メチルイミダゾリウムトリス（ペンタフルオロエチル）トリフルオロホスフェート、１，１−ジプロピルピロリジミウム（dipropylpyrrolidimium）ビス（トリフルオロメチルスルホニル）イミド、トリへキシル（テトラデシル）ホスホニウムビス（１，２−ベンゼンジオラト（２−）−Ｏ，Ｏ’）ボレート、およびＮ，Ｎ，Ｎ’，Ｎ’，Ｎ’，Ｎ’−ペンタメチル−Ｎ’−プロピルグアニジニウムトリフルオロメタンスルホネートからなるイオン性化合物の群から選択される化合物であり、これらは、一般的な有機溶媒、例えば、トルエン、アニソール、およびクロロホルムに可溶である。
【０２３４】
好ましいさらなるカチオンは、一般式１２７から１３２の１つの化合物から選択される。
【化２６】
2018029067.tif 000036
【０２３５】
式中、Ｒ１からＲ４は、式９３、９４、および９７における定義と同じであり、Ｒ１’およびＲ４’は、式９８、１１３、および１０８における定義と同じである。
【０２３６】
本発明による組成物およびデバイスに適する、好ましいさらなるイオン性物質は、Ｋ＋またはＡ−の１つが、ポリマー骨格に共有結合している化合物である。
【０２３７】
本発明による組成物およびデバイスに適する、特に好ましいさらなるイオン性物質は、イオン性官能基を有するペンダント基を有し、電子が非局在化した骨格を有する共役高分子電解質（ＣＰＥ）である。ＣＰＥの例は、Ｃ．Ｖ．Ｈｏｖｅｎ等、Ａｄｖ．Ｍａｔｅｒ．２００８、２０、３７９３−３８１０に記載されている。
【０２３８】
本発明によるＯＬＥＦＣにおける使用に適する好ましいさらなるイオン性物質は、Ｋ＋またはＡ−の１つが、発光性有機物質である化合物から選択され、これらの発光性有機物質は、本発明内で別の箇所に記載されている低分子およびポリマーの発光物質から選択され得る。
【０２３９】
好ましくは、前記イオン種は、アニオンである。適切なアニオンＡ−は、［ＨＳＯ４］−、［ＳＯ４］２−、［ＮＯ３］−、［ＢＦ４］−、［（ＲＦ）ＢＦ３］−、［（ＲＦ）２ＢＦ２］−、［（ＲＦ）３ＢＦ］−、［（ＲＦ）４Ｂ］−、［Ｂ（ＣＮ）４］−、［ＰＯ４］３−、［ＨＰＯ４］２−、［Ｈ２ＰＯ４］−、［アルキル−ＯＰＯ３］２−、［（アルキル−Ｏ）２ＰＯ２］−、［アルキル−ＰＯ３］２−、［ＲＦＰＯ３］２−、［（アルキル）２ＰＯ２］−、［（ＲＦ）２ＰＯ２］−、［ＲＦＳＯ３］−、［ＨＯＳＯ２（ＣＦ２）ｎＳＯ２Ｏ］−、［ＯＳＯ２（ＣＦ２）ｎＳＯ２Ｏ］２−、［アルキル−ＳＯ３］−、［ＨＯＳＯ２（ＣＨ２）ｎＳＯ２Ｏ］−、［ＯＳＯ２（ＣＨ２）ｎＳＯ２Ｏ］２−、［アルキル−ＯＳＯ３］−、［アルキル−Ｃ（Ｏ）Ｏ］−、［ＨＯ（Ｏ）Ｃ（ＣＨ２）ｎＣ（Ｏ）Ｏ］−、［ＲＦＣ（Ｏ）Ｏ］−、［ＨＯ（Ｏ）Ｃ（ＣＦ２）ｎＣ（Ｏ）Ｏ］−、［Ｏ（Ｏ）Ｃ（ＣＦ２）ｎＣ（Ｏ）Ｏ］２−、［（ＲＦＳＯ２）２Ｎ］−、［（ＦＳＯ２）２Ｎ］−、［（（ＲＦ）２Ｐ（Ｏ））２Ｎ］−、［（ＲＦＳＯ２）３Ｃ］−、［（ＦＳＯ２）３Ｃ］−、Ｃｌ−および／またはＢｒ−から選択できる。
【０２４０】
式中、
ｎ＝１から８であり、
ＲＦは、式（ＣｍＦ２ｍ−ｘ＋１Ｈｘ）のフッ素化アルキル（ｍ＝１から１２、ｘ＝０から７であり、ｍ＝１では、ｘ＝０から２である）、および／またはフッ素化（さらに、パーフルオロ化）アリールもしくはアルキル−アリールである。
【０２４１】
前記のアルキル基は、１〜２０個のＣ原子、好ましくは１〜１４個のＣ原子、特に好ましくは１〜４個のＣ原子を有する線状または多分岐状アルキル基から選択され得る。好ましくは、ＲＦは、ＣＦ３、Ｃ２Ｆ５、Ｃ３Ｆ７またはＣ４Ｆ９を意味する。
【０２４２】
好ましいアニオンは、ＰＦ６−、［ＰＦ３（Ｃ２Ｆ５）３］−、［ＰＦ３（ＣＦ３）３］−、ＢＦ４−、［ＢＦ２（ＣＦ３）２］−、［ＢＦ２（Ｃ２Ｆ５）２］−、［ＢＦ３（ＣＦ３）］−、［ＢＦ３（Ｃ２Ｆ５）］−、［Ｂ（ＣＯＯＣＯＯ）２−（ＢＯＢ）、ＣＦ３ＳＯ３−（Ｔｆ−）、Ｃ４Ｆ９ＳＯ３（Ｎｆ−）、［（ＣＦ３ＳＯ２）２Ｎ］−（ＴＦＳＩ−）、［（Ｃ２Ｆ５ＳＯ２）２Ｎ］−（ＢＥＴＩ−）、［（ＣＦ３ＳＯ２）（Ｃ４Ｆ９ＳＯ２）Ｎ］−、［（ＣＮ）２Ｎ］−（ＤＣＡ−）、［ＣＦ３ＳＯ２］３Ｃ］−、および［（ＣＮ）３Ｃ］−から選択される。
【０２４３】
好ましくは、ＯＬＥＦＣは、イオン種Ｋ＋Ａ−を、発光層の全質量に対して、１ｗｔ％と５０ｗｔ％の間、特に好ましくは２ｗｔ％と３０ｗｔ％の間、特に非常に好ましくは１ｗｔ％と１０ｗｔ％の間の濃度範囲で含む。
【０２４４】
本発明によるＯＬＥＦＣにおける使用に適する好ましいさらなるイオン性物質は、式（Ｋｎ＋）ａ（Ａｍ−）ｂを有する化合物から選択され、式中、ｎ、ｍ、ａ、およびｂは、１から３の整数であり、ｎ×ａ−ｍ×ｂ＝０であり、Ｋｎ＋またはＡｍ−の１つは、発光性有機物質であり、これは、本発明内で別の箇所に概略が示されている低分子またはポリマー発光体の群を含む化合物から選択され得る。好ましくは、ｎ、ｍ、ａ、ｂは１である。
【０２４５】
このような組成物の特別な利点の１つは、追加のイオン性化合物が全く必要ないことである。
【０２４６】
好ましい実施形態において、（Ｋｎ＋）ａ（Ａｍ−）ｂの形態の前記化合物において、Ｋｎ＋またはＡｍ−の１つは、発光性金属錯体であり、特に好ましくは、Ｋｎ＋が発光性金属錯体であり、この場合、金属は、遷移金属、好ましくは、ＶＩＩＩ族元素、ランタニド、およびアクチニドの金属から選択でき、特に好ましくは、Ｒｈ、Ｏｓ、Ｉｒ、Ｐｔ、Ａｕ、Ｓｍ、Ｅｕ、Ｇｄ、Ｔｂ、Ｄｙ、Ｒｅ、Ｃｕ、Ｗ、Ｍｏ、Ｐｄ、Ａｇ、Ｒｕから選択でき、特に非常に好ましくは、Ｒｕ、Ｏｓ、Ｉｒ、Ｒｅから選択され得る。Ｋｎ＋の非限定的例のいくつかは、［Ｉｒ（ｐｐｙ）２（ｂｐｙ）］＋、［Ｉｒ（ｐｐｙ）２（ｄｐｐ）］＋、［Ｉｒ（ｐｐｙ）２（ｐｈｅｎ）］＋、［Ｒｕ（ｂｐｙ）３］２＋、［Ｏｓ（ｂｐｙ）２Ｌ）］２＋（Ｌ＝シス−１，２−ビス（ジフェニルホスフィノ）エチレン）である。
【０２４７】
この種類の化合物は、例えば、Ｒｕｄｍａｎｎ等、Ｊ．Ａｍ．Ｃｈｅｍ．Ｓｏｃ．２００２、１２４、４９１８−４９２１、および、Ｒｏｔｈｅ等、Ａｄｖ．Ｆｕｎｃ．Ｍａｔｅｒ．２００９、１９、２０３８−２０４４によって報告されたように、イオン性遷移金属錯体（ｉＴＭＣ）と呼ばれる。
【０２４８】
少なくとも１種のイオン性遷移金属錯体（ｉＴＭＣ）を含む、本発明によるＯＬＥＦＣは、また、本発明の主題である。
【０２４９】
好ましくは、ＯＬＥＦＣは、ｉＴＭＣを、発光層の全質量に対して、２０ｗｔ％〜９５ｗｔ％、特に好ましくは３０ｗｔ％〜８０ｗｔ％、特に非常に好ましくは５０ｗｔ％〜７５ｗｔ％の濃度範囲で含む。
【０２５０】
本発明のさらなる実施形態において、前記ＯＬＥＦＣは、式（Ｋｎ＋）ａ（Ａｍ−）ｂを有する化合物を含み、ここで、Ｋｎ＋またはＡｍ−の１つは、発光性１重項発光体であり、特に好ましくはＫｎ＋が発光性１重項発光体である。この種の化合物は、荷電レーザー染料、例えば、ｐ−クアテルフェニル−４，４’’’−ジスルホン酸二ナトリウム塩（ポリフェニル１）、ｐ−クアテルフェニル−４，４’’’−ジスルホン酸二カリウム塩（ポリフェニル２）、２−（４−ビフェニルイル）−６−フェニルベンゾオキサゾテトラスルホン酸カリウム塩（フラン２）、［１，１’−ビフェニル］−４−スルホン酸，４’，４’’−１，２−エテン−ジイルビス−，二カリウム塩（スチルベン１）、２，２’−（［１，１’−ビフェニル］−４，４’−ジイルジ−２，１−エテンジイル）−ビス−ベンゼンスルホン酸二ナトリウム塩（スチルベン３）、ベンゾフラン，２，２’−［１，１’−ビフェニル］−４，４’−ジイル−ビス−テトラスルホン酸（四ナトリウム塩）（フラン１）、２−（ｐ−ジメチルアミノスチリル）−ピリジルメチルヨージド（ＤＡＳＰＩ）、２−（ｐ−ジメチルアミノスチリル）−ベンゾチアゾリルエチルヨージド（ＤＡＳＢＴＩ）、３，３’−ジエチルオキサカルボシアニンヨージド（ＤＯＣＩ）、４，４−ジフルオロ−１，３，５，７，８−ペンタメチル−４−ボラ−３ａ，４ａ−ジアザ−ｓ−インダセン  １，３，５，７，８−ペンタメチルピロメテンジフルオロボレート錯体（ピロメテン５４６）、３，３’−ジメチル−９−エチルチアカルボシアニンヨージド（ＤＭＥＴＣＩ）、二ナトリウム−１，３，５，７，８−ペンタメチルピロメテン−２，６−ジスルホネート−ジフルオロボレート錯体（ピロメテン５５６）、４，４−ジフルオロ−２，６−ジエチル−１，３，５，７，８−ペンタメチル−４−ボラ−３ａ，４ａ−ジアザ−ｓ−インダセン  ２，６−ジエチル−１，３，５，７，８−ペンタメチルピロメテンジフルオロボレート錯体（ピロメテン５６７）、ｏ−（６−アミノ−３−イミノ−３Ｈ−キサンテン−９−イル）−安息香酸（ローダミン１１０）、安息香酸，２−［６−（エチルアミノ）−３−（エチルイミノ）−２，７−ジメチル−３Ｈ−キサンテン−９−イル］，過塩素酸塩（ローダミン１９）、４，４−ジフルオロ−２，６−ジ−ｎ−ブチル−１，３，５，７，８−ペンタメチル−４−ボラ−３ａ，４ａ−ジアザ−ｓ−インダセン  ２，６−ジ−ｎ−ブチル−１，３，５，７，８−ペンタメチルピロメテンジフルオロボレート錯体（ピロメテン５８０）、安息香酸、および、２−［６−（エチルアミノ）−３−（エチルイミノ）−２，７−ジメチル−３Ｈ−キサンテン−９−イル］−エチルエステル一塩酸塩（ローダミン６Ｇ）から選択でき、これらは、Ｌａｍｂｄａ  Ｐｈｙｓｉｋ  ＡＧ、ゲッチンゲン、ドイツで市販されている。
【０２５１】
本発明の別の主題は、式（Ｋｎ＋）ａ（Ａｍ−）ｂの少なくとも１種の化合物を含み、Ｋｎ＋またはＡｍ−の１つが発光性１重項発光体であることを特徴とするＯＬＥＦＣである。
【０２５２】
非常に好ましくは、Ｋｎ＋が発光性１重項発光体である。Ｋｎ＋は、好ましくは、上で定められた群から選択される。
【０２５３】
好ましくは、本発明の発光デバイスは、エレクトロルミネセンスデバイスである。３、特に好ましくは２、特に非常に好ましくは１種の、前記式（Ｋｎ＋）ａ（Ａｍ−）ｂの化合物を含むＯＬＥＦＣが好ましい。
【０２５４】
望まれる場合、ルミネセンス物質、例えば、蛍光体（phosphor）または蛍光染料が、封止物質５０に添加され得る。本発明は、また、少なくとも１種の蛍光体物質を含むＯＬＥＦＣにも関する。ルミネセンス物質は、発光層３０によって放出される、より短い第２の波長を有する可視または紫外放射によって照射されることに応答して、第１の波長を有する光を放出する。例えば、ルミネセンス物質は、層３０からの、入射する紫外または青色放射に応答して、それぞれ、黄色または白色の光を放出し得る。青色と黄色の光の混合は、観察者には、白色光に見える。こうして、発光ファイバーは、層３０が白色光を放出しない時でさえ、観察者には白色光を放出するように見える。デバイスは、また、望まれる場合、白色以外の如何なる色の光も放出し得る。
【０２５５】
利用できる蛍光体物質の例には、ザクロ石構造に結晶化するＹ３Ａｌ５Ｏ１２（ＹＡＧ）格子にドーピングされたセリウムに基づく蛍光体が含まれる。具体例には、（Ｙ１−ｘ−ｙＧＤｘＣｅｙ）３Ａｌ５Ｏ１２（ＹＡＧ：Ｇｄ，Ｃｅ）、（Ｙ１−ｘＣｅｘ）３Ａｌ５Ｏ１２（ＹＡＧ：Ｃｅ）、（Ｙ１−ｘＣｅｘ）３（Ａｌ１−ｙＧａｙ）５Ｏ１２（ＹＡＧ：Ｇａ，Ｃｅ）および（Ｙ１−ｘ−ｙＧｄｘＣｅｙ）３（Ａｌ５−ｚＧａｚ）５Ｏ１２（ＹＡＧ：Ｇｄ，Ｇａ，Ｃｅ）ならびに（Ｇｄ１−ｘＣｅｘ）Ｓｃ２Ａｌ３Ｏ１２（ＧＳＡＧ）が含まれる。ＹＡＧ蛍光体は、一般的に、（Ｙ１−Ｘ−ＹＧｄＸＣｅＹ）３（Ａｌ１−ＺＧａＺ）５Ｏ１２と表記することができ、式中、ｘ＋ｙ≦１；０≦ｘ≦１；０≦ｙ≦１；および０≦ｚ≦１である。発光帯のピークの位置は、前記蛍光体において、かなり異なる。ザクロ石の構成に応じて、Ｃｅ３＋の発光は、緑色（約５４０ｎｍ；ＹＡＧ：Ｇａ，Ｃｅ）から赤色（約６００ｎｍ；ＹＡＧ：Ｇｄ：Ｃｅ）まで、ルミネセンス効率のそれ程の低下なしに、調節できる。有機放射放出ファイバーの青色またはＵＶ放出と組み合わせて、適切な蛍光体物質または蛍光体物質のブレンドは、白色（white field）を生じることができる。
【０２５６】
本発明により用いることができる緑色発光蛍光体：Ｃａ８Ｍｇ（ＳｉＯ４）４Ｃｌ２：Ｅｕ２＋、Ｍｎ２＋；ＧｄＢＯ３：Ｃｅ３＋、Ｔｂ３＋；ＣｅＭｇＡｌ１１Ｏ１９：Ｔｂ３＋；Ｙ２ＳｉＯ５：Ｃｅ３＋、Ｔｂ３＋；およびＢａＭｇ２Ａｌ１６Ｏ：Ｅｕ２＋、Ｍｎ２＋。
【０２５７】
本発明により用いることができる赤色発光蛍光体：Ｙ２Ｏ３：Ｂｉ３＋；Ｓｒ２Ｐ２Ｏ７：Ｅｕ２＋、Ｍｎ２＋；ＳｒＭｇＰ２Ｏ７：Ｅｕ２＋、Ｍｎ２＋；（Ｙ，Ｇｄ）（Ｖ，Ｂ）Ｏ４：Ｅｕ３＋；および、３．５ＭｇＯ．０．５ＭｇＦ２．ＧｅＯ２：Ｍｎ４＋。
【０２５８】
本発明により用いることができる青色発光蛍光体：ＢａＭｇ２Ａｌ１６Ｏ２７：Ｅｕ２＋、および、Ｓｒ５（ＰＯ４）１０Ｃｌ２：Ｅｕ２＋。
【０２５９】
エネルギー利用を増すための方法として、さらに別のイオンが、有機物質から放出される光から蛍光体ホスト格子中の他の賦活剤（activator）イオンへエネルギーを移動するために、無機蛍光体に組み入れられてもよい。例えば、Ｓｂ３＋およびＭｎ２＋イオンが同一の蛍光体格子中に存在する場合、Ｓｂ３＋は、青色領域の光（これは、Ｍｎ２＋によっては、非常に効率的には吸収されない）を効率的に吸収し、このエネルギーをＭｎ２＋イオンに移動する。こうして、有機ＥＬ物質によって放出される光の、より多くの合計量が、両方のイオンによって吸収され、結果的に、デバイス全体の量子効率が、より大きくなる。
【０２６０】
さらに、様々な色、色温度、および演色評価数を実現するために、２種以上の蛍光体物質が一緒に組み合わされ、有機放射放出デバイスにより利用されてもよい。使用され得る他の蛍光体は、ＵＳ０９／４６９，７０２に記載されており、これによって、これは参照により組み込まれる。適切な赤色発光無機蛍光体の例は、ＳｒＢ４Ｏ７：Ｓｍ２＋であり、ここで、コロンの後のＳｍ２＋は、賦活剤を表す。この蛍光体は、６００ｎｍより短いほとんどの可視波長を吸収し、６５０ｎｍを超える波長を有する濃い赤色線として光を放出する。適切な緑色発光無機蛍光体の例は、ＳｒＧａ２Ｓ４：Ｅｕ２＋である。この蛍光体は、５００ｎｍ未満を吸収し、５３５ｎｍに最大発光を有する。適切な青色発光無機蛍光体の例は、ＢａＭｇ２Ａｌ１６Ｏ２７：Ｅｕ２＋である。ＢａＭｇ２Ａｌ１６Ｏ２７：Ｅｕ２＋は、４３０ｎｍ未満のほとんどの波長を吸収し、４５０ｎｍに最大発光を有する。ルミネセンス物質として利用できる有機染料の例には、クマリン４６０（青色）、クマリン６（緑色）、およびナイルレッドが含まれる。
【０２６１】
ＯＬＥＦＣは、封止層５０の全質量に対して、好ましくは５ｗｔ％〜４０ｗｔ％、特に好ましくは１０ｗｔ％〜３０ｗｔ％、特に非常に好ましくは１５ｗｔ％〜２５ｗｔ％の濃度範囲で、蛍光体物質を含む。
【０２６２】
本発明によるＯＬＥＦＣは、通常、次のようにして製造できる。
【０２６３】
ａ．ファイバーコアの洗浄
ガラスファイバーに通常用いられる洗浄プロセスが、ＯＬＥＦＣのファイバーコアにもまた用いられ得る：ファイバーコアは、溶媒により脱脂され、次いで、ＵＶ−オゾン環境に曝すことによって洗浄される。特別な洗浄プロセスが、用いられる特別なファイバーコアに合わせて、採用されることがある。
【０２６４】
ｂ．コンフォーマルに金属を蒸着させること、または導電性物質を含む溶液もしくは配合物によりコーティングすることによる、第１の電極の堆積。コンフォーマルな蒸着を用いる場合、均一性を実現するために、蒸着の間、ファイバーを、望まれる速度で、例えば３０〜６０ｒｐｍで、軸の回りに回転させる。これは、金属アノードが用いられる場合、好ましい方法である。
【０２６５】
別の好ましい実施形態において、アノードは、導電性物質を含むインクまたは溶液または配合物によりコーティングされ得る。このような導電性物質は、金属または金属酸化物、例えば、ＡｇまたはＩＴＯのナノ粒子、および有機導電性物質、例えば、ＰＥＤＯＴ：ＰＳＳＨであり得るが、これらは、溶液に溶かされても、または配合物に分散されてもよい。適切なコーティング方法は、浸漬コーティング、スピンコーティング、インクジェット印刷、凸版印刷、スクリーン印刷、ドクターブレードコーティング、ロール印刷、リバースロール印刷、オフセット印刷、フレキソ印刷、ウェブ（web）印刷、スプレーコーティング、ブラシ（brush）コーティングまたはパッド印刷、およびスロットダイコーティングから選択され得るが、好ましくは、浸漬コーティングまたはスプレーコーティングから選択され得る。前記配合物は、溶液、分散体、または１つの連続相および不連続相（ナノ液滴）を含むエマルジョンであり得る。電極は、残留溶媒を除去するために、加熱される。
【０２６６】
電極の堆積のための適切なさらなる方法は、電気化学的析出、例えば、金属（例えばアルミニウム）の電着（galvanic deposition）であり、これは、量産のための、潜在的な低コストの方法を示す。
【０２６７】
ｃ．少なくとも１種の有機エレクトロルミネセンス化合物と少なくとも１種のイオン種とを含む溶液または配合物をコーティングすることによる、ＥＭＬの堆積。適切なコーティング方法は、浸漬コーティング、スピンコーティング、インクジェット印刷、凸版印刷、スクリーン印刷、ドクターブレードコーティング、ロール印刷、リバースロール印刷、オフセット印刷、フレキソ印刷、ウェブ印刷、スプレーコーティング、ブラシコーティングまたはパッド印刷、スロットダイコーティングから選択され得るが、特に好ましくは、浸漬コーティングまたはスプレーコーティングによる。前記配合物は、溶液、分散体、または１つの連続相および不連続相を含むエマルジョンであり得る。イオン性化合物および発光性有機化合物が一般的溶媒に溶けない場合、エマルジョンまたは分散体が好ましい。
このような分散体またはエマルジョンの例は、ＷＯ２００３／０５０１４７、ＥＰ０９０１５８６０．１、ＥＰ０９０１５８６１．９、およびＥＰ０９０１５８６２．７を参照できる。
【０２６８】
ｄ．第２の電極の堆積；第１の電極に対して記載されたものと同じ方法を、第２の電極に適用することができる。
【０２６９】
ｅ．任意のファイバーデバイスの封止。
【０２７０】
封止は、ＵＶ硬化樹脂、例えば、エポキシ樹脂、または、例えば、ＳｉＮｘ、ＳｉＯｘ、Ａｌ２Ｏ３などを含む薄膜を用いることによって実施できる。本発明によるＯＬＥＦＣは、好ましくは、浸漬コーティングを用い、量産され得る。一般的な製造ラインの１つが、例として、アノード／ＨＩＭ／中間層／ＥＭＬ／カソードの構造を有するＯＬＥＦＣを取り上げて、図１３に概略的に示されており、この場合、電極は、物理蒸着によって堆積され、有機機能層である、ＨＩＭ、中間層およびＥＭＬは浸漬コーティングによってコーティングされる。物理蒸着法は、例えば、熱真空蒸着、スパッタリング、カソードアーク蒸着、パルスレーザー蒸着、ｅ−線などから選択され得る。特に好ましい別の製造方法は、図１４に概略的に示されるように、全て溶液に基づいている。図１３と１４の両方で用いられている構成要素は、次のように説明される：２１０は、ファイバーコアである；１３０は、第１の電極のための堆積チャンバである；２００は、第２の電極のための堆積チャンバである；２４０は、第１の電極のための導電性物質を含むインクを含む容器である；１４０は、バッファ物質またはＨＩＭの溶液を含む容器である；１６０は、ＨＴＭまたは中間層物質の溶液または配合物を含む容器である：１８０は、発光組成物の溶液または配合物を含む容器である；２５０は、第２の電極のための導電性物質を含むインクを含む容器である；１５０、１７０、１９０，２２０および２３０は、乾燥装置である。
【０２７１】
本発明によるＯＬＥＦＣは、任意の種類のキャンバスを得るために、特定の方法で配置されるように、使用され得る。
【０２７２】
キャンバスにおける発光ファイバーの平行配置は、１つの可能性にすぎない。キャンバスを得るために、ファイバーで知られているどのような加工法も用いることができる。ファイバーは、例えば、図５に示されているように、織ることができる。これによって、様々な発光ファイバーが、様々な波長または波長範囲を放出するキャンバスを得るために加工され得る。異なる波長を放出するファイバーが互いに直行するように、同じ波長を放出するファイバーが、互いに平行に配置されてもよい（図６）。異なる波長を放出するファイバーは、また、交互になる様に、配置されてもよい。本発明による少なくとも１種のＯＬＥＦＣを含むキャンバスは、また、本発明の主題である。
【０２７３】
本発明によるＯＬＥＦＣおよび／またはキャンバスは、デバイスを組み立てるために、用いることができる。発光ファイバーを含むデバイスは、硬質（stiff）または軟質であり得るが、ここで、軟質は、上で定義されたように、可塑性と弾性の両方を含む。適切な物質を選ぶことにより、発光ファイバーの軟質の度合いは、望まれる如何なる値にも合わせることができる。硬質は、デバイスの堅さ、ファイバーの堅さ、またはデバイスとファイバーの両方の堅さのいずれかによって実現できる。全体としてのデバイスは、発光ファイバーが軟質でない場合でさえ、少なくともある程度、軟質であり得る。これは、例えば、ファイバーが平行に走るように、ファイバーをデバイスに配置すれば、達成できる。平行なファイバーは、軟質である基材、例えばプラスターに固定することができ、そして、軟質は、少なくともある程度、ファイバーに直交して現れる。したがって、ファイバーを含むデバイスは、治療される患者の体形（physiognomy）に合う何らかの形状、または特定の用途に必要とされる形状を取ることができ、それは、その形状の動きと変化とに即座に追随できる。別の好ましい実施形態において、ファイバーは可塑的に変形する。ファイバーが、例えば、包帯（bandage）またはプラスターに組み込まれる場合、プラスターは、治療される患者の体形を取り入れることができる。それは、患者の外面の変化に追随することも、しないこともある。可塑性および堅さの程度に応じて、プラスターまたは包帯は、また、治療される前記外面の一部を安定化させることもできる。
【０２７４】
前記デバイスの可塑性と結び付いた軟質は、また、例えば、一般照明またはディスプレイ用途に、またはディスプレイバックライトとして、もしくは標識のような情報ディスプレイとして用いることができる、望みの任意の形状のパネルを設計するのに用いることができる。
【０２７５】
前記ＯＬＥＦＣ、および／または、ＯＬＥＦＣを含むキャンバス、および／または、ＯＬＥＦＣとキャンバスとを含むデバイスは、例えば、動物および／またはヒトを治療するために用いることができる。これらは、また、本発明内に概略が示されているように、照明用途にも用いることができる。これらの目的のために、デバイスは、ヒトもしくは動物の患者に、または、例えば照明用途では、何らかの技術的基材に、デバイスを取り付けるための取付け手段を備える。
【０２７６】
本発明によるデバイスは、任意の形状を有することができ、硬いまたは軟質であり得る。デバイスは何らかの形態で、エネルギー供給源を必要とする。エネルギー供給源は、デバイスに直接結び付いていても、または、例えばケーブルを通じて離されていてもよい。
全体として自己充足的な持ち運びできるユニットをなすデバイスを提供するために、バッテリー、特に印刷できるバッテリーが、デバイスに取り付けられてもよい。医療または美容用途の場合には、この自己充足的な持ち運びできるユニットは、治療される患者にとって快適なデバイスを示す。それによって、照射は、治療される患者を煩わせることなく、その習慣または日常生活の中で、どのような時でも、どのような場所でも行うことができる。本発明によるデバイスの自宅での使用は、特に好ましい。デバイスは、接着剤付きで、脱着可能であり得る。それは、身体の平らな、または平らでない部分に沿わせることができる、または植込み型なプローブであることもできる。
【０２７７】
本発明によるデバイスは、インタラクティブステアリングユニットを含み得る。このステアリングユニットにより、連続照明からパルス照明へ切り替えることができる。それにより、また、照射強度および／または放出される波長を正確に合わせることができる。ステアリングユニットは、デバイスに直接結び付いていてもよい。それは、また、常置のまたは一時的な連結具によって分離されていてもよい。デバイスは、使い捨てであってもよく、病院または病院の外での使用に適している。
【０２７８】
どんな場合でも、本発明によるデバイスは、携帯用軽量デバイスとして適している。しかし、固定デバイスもまた製造できる。デバイスは、歩行できる患者を対象にした治療、すなわち、患者が自由に動き回ることができる治療を可能にするのに十分に、持ち運び可能である。それは、後で、ヒトの患者自身が決める時間に、取り外すことができるので、治療は、ほとんどどこでも行われ得る。これにより、結果として、より便利に、より低コストになる（病院における外来患者または入院患者の滞在のいずれも避けることによる）。
【０２７９】
ＰＤＴの場合には、治療は、多くの場合、痛みを伴う。歩行できる患者を対象にした本発明によるデバイスは、暴露がより長時間行われ得るので、より弱い光のレベルで用いることができる。これは、病院で用いられる従来の光源からの大きな放射強度によって、いくらかの患者に引き起こされる痛みの問題を克服する。さらに、より小さな放射強度は、光薬剤の光ブリーチングの度合いの低下のせいで、ＰＤＴにおいては、より有効である。
【０２８０】
デバイスは、存在する光化学および／または光薬剤製剤と共に提供され得る。これは、ゲル、軟膏またはクリームの状態であり得る。代わりに、または、その上に、デバイスは、光薬剤が染み込んだ薄膜と共に提供され得る。通常、光薬剤製剤は、光源と接触する層として提供される。光薬剤製剤が、刺激光の振動数に対して透明である、または十分に透光性であれば、得られるデバイスは、患者に光薬剤を適用する別個のステップなしに、容易に適用できる。光を散乱すると思われるクリームは、それにもかかわらず、光源が点燈される前にそれらが吸収される場合、使用され得る。光薬剤層は、引き剥がせる剥離媒体、例えば、裏面シリコーン付きシートによって覆われてもよい。光薬剤製剤は、ｉｎ  ｖｉｖｏで活性化合物に代謝される不活性化合物を含み得る。光薬剤のデリバリーは、イオン導入法によって支援され得る。デバイスからの光出力は、パルス状であってもよく、電子制御回路またはマイクロプロセッサが、このパルス発生および／またはデバイス機能の他の局面、例えば、治療される部分の暴露時間および発光強度を制御するために備えられ得る。パルス化デバイスは、光化学および／または光薬剤物質（これは、光ブリーチング可能である、または光ブリーチング可能である化学種にインビボで代謝される）の製剤と共に提供され得る。デバイスの出力は、一連のパルスの形態を取り得るが、好ましくは、この場合、パルスの持続時間は、引き続くパルスの間の間隔と実質的に同じである。パルスの連なりの周期は、前記物質の光ブリーチング特性に応じて、例えば、２０ｍｓ〜２０００ｓの範囲にあり得る。好ましくは、デバイスが患者に取り付けられることを可能にするために、取付け手段は、接着性表面を備える。好ましいさらなる特徴は、上の第１の態様に一致する。
【０２８１】
好ましくは、歩行できる患者を対象にしたデバイスは、存在する光化学および／または光薬剤製剤と共に提供される。製剤およびそのデリバリーの好ましい特徴は、前記の通りである。特に、光化学および／または光薬剤は、光ブリーチング可能であり得る、またはｉｎ  ｖｉｖｏで光ブリーチング可能な化学種に代謝され得る。光源を活性化および失活させるための手段が、治療される部分の暴露時間および発光強度のような、デバイス機能の他の局面を制御し得る。
【０２８２】
好ましくは、この制御手段は、デバイスによって生成されるパルスの連なりの好ましい特徴のいずれか１つまたは複数を有するパルスの連なりを放出する光源を覆うように、操作でき得る。
【０２８３】
本発明によるデバイスは、好ましくは、フラットパネル、曲面パネル、プラスター、包帯、毛布、寝袋、スリーブ、植込み型プローブ、経鼻胃管、胸腔ドレイン、パッド、ステント、パッチ、任意の種類の衣類、口内の少なくとも１本の歯を覆うデバイスであり得る。
【０２８４】
デバイスは、食道内で用いられるステント、例えば、１．２５〜２．２５ｃｍの半径で、例えば１０〜１２ｃｍの長さのチューブとして使用され得る。
【０２８５】
デバイスは、例えば新生児の黄疸を治療するための、毛布または寝袋であり得る。現在、黄疸を患う新生児は、彼らの両親から引き離され、インキュベータ内で目隠しされ照明される。これは、新生児と両親の両方にとって、不快な状況を示す。さらに、新生児は、彼の体温を、成人ができるのと同じように容易には調節できず、インキュベータ内の過熱は、重大な問題である。軟質である毛布および寝袋は、これらの問題なしに、新生児を治療する方法を提供する。毛布または寝袋によって覆われた新生児は、彼の両親の腕の中で横たわっている間に、照射され得るし、新生児の身体の過熱は、従来の療法に比べて、重大ではない。これは、本発明によるデバイスが、より少ないパワーを必要とし、そのため、より少ない熱を発生するという事実に起因する。
【０２８６】
乾癬患者では、しばしば、身体の襞に、プラークが見出される。従来の光療法は、光源によって放出される光が、身体の襞におけるプラークに達しないという事実に起因する問題を示す。ＯＬＥＦＣおよび／またはキャンバス、ならびにそれらを含むデバイスは、乾癬、ならびに身体の襞に見出される他の疾患および／または状態を治療するために、身体の襞にぴったりと合うように設計できる。上で概略を示した発光ファイバーおよびそれらを含むデバイスの延性の特性が、身体の襞における治療を意図するデバイスにとって有益であり得る。
【０２８７】
デバイスは、一般的に言えば、治療または照明用途に必要とされる如何なる形状にも、個別に合わせることができる。
【０２８８】
デバイスそれ自体が、治療の間に、制御された仕方で放出される治療薬剤を含み得る。
【０２８９】
図７は、本発明の例示的実施形態として、プラスターである発光デバイスを示す。それは、治療される患者に、プラスターを取り付けるための面１を備える。それは、また、パワー供給源２を備え、これは、例えば、バッテリー、特に印刷バッテリーであり得る。２にはまた、ステアリングユニットも組み込まれ得る。プラスターは、また、透明でない、またはいくぶんか透明であるにすぎない反射物質３を備え得る。反射物質３は、デバイスの効率を向上させる。このデバイスは、発光ファイバー４に応じて、λ１からλｎまでの様々な波長を放出してもよく、ここで、ｎは、好ましくは３、特に好ましくは２、特に非常に好ましくは１である。
【０２９０】
本発明の別の実施形態は、一般照明における、ディスプレイバックライトとしての、情報ディスプレイ（例えば、標識）としての、前記デバイスの使用である。
【０２９１】
本発明は、また、疾患および／または美容上の状態の治療および／または予防および／または診断のための、本発明によるデバイスにも関する。
【０２９２】
本明細書では、如何なる治療戦略も含められる、すなわち、光による患者の治療は、他の治療手法と組み合わせて、または組み合わせないで、実施され得る。例えば、治療は、本発明での化合物を含む１つまたは複数のデバイスにおいて、１つまたは複数の波長で実施され得る。さらに、ファイバーおよび本発明での化合物を含む前記デバイス（本明細書では、ファイバーデバイスまたは発光ファイバーデバイスとも呼ばれる）に加えて、別の技術を用いるさらなる光源、例えば、ＬＥＤ、平面ＯＬＥＣ，平面ＯＬＥＤ、ファイバーの形態を有するＯＬＥＤ、およびレーザーが、治療に用いられてもよい。さらに、前記組成物およびそれらを含むデバイスによる治療は、薬剤および美容製品を用いる既知のどのような治療戦略とも組み合わせることができる。
【０２９３】
光療法が、薬剤および／または美容製品のような化合物による治療と組み合わせられる場合、光は、化合物の（光）化学反応または活性化を開始させるために用いることができ、これは、光線力学療法（ＰＤＴ）と呼ばれる。本発明での光療法は、また、光化学反応または活性化を開始させることなく、化合物と結び付けて用いることもできる。疾患の治療の有効性および安全性に対する相乗効果が、光線療法と薬剤および／または美容製品の両方による逐次、並行、および重複治療から生じ得る。例えば、薬剤または美容化合物が、最初に、特定の期間、投与され、その後、本発明によるＯＬＥＦＣ、キャンバス、および／またはデバイスを用いる光療法が適用されてもよい。薬剤、その光反応性、患者の個々の事情、および具体的な疾患または状態に応じて、両方の治療の間の時間間隔もまた変わり得る。両方の治療は、また、部分的にかまたは完全にかのいずれかで、時間的に重なり得る。的確な治療戦略は、個々の事情および疾患または状態の重症度に応じて決まるであろう。
【０２９４】
併用療法は、相乗効果を有し得るし、従来の治療戦略の副作用（例えば、テトラサイクリンの副作用）を減らし得る。これは、本明細書に概略を示した併用手法を用いる場合、より少量の薬剤用量が必要とされ得るという事実に起因する。
【０２９５】
多くの診断デバイスが、単なる照明のためにか、または診断自体のための（例えば、酸素のような血液パラメータの決定のための）機能的構成要素としてかのいずれかで、光源を備える。本発明は、また、診断の目的のための、本発明によるＯＬＥＦＣ、キャンバスおよび／またはデバイスの使用にも関し、前記ＯＬＥＦＣが、少なくとも１種のイオン種および少なくとも１種の有機エレクトロルミネセンス化合物を含むことを特徴とする。診断の目的のための前記ＯＬＥＦＣを含む光源の使用もまた、本発明の主題である。本発明の教示に基づいて、当業者は、前記ＯＬＥＦＣを含む、光源が必要とされる診断デバイスを開発するのに、困難を有さないであろう。
【０２９６】
治療は、本発明によるファイバーデバイスの放射への、患者の何らかの暴露である。治療は、患者とデバイスの間の直接接触によって、またはそれらの間の直接接触なしに、実施され得る。治療は、患者の外側または内側であり得る。患者の外側の治療は、例えば、皮膚、外傷、目、歯肉、粘膜、舌、体毛、爪床、および爪の治療であり得る。患者の内側の治療は、例えば、血管、心臓、胸部、肺、または患者の他の任意の臓器であり得る。患者の内側へのほとんどの適用のために、特別なデバイスが必要とされる。このような例の１つは、本発明によるステントファイバーであり得る。前記患者は、好ましくは、ヒトまたは動物であり得る。美容という用語は、また、審美的適用を含む。
【０２９７】
デバイスによって放出される光の波長は、適切な機能物質の選択によって、正確に、用途に合わせることができる。さらに、カラーフィルターおよびカラーコンバーターが、望みの波長の光を得るために使用され得る。機能物質および／または機能物質を含むファイバーデバイスの用途に応じて、それぞれの治療または美容処置は、多かれ少なかれ一定の、放出される波長または波長スペクトルを必要とする。
【０２９８】
好ましくは、前記ＯＬＥＦＣ、前記キャンバスおよび／または前記デバイスは、２００〜１０００ｎｍ、好ましくは３００〜１０００ｎｍ、特に好ましくは３００〜９５０ｎｍ、特に非常に好ましくは４００〜９００ｎｍの範囲の光を放出する。
【０２９９】
上で概略が示されたように、光療法の主な作用の１つは、ミトコンドリアにおける代謝の刺激である。光療法の後、細胞は、代謝の増加を示し、細胞は、より良く情報伝達を行い、より良い仕方でストレスの多い状態に耐える。
【０３００】
前記ＯＬＥＦＣ、前記キャンバスおよび／または前記デバイスは、細胞刺激のために用いることができる。細胞刺激のために好ましい波長または波長範囲は、６００〜９００ｎｍ、特に好ましくは６２０〜８８０ｎｍ、特に非常に好ましくは６５０〜８７０ｎｍの範囲にある。細胞刺激のために特に好ましい波長の例は、６８３．７、６６７．５、７７２．３、７５０．７、８４６、および８１２．５ｎｍである。
【０３０１】
光療法によって取り組むことができるどのような疾患および／または美容上の状態も、前記ＯＬＥＦＣ、前記キャンバスおよび／または前記デバイスにより治療できる。これらの疾患および／または状態には、例えば、皮膚疾患、および皮膚の加齢を含む皮膚に関連する状態、ならびに、セルライト、拡張毛穴、油性肌、毛包炎、前癌性日光角化症、皮膚病変、皺および日光損傷皮膚、カラスの足跡、皮膚潰瘍（糖尿病性、圧迫性、静脈鬱血性）、酒さ性ざ瘡病変、セルライト、皮脂腺および周辺組織の光変調、皺の削減、ざ瘡瘢痕およびざ瘡細菌、炎症、痛み、外傷、心理学的および神経学的関連疾患および状態、浮腫、ページェット病、原発性および転移性腫瘍、結合組織疾患、哺乳動物の組織におけるコラーゲン、線維芽細胞および線維芽細胞由来細胞のレベルの操作、網膜の照明、新生、新生血管および肥大による疾患、炎症およびアレルギー反応、エクリン（汗）またはアポクリン腺による発汗、汗をかくこと、および多汗、黄疸、白斑、眼内新生血管疾患、神経性過食症、ヘルペス、季節性情動障害、気分（mood）、睡眠障害、皮膚癌、クリグラーナジャール症候群、アトピー性皮膚炎、糖尿病性皮膚潰瘍、圧迫潰瘍、膀胱感染症、筋肉痛の緩和、痛み、関節の硬直、細菌の減少、歯肉炎、歯の白色化、歯および口内組織の治療、外傷の治癒が含まれる。
【０３０２】
美容上の状態は、好ましくは、ざ瘡、皮膚の若返りおよび皮膚の皺、セルライト、ならびに白斑から選択される。多くの治療処置は、また、美容の要素も有する。例えば、乾癬は、軽度、軽度〜中等度、中等度、中等度〜重度、重度であり得る。これらの分類のいずれも、美容の要素を有し、この要素は、冒された患者の過酷な心理学的問題の原因であり得る。
【０３０３】
好ましくは、本発明は、皮膚疾患および／または美容上の皮膚の状態の治療および／または予防および／または診断のための前記デバイスに関する。
【０３０４】
本明細書で用いられる場合、皮膚は、体毛、鱗、羽毛および爪を含めて、外皮系の最大の器官として定義される。皮膚という用語は、また、舌、粘膜および歯肉を含む。
【０３０５】
原理的に、光療法によって取り組むことのできる如何なる治療および美容上の状態も、本発明によって包含される。治療および美容という用語の間の区別は、上で概略を示したように、個々の事情、状態の重症度および医師の評価に依存する。本発明において概略を示したように、多くの治療を要する状態は、疾患の重症度とは無関係に、美容上の効果に結び付いている。
【０３０６】
皮膚疾患および皮膚に関連する状態には、これらに限らないが、ざ瘡様発疹、自己炎症性皮膚疾患または状態、慢性水疱、粘膜の異常、皮膚付属器の異常、皮下脂肪の異常、結合組織の疾患、真皮の線維および弾性組織、真皮および皮下の成長の異常、皮膚炎、アトピー性皮膚炎、接触皮膚炎、湿疹、膿疱性皮膚炎、脂漏性皮膚炎および湿疹、色素沈着障害、薬疹、内分泌関連疾患および状態、表皮母斑疾患および状態、新生物、嚢胞、紅斑、遺伝性皮膚症、感染症に関連する疾患および状態、細菌に関連する疾患および状態、マイコバクテリウムに関連する疾患および状態、真菌症に関連する疾患および状態、寄生虫侵入、刺創および咬傷、ウイルスに関連する疾患および状態、苔癬型発疹、リンパに関連する疾患および状態、メラニン細胞性母斑および新生物、単球およびマクロファージに関連する疾患および状態、ムチン症、神経皮膚非伝染性免疫不全に関連する疾患および状態、栄養摂取に関連する疾患および状態、丘疹鱗屑過角化症に関連する疾患および状態、そう痒に関連する疾患および状態、乾癬（軽度、軽度〜重度、および重度）、反応性好中球疾患および状態、不応性（recalcitrant）掌蹠発疹、代謝異常から生じる疾患および状態、物理的要因により生じる疾患および状態、じんましんおよび血管浮腫、導管に関連する疾患および状態、歯周炎または歯肉の他の疾患および状態が含まれる。
【０３０７】
皮膚に関連する疾患および状態には、また、皮膚腫瘍、前癌性腫瘍、悪性腫瘍、細胞癌、二次転移、放射線皮膚炎および角化症も含まれる。
【０３０８】
外傷の治癒は、また、皮膚疾患および皮膚に関連する状態に指定され得る。これによって、外傷の治癒は、治療される患者の外側表面で、その内部で、皮膚、目、爪または爪床、患者の口内の表面のいずれかで、また粘膜、歯肉、導管系の上皮の表面あるいは患者の身体の他の部分で、起こり得る。
【０３０９】
前記ＯＬＥＦＣ、前記キャンバスおよび／または前記デバイスは、スキンケアおよびスキンリペアのために、例えば、発光プラスター（light plaster）として、美容に使用され得る。前記ＯＬＥＦＣ、前記キャンバスおよび／または前記デバイスによって放出される波長または波長範囲は、４００〜８００ｎｍ、好ましくは４５０〜７５０ｎｍ、特に好ましくは５００〜７００ｎｍの間、特に非常に好ましくは５８０〜６４０ｎｍの間の範囲にある。
【０３１０】
好ましくは、本発明によるデバイスは、ざ瘡、乾癬、湿疹、皮膚炎、アトピー性皮膚炎、浮腫、白斑、皮膚の脱感作、ボーエン病、腫瘍、前癌性腫瘍、悪性腫瘍、基底細胞癌、扁平上皮細胞癌、二次転移、皮膚Ｔ細胞リンパ腫、日光角化症、ヒ素角化症、放射線皮膚炎、セルライトから選択される皮膚疾患および／または美容上の皮膚の状態の治療および／または予防および／または診断のために使用され得る。
【０３１１】
好ましいさらなる皮膚疾患および皮膚に関連する状態は、乾癬、多形日光疹、日光じんましん、光線性類細網症、アトピー性湿疹、白斑、そう痒、扁平苔癬、初期皮膚Ｔ細胞リンパ腫、皮膚描記症、および苔癬状粃糠疹から選択される。これらの疾患および状態は、前記デバイスによって放出される、好ましくは２００〜５００ｎｍの間、特に好ましくは２５０〜４００ｎｍの間、特に非常に好ましくは２７０〜３５０ｎｍの間の波長または波長範囲を有する光により治療される。
【０３１２】
前記デバイスは、ＰＵＶＡ療法に使用され得る。ＰＵＶＡ療法は、ソラレン（psoralen）（７Ｈ−フロ［３，２−ｇ］クロメン−７−オン）およびその誘導体を、ＵＶ−Ａ光と共に治療に応用することに由来する。ＰＵＶＡは、過剰増殖状態によって特徴付けられる皮膚疾患の治療のために用いることができる。ソラレンは、一群の天然の生成物の親化合物である。それは、構造的にクマリンに関連しており、好ましくは、乾癬、湿疹、白斑、菌状息肉症、皮膚Ｔ細胞リンパ腫、および他の自己免疫疾患の治療のために使用され得る。ＰＵＶＡにより、アトピー性湿疹、扁平苔癬、色素じんましん、多形日光疹、および円形脱毛症もまた治療できる。
【０３１３】
ソラレンは、経口投与されるか、または皮膚に局所投与され得る。好ましい化合物は、ソラレン、８−メトキシソラレン（８−ＭＯＰ）、５−メトキシソラレン（５−ＭＯＰ）、および４，５’，８−トリメチルソラレン（ＴＭＰ）である。８−ＭＯＰの経口投与の後、患者は、ＵＶ−Ａに対して、したがってまた光化学療法処置に対して、徐々に、よく反応するようになる。患者は、薬剤の摂取後、２〜３時間、最もよく反応し、この期間の間に、照射が実施される。
【０３１４】
白斑の場合には、ケリンが、ソラレンの代わりに使用され得る。光とケリンの併用治療は、しばしば、ＫＵＶＡと呼ばれる。
【０３１５】
前記デバイスは、また、フォトフェレーシスにも用いることができる。フォトフェレーシスは、末梢血液が、体外流システムにおいて、５−ＭＯＰを光活性化するために暴露されるプロセスであり、異常Ｔリンパ球によって引き起こされる障害のための治療を示す。
それは、進行期の皮膚Ｔ細胞リンパ腫、尋常性天疱瘡および進行性全身性硬化症（強皮症）のための治療法である。それは、自己免疫疾患を治療するために用いることができる。
治療され得るさらなる疾患には、多発性硬化症、臓器移植拒絶反応、関節リウマチ、およびＡＩＤＳが含まれる。
【０３１６】
本発明は、特に、ざ瘡様発疹の治療のための前記デバイスに関する。ざ瘡様発疹という用語は、尋常性ざ瘡、酒さ、毛包炎、および口周囲皮膚炎を含む一群の皮膚病を表す。ざ瘡様発疹は、一般的に言えば、毛包皮脂腺単位における変化によって引き起こされ、夏期ざ瘡（マヨルカざ瘡）、凝塊性ざ瘡、化粧剤性ざ瘡、電撃性ざ瘡（急性発熱性潰瘍性ざ瘡）、ケロイド性ざ瘡（頂部ケロイド性ざ瘡、頭部乳頭状皮膚炎、ケロイド性毛包炎、頭部ケロイド性毛包炎、頂部ケロイドざ瘡）、機械性ざ瘡、薬物性ざ瘡、粟粒性壊死性ざ瘡（痘瘡状ざ瘡）、尋常性ざ瘡、顔面浮腫を伴うざ瘡（充実性顔面浮腫）、ざ瘡様発疹、眼瞼腫瘤、赤色毛細血管拡張性酒さ（erythrotelangiectatic rosacea、erthemaotelangiectatic rosacea）、表皮剥離（excoriated）ざ瘡（少女表皮剥離ざ瘡、ほじる人のざ瘡）、腺性酒さ、顎腫瘤（gnathophyma）、グラム陰性酒さ、肉芽腫顔面皮膚炎、肉芽腫口周囲皮膚炎、ハロゲンざ瘡、化膿性汗腺炎（hidradenitis suppurativa、acne inversa、ベルヌーイ疾患）、特発性顔面無菌性肉芽腫、小児ざ瘡、狼瘡性酒さ（肉芽腫酒さ、斑丘疹状結核疹、Ｌｅｗａｎｄｏｗｓｋｙの酒さ状結核疹）、顔面播種状粟粒性狼瘡、額腫瘤（metophyma）、新生児ざ瘡（neonatal acne、acne infantum、acne neonatorum）、職業性ざ瘡、目酒さ（ophthalmic rosacea、ocular rosacea、ophthalmorosacea）、耳腫瘤、酒さの持続性浮腫（慢性上部顔面紅斑浮腫、モルビアン（Morbihan）病、酒さ様リンパ浮腫）、ポマードざ瘡、丘疹膿疱性酒さ、膿瘍性穿掘性頭部毛包周囲炎（頭皮の解離性蜂窩織炎、解離性毛嚢炎、perifolliculitis capitis abscedens et suffodiens of Hoffman）、口周囲皮膚炎、眼窩周囲皮膚炎（目周囲皮膚炎）、顔面膿皮症（電撃性酒さ）、鼻腫瘤、酒さ（酒さ性ざ瘡）、集簇性酒さ（rosacea conglobata）、電撃性酒さ、ＳＡＰＨＯ症候群、ステロイド酒さ、熱帯ざ瘡から選択される。
【０３１７】
尋常性ざ瘡（一般に、ざ瘡と呼ばれる）は、アンドロゲンの刺激による、毛包皮脂腺単位（毛包とその付随する皮脂腺からなる構造体）における変化によって引き起こされる、よく起こる皮膚の状態である。それは、非炎症性毛包性丘疹または面皰によって、また、そのより重い状態では、炎症性丘疹、膿疱、および結節によって、特徴付けられる。尋常性ざ瘡は、最も密集した脂肪分泌性毛包を有する皮膚の部分に影響を及ぼす；これらの部分には、顔、胸部の上側部分、および背中が含まれる。重いざ瘡は炎症性であるが、ざ瘡はまた、非炎症性の状態でも現れ得る。ざ瘡による病変は、一般に、ニキビ、ブレミッシュ（blemish）、スポット、ジット（zit）、または単にアクネと呼ばれる。
【０３１８】
ざ瘡は、最も一般的には、青年期に現れ、８９％を超えるティーンエージャーに影響を及ぼし、しばしば、成人期まで続く。青年期において、ざ瘡は、通常、男性ホルモンの増加によって引き起こされ、どちらの性別の人も、思春期の間、このホルモンを生じる。ほとんどの人の場合、ざ瘡は、時が経つと徐々に減り、２０歳台の初期に達した後、消え去る傾向にある、または、少なくとも減少する。しかし、完全に消え去るのにどれだけ長くかかるかを予想する方法はなく、ある人は、この状態を、しっかり、３０代、４０代まで、またこれを超えてまで保ち続ける。
【０３１９】
顔および首上部は、最も一般的に冒されるが、胸、背中および肩もまた、ざ瘡を有し得る。上腕もまたざ瘡を有し得るが、そこに見出される病変は、多くの場合、毛孔性角化症である。典型的なざ瘡病変は、面皰、炎症性丘疹、膿疱、および結節である。大きな結節の中には、嚢胞と呼ばれるものがあり、結節性嚢胞性という用語が、炎症性ざ瘡の重い場合を表すために用いられている。
【０３２０】
跡以外に、その主な影響は、心理学的で、例えば、自尊心の低下、また、ある場合には、鬱病または自殺である。通常、ざ瘡は、人が、最も社会的に不安定である傾向をすでに有する時である青年期の間に現れる。そのため、個人に対する全体的な影響を小さくするために、初期の積極的な治療が、一部の人々によって支持されている。
【０３２１】
光への暴露が、ざ瘡の治療として用いられ得る。週に２回用いると、約６４％だけ、ざ瘡の病変の数を減らせることが示され、毎日用いられると、より一層効果的である。そのメカニズムは、４２０ｎｍおよびより短い波長の光によって照射された時に、Ｐ．アクネス内で産出されたポルフィリン（コプロポルフィリンＩＩＩ）が、フリーラジカルを生成することにあると思われる。特に、数日間に渡って適用された場合、これらのフリーラジカルは、最終的に、細菌を殺す。ポルフィリンは、別の状況では、皮膚に存在せず、ＵＶ光を用いないので、それは、安全であると思われる。
【０３２２】
前記治療は、紫色／青色光と赤色可視光（例えば、６６０ｎｍ）を混ぜて用いると、より一層うまくいくようであり、３か月間、毎日治療した後、８０％の患者で、病変の７６％が削減されるという結果が得られる；全体としての除去は、過酸化ベンゾイルと同等またはより良好であった。他のほとんどの治療と異なり、望ましくない副作用がたとえあったとしても、通常、ほとんど見出されず、治療に対する細菌の耐性の発達は、極めて起こりそうでないように思われる。治療の後、除去は、局所または経口抗生物質治療で典型的であるよりも、長く存続し得る；数か月もまれではない。さらに、皮膚専門医による基礎科学および臨床研究が、強い青色／紫色光（４０５〜４２５ｎｍ）は、４週間の治療で、特に、Ｐ．アクネスが、デルタ−アミノレブリン酸（ＡＬＡ）（これは、ポルフィリンの産出を増加させる）で前処理された場合、炎症性ざ瘡病変の数を６０〜７０％減らすことができるという証拠を示した。
【０３２３】
したがって、本発明は、また、本発明による組合せデバイスと、疾患および／または美容上の状態の治療のためのさらなる活性薬剤とに関する。特に、本発明は、前記デバイスと、ざ瘡の治療のために用いられる薬剤とを組み合わせた使用に関する。薬剤は、ざ瘡を治療するために通常用いられる薬剤のいずれか、例えば、抗生物質（局所および／または経口）、ホルモン治療薬、局所用レチノイド、局所用消毒剤、硫黄から選択され得る。適切な局所用消毒剤は、例えば、過酸化ベンゾイル、トリクロサン、およびクロルヘキシジングルコン酸塩である。適切な局所用抗生物質は、例えば、エリスロマイシン、クリンダマイシン、およびテトラサイクリンである。適切な経口抗生物質は、例えば、エリスロマイシン、テトラサイクリン抗生物質（例えば、オキシテトラサイクリン、ドキシサイクリン、ミノサイクリン、またはリメサイクリン）、トリメトプリム、およびミノサイクリンである。
【０３２４】
適切なホルモンは、例えば、エストロゲン、プロゲストーゲン、エストロゲンとプロゲストーゲンの組合せ、シプロテロン、エストロゲン、シプロテロンとエストロゲンの組合せ、ドロスピレノン、スピロノラクトン、およびコルチゾンから選択される。適切な経口レチノイドは、例えば、ビタミンＡ誘導体、例えば、イソトレチノイン（例えば、アキュテイン、アムネスティーム、ソトレット、クララビス、クラルス）である。適切な局所レチノイドは、例えば、トレチノイン（例えば、レチン−Ａ）、アダパレン（例えば、ディフェリン）、タザロテン（例えば、タゾラック）、イソトレチノイン、およびレチノールである。適切なさらなる薬剤は、例えば、抗炎症薬から選択される。
【０３２５】
前記デバイスは、また、ざ瘡を治療または防止するために、皮膚擦傷法と組み合わせて用いられてもよい。皮膚擦傷法は、皮膚の表面が、擦ること（やすり掛け）によって除去される美容医療手法である。
【０３２６】
本発明により、如何なる治療戦略も含められる。例えば、薬剤が、最初に、特定の期間、投与され、その後、前記デバイスを用いる光療法が適用されてもよい。薬剤、その光反応性、患者の個々の事情、および具体的な疾患または状態に応じて、２つの治療法の間の時間間隔もまた変わり得る。２つの治療法は、また、部分的にかまたは完全にかのいずれかで、時間的に重なり得る。的確な治療戦略は、個々の事情および疾患または状態の重症度に応じて決まるであろう。
【０３２７】
併用療法は、相乗効果を有し得るし、従来の治療戦略の副作用（例えば、テトラサイクリンの副作用）を減らし得る。これは、本明細書に概略を示した併用手法に従う場合、より少量の薬剤用量が必要とされ得るという事実に起因する。
【０３２８】
面皰（黒色面皰とも呼ばれる）も、また、前記デバイスを用いる光療法によって治療され得る。面皰は、皮膚の上の黄色もしくは黒っぽい隆起または角栓（plug）である。実際には、それは、ある種の尋常性ざ瘡である。面皰は、皮脂腺の導管に溜まった余分な油状物によって引き起こされる。これらの隆起に見出される物質は、大部分、ケラチンおよび変性した皮脂（これは、酸化されるにつれて、黒くなる）からなる。塞がれた毛包（ここに、黒色面皰がしばしば現れる）は、光を不規則に反射して、面皰を示す。この理由で、塞いでいるものは、孔から抜き取られた時に、必ずしも黒くは見えないかもしれないが、そのメラニン含有量の結果として、一層、黄色〜茶色を有し得る。
【０３２９】
対照的に、いわゆる稗粒腫（これは、閉鎖面皰とも呼ばれる）は、同じ物質（皮脂）でいっぱいに塞がれた毛包であるが、皮膚表面に非常に小さい開口部を有する。空気が毛包に到達できないので、前記物質は酸化されず、白色のままである。
【０３３０】
ざ瘡の治療のために用いられる場合、好ましくは、前記デバイスは、３５０〜９００ｎｍ、好ましくは３８０〜８５０ｎｍ、特に好ましくは４００〜８５０ｎｍ、特に非常に好ましくは４００〜８００ｎｍの範囲の光を放出する。
【０３３１】
ざ瘡の治療にとって特に好ましいさらなる光は、青色の光である。ざ瘡の治療に好ましい青色発光波長は、３９０、３９１、３９２、３９３、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９および４３０ｎｍである。例えば、４１４および４１５ｎｍは、Ｐ．アクネス細菌を殺し、存在するブレミッシュを治し、また、さらなる発生を防ぐために、特に適している。
【０３３２】
ざ瘡を治療するための光療法の適用についての研究は、様々な波長または波長範囲の組合せが、ざ瘡を効率的に治療するのに特に適していることを明らかにした。その結果、ざ瘡を治療するために特に好ましいのは、赤色光と青色光の組合せである。前記赤色光は、好ましくは５９０〜７５０ｎｍの範囲、特に好ましくは６００〜７２０ｎｍ、特に非常に好ましくは６２０〜７００ｎｍの範囲から選択される。ざ瘡の治療にとって好ましい２つのさらなる波長は、６３３および６６０ｎｍである。青色光は、前記の波長から選択され得る。
【０３３３】
面飽の場合には、前記デバイスが、好ましくは、５００ｎｍの波長を有する光、または５００〜７００ｎｍの範囲の光を放出することが特に好ましい。
【０３３４】
セルライトは、大部分の女性に起こると言われる状態を表し、下肢、腹部および骨盤部分の皮膚が、さざ波がたったようになる。セルライトの原因は、よく理解されておらず、一方の性に限られる二形性皮膚構造、結合組織の構造の変化、管の変化および炎症性過程のような、代謝ならびに生理機能における変化を含み得る。いくつかの治療法が、セルライトを防止または治療するために適用される。熱および血流の増加が、２つの一般的な方法である。したがって、光線療法は、セルライトを患う人に有益であると考えられる。前記デバイスは、セルライトの治療および／または予防に適している。ＰＤＴもまた、セルライトの治療および／または予防に適している。
【０３３５】
前記デバイスによって放出される、セルライトの治療および／または予防のための波長は、４００〜１０００ｎｍの範囲にあり、好ましくは４００〜９００ｎｍ、特に好ましくは４５０〜９００ｎｍ、特に非常に好ましくは５００〜８５０ｎｍの範囲にある。
【０３３６】
より一般的な用語である皮膚の加齢は、皺の生成と色素沈着過剰の両方を表す。内因性および外因性の要因の皮膚への影響から生じるヒトの皮膚の加齢の徴候は、皺および細かい皺の出現によって、しおれた外観を、色素沈着による汚損の出現と共に進展させる皮膚の黄色化によって、通常、結果的に、角質層および表皮が厚くなり、真皮が薄くなる、皮膚の厚さの変化によって、弾性、しなやかさ、および張りの低下を引き起こす、エラスチンおよびコラーゲン線維の秩序の崩壊によって、また、毛細血管拡張症の出現によって、特徴付けられる。
【０３３７】
より詳細には、これらの徴候のいくつかは、内因性または生理学的な加齢、すなわち、年齢に伴う「正常な」加齢に関連しているのに対して、他は、外因性の加齢、すなわち、一般環境によって引き起こされる加齢に、より特有である；より詳細には、このような加齢は、日光に曝されることに起因する、光−加齢である。皮膚の加齢を引き起こす他の要因は、大気汚染、外傷、感染症、外傷性傷害、酸素欠乏、喫煙、ホルモンの状態、神経ペプチド、電磁場、重力、生活様式（例えば、アルコールの過度の消費）、繰り返される顔の表情、寝相、および精神的ストレスである。
【０３３８】
内因性の加齢のせいで起こる皮膚の変化は、内部に生じる要因に関連する、遺伝的にプログラムされた継起の結果である。この内因性加齢は、特に、皮膚細胞の再生の鈍化を引き起こし、本質的には、これは、皮下脂肪組織の縮小のような臨床損傷の出現、および細かい皺または小皺の出現に、また、組織病理学的変化（例えば、弾性線維の数および厚さの増加、弾性組織膜からの縦方向線維の減少、およびこの弾性組織の細胞内の大きく不揃いな線維芽細胞の存在）に、反映される。
【０３３９】
対照的に、外因性の加齢は、太い皺、および弛んで日に焼けた皮膚の生成のような臨床損傷、ならびに、真皮上部における弾性物質の過度の蓄積およびコラーゲン線維の変質のような組織病理学的変化を生じる。
【０３４０】
皮膚の加齢の原因となる別の生物学的メカニズムおよび分子メカニズムが存在し、この過程は、現在、完全には理解されていない。しかし、皮膚の加齢の内因性と外因性の両方の要因が、共通のメカニズムを共有していることが確認された［Ｐ．Ｕ．Ｇｉａｃｏｍｏｎｉ等、Ｂｉｏｇｅｒｏｎｔｏｌｏｇｙ  ２００４、２、２１９−２２９］。細胞接着分子の発現が循環する免疫細胞の補充および遊出を引き起こし、これが、コラゲナーゼ、ミエロペルオキシダーゼおよび反応性酸素化学種を分泌することによって細胞外マトリックス（ＥＣＭ）を消化するので、これらの要因は、皮膚の加齢を生じる、皮膚における損傷の蓄積に導く過程の引き金となる。
【０３４１】
これらの溶解過程の活性化が、これらの常在性細胞のランダムな損傷を引き起こし、これらが、次には、プロスタグランジンおよびロイコトリエンを分泌する。これらのシグナル分子は、オータコイドヒスタミンおよびサイトカインＴＮＦαを放出する、常在性肥満細胞の脱顆粒を誘発するので、隣接する毛細血管の内側を覆う内皮細胞（Ｐ−セレクチンを放出する）、ならびにＥ−セレクチンおよびＩＣＡＭ−１のような細胞接着分子の合成を活性化する。これにより、自己継続されるミクロ−炎症サイクルは終わり、このサイクルが、結果的に、ＥＣＭ損傷の蓄積、すなわち、皮膚の加齢を生じる。
【０３４２】
皮膚の加齢の治療または予防のための新規の戦略、物質、およびデバイスが、美容および治療に強く求められている。とりわけ皮膚の加齢の防止または治療を意図する、様々な美容および治療組成物（スキンケア用を含めて）が知られている。レチノイン酸およびその誘導体は、特に、ＵＳ４６０３１４６において、スキンケア組成物、美容組成物、または皮膚科学的組成物における、抗加齢剤として記載されている。乳酸、グリコール酸または代わりとしてクエン酸のようなヒドロキシ酸もまた、この同じ用途で知られており、これらの酸は、多くの特許および出版物（例えば、ＥＰ−Ａ−４１３５２８）に記載されており、市販の多数のスキンケア組成物、美容組成物、または皮膚科学的組成物に導入されている。サリチル酸のような芳香族オルトヒドロキシ酸もまた提案されている（例えば、ＷＯ９３／１０７５６およびＷＯ９３／１０７５５）。
【０３４３】
これらの化合物の全ては、落屑によって、すなわち、角質層の表面で死んだ細胞の除去によって、皮膚の加齢に対して作用する。この落屑は、また、表皮剥離性とも呼ばれる。
しかし、これらの化合物は、また、ヒリヒリすること、および赤くなることからなる副作用を有し、使用者はこれらを不快であると感じる。こうして、知られている化合物と少なくとも同じように有効であるが、それらの欠点を示さない、抗加齢戦略が求められている。皮膚の加齢を治療または防止するための確立された戦略と異なり、非常に初期の段階でミクロ−炎症カスケードに介入することは、新規の考え方であり、本発明に従って内因性および外因性皮膚加齢を治療および防止することは、他の戦略で知られている欠点を有さない戦略を示す。
【０３４４】
光療法は、皮膚の加齢を治療する新しい方法を提供する。こうして、本発明の別の主題は、皮膚の加齢の治療および／または予防のための、前記デバイスの使用である。これは、本発明が、とりわけ、皮膚の若返りのための、また皺の生成を減らす、または防止するための、解決策を提供することを意味する。
【０３４５】
前記デバイスによって放出される皮膚加齢の治療のための波長は、４００〜９５０ｎｍの範囲にある。好ましくは、その波長は、５５０〜９００ｎｍ、特に好ましくは５５０〜８６０ｎｍの範囲にある。
【０３４６】
前記デバイスは、また、本発明の他の実施形態にもまた適用される様々な波長または波長範囲の光も放出し得る。
【０３４７】
本発明の別の好ましい実施形態において、皮膚加齢の治療に用いられる前記デバイスは、６００ｎｍ〜６５０ｎｍの範囲、特に好ましくは６２０ｎｍ〜６５０ｎｍの範囲の光を放出する。
【０３４８】
皮膚加齢の治療および／または防止のために用いられる前記デバイスは、３５０〜９５０ｎｍ、好ましくは３８０〜９００ｎｍ、特に好ましくは４００〜９００ｎｍの範囲の光を放出する少なくとも１種の有機エレクトロルミネセンス化合物を含む。
【０３４９】
皮膚加齢の治療および／または防止のために特に好ましいさらなる光は、青色光である。皮膚加齢の治療および／または予防のために好ましい青色発光波長は、３９０、３９１、３９２、３９３、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９、および４３０ｎｍである。例えば、４１５ｎｍは、特に適している。
【０３５０】
皮膚加齢の治療および／または防止のために特に好ましいさらなる光は、４００〜９００ｎｍの波長を有する。
【０３５１】
皮膚の若返りも、また、８３０ｎｍ、またはこの値の僅かに下もしくは上の波長の光により実現され得る。したがって、７００ｎｍ〜１０００ｎｍ、好ましくは７５０ｎｍ〜９００ｎｍ、特に好ましくは７５０ｎｍ〜８６０ｎｍの間、特に非常に好ましくは８００〜８５０ｎｍの範囲の光を放出する本発明によるデバイスもまた、本発明の主題である。
【０３５２】
患者の皮膚の赤みは、本発明によるデバイスによって治療できる。前記デバイスによって放出される、赤みの治療および／または予防のための波長は、４６０〜６６０ｎｍの範囲にある。この波長は、好ましくは５００〜６２０ｎｍ、特に好ましくは５４０〜５８０ｎｍの範囲にある。この目的のための特に好ましい１つの波長は、５６０ｎｍである。
【０３５３】
患者の皮膚炎は、前記デバイスによって治療され得る。前記デバイスによって放出される、皮膚炎の治療および／または予防のための波長は、４７０〜６７０ｎｍの範囲にある。この波長は、好ましくは４９０〜６５０ｎｍ、特に好ましくは５３０〜６１０ｎｍの範囲にある。この目的のための特に好ましい２つの波長は、５５０ｎｍおよび５９０ｎｍである。
【０３５４】
患者のアトピー性湿疹は、本発明によるデバイスによって治療され得る。前記デバイスによって放出される、アトピー性湿疹の治療および／または予防のための波長は、４７０〜６７０ｎｍの範囲にある。この波長は、好ましくは４９０〜６５０ｎｍ、特に好ましくは５３０〜６１０ｎｍの範囲にある。この目的にとって特に好ましい１つの波長は、３２０ｎｍである。
【０３５５】
乾癬は、本発明による前記デバイスによって治療され得る。前記デバイスによって放出される、乾癬の治療および／または予防のための波長は、２４０〜６００ｎｍの範囲にある。この波長は、好ましくは２９０〜５００ｎｍ、特に好ましくは３００〜４８０ｎｍの範囲にある。乾癬の治療のために特に好ましい波長の例は、３１０、３１１、３２０、４００、４１０、および４２０ｎｍである。
【０３５６】
白斑は、本発明によるデバイスによって治療され得る。前記デバイスによって放出される、白斑の治療および／または予防のための波長は、２４０〜５００ｎｍの範囲にある。
この波長は、好ましくは２９０〜４００ｎｍ、特に好ましくは３００〜３３０ｎｍの範囲にある。この目的のために特に好ましい１つの波長は、３１１ｎｍである。
【０３５７】
標的を定めた光療法は、健康な皮膚の暴露を最低限にしながら、特定の皮膚病に対する、治療のための紫外光の照射を可能にした。特に、紫外Ｂ領域内の３０８ｎｍの波長の光は、白斑；乾癬；ならびに傷跡、白条（striae alba）およびＣＯ２レーザー表面再生後に伴うもののような白斑（leukoderma）を含めて、多くの皮膚病に対して、特に有効であることが示された。
【０３５８】
本発明によるデバイスは、また、浮腫の治療にも使用できる。浮腫は、以前は水腫（dropsyまたはhydropsy）としても知られ、皮膚の下の、あるいは身体の１つまたは複数の空洞における、流体の異常な蓄積である。一般に、細胞間の流体の量は、流体のホメオスタシスのバランスによって決められ、間質への流体の分泌の増加、またはこの流体の除去の障害が、浮腫を引き起こし得る。５つの要因が浮腫の生成に寄与し得る：（１）それは、血管内の静水圧の増加によって、もしくは膠質浸透圧の低下によって、または（２）炎症におけるように、血管壁透過性の増大によって、または（４）リンパ管を通じての流体排除の妨害によって、または、（５）組織自体の流体保持特性の変化によって、促進され得る。静水圧の上昇は、多くの場合、腎臓による水およびナトリウムの停留を表す。
【０３５９】
浮腫の治療に用いられる本発明によるデバイスは、好ましくは、７６０〜９４０ｎｍ、好ましくは７８０〜９２０ｎｍ、特に好ましくは８００〜９００ｎｍ、特に非常に好ましくは８２０〜８８０ｎｍの範囲にある光を放出する少なくとも１種の有機エレクトロルミネセンス化合物（これは、機能物質である）を含む。
【０３６０】
浮腫の治療に特に好ましいさらなる１つの波長は、８５０ｎｍである。
【０３６１】
本発明によるデバイスは、また、感染症、ならびに炎症性、神経学的、および心理学的疾患および／または状態の治療および／または予防および／または診断のために使用され得る。
【０３６２】
多くの炎症性疾患、障害、および状態が、光療法により治療できる。こうして、炎症性障害の治療および／または予防および／または診断のための、前記デバイス（このデバイスは、少なくとも１種の有機発光デバイスを含む）の使用もまた、本発明の主題である。
【０３６３】
炎症性疾患および状態は、広範な徴候を包含する。炎症に一見関係しない多くの疾患または状態が、本発明での機能物質により治療できる、炎症の要素を有する。本発明において挙げられている皮膚疾患および状態、例えば、ざ瘡、乾癬、アトピー性皮膚炎、湿疹は、全て、炎症の要素を有する。本発明での機能物質により治療され得る、さらなる炎症性疾患の非限定的セレクションは、関節炎、炎症性腸疾患、歯肉の炎症、粘膜の炎症、爪床の炎症、動脈硬化、および脈管系の炎症である。
【０３６４】
炎症の治療および／または予防のために好ましい波長は、３５０〜９００ｎｍ、特に好ましくは３８０〜９００ｎｍ、特に非常に好ましくは４００〜８６０ｎｍの範囲にある。
炎症の治療および／または予防のために好ましいさらなる波長は、４０５、４２０、および８５０ｎｍである。
【０３６５】
前記デバイスは、感染症の治療および／または予防のために使用され得る。感染症は、細菌およびウイルスによって引き起こされ得る。光は、感染症にいくつかの好ましい作用を有する。光は、例えば、本発明内で別の箇所に概略が示されているように、組織の刺激を通じて、抗炎症作用を有する。
【０３６６】
前記デバイスによる光療法は、外傷を治療するための用途で有益である。外傷の治癒は、多くの場合、炎症と関連している。したがって、炎症の治療および／または予防の場合に概略を示したものと同じ波長および波長範囲が適用できる。光療法による外傷の治療は、また、傷跡の生成を防止する。外傷および／または傷跡の治療および／または予防に特に好ましい波長は、６００〜９５０ｎｍ、特に非常に好ましくは６５０〜９００ｎｍの範囲にある。外傷および傷跡の治療および／または予防に好ましいさらなる波長は、６６０、７２０、および８８０ｎｍである。
【０３６７】
前記デバイスにより効率よく治療され得る他の感染症は、細菌によって引き起こされる。
【０３６８】
前記デバイスにより効率よく治療され得るさらなる感染症は、ウイルスによって引き起こされる。本発明の好ましい実施形態は、特に、サイトメガロウイルス（ＣＭＶ）、脳脊髄心筋炎ウイルス（ＥＭＣＶ）、ポリオウイルス、インフルエンザウイルス、パラインフルエンザ呼吸器インフルエンザウイルス、呼吸器合胞体ウイルス、日本脳炎ウイルス、デング熱ウイルス、Ａ型肝炎ウイルス（ＨＡＶ）、Ｂ型肝炎ウイルス（ＨＢＶ）、Ｃ型肝炎ウイルス（ＨＣＶ）、Ｄ型肝炎ウイルス（ＨＤＶ）、Ｅ型肝炎ウイルス（ＨＥＶ）、Ｆ型肝炎ウイルス（ＨＦＶ）、Ｇ型肝炎ウイルス（ＨＧＶ）、エプスタインバーウイルス（ＥＢＶ）、ヒト免疫不全ウイルス１型（ＨＩＶ−Ｉ）、ヒト免疫不全ウイルス２型（ＨＩＶ−２）、帯状疱疹ウイルス、単純疱疹ウイルス、特に、単純疱疹ウイルス１型（ＨＳＶ−Ｉ）、単純疱疹ウイルス２型（ＨＳＶ−２）、または、ヒトヘルペスウイルス１、２、３、４、７、もしくは８、カポジ肉腫関連ヘルペスウイルス（ＫＳＨＶ）、ロータウイルス、乳頭腫ウイルス、およびヒト乳頭腫ウイルス（ＨＰＶ）、特に、１、２、３、４、５、８、９、１１、１２、１３、１４、１５、１６、１７、１８、１９〜２９、３１、３２、３４、３６〜３８、４６〜５０、５６、もしくは５８型のＨＰＶによって引き起こされるウイルス感染症の治療および／または予防のための、前記デバイスの使用である。
【０３６９】
特に、ウイルス性皮膚疾患および／または腫瘍障害、例えば、生殖器疣、乳頭腫ウイルスによって引き起こされる皮膚および／または粘膜の良性腫瘍、特に、足底疣贅、尋常性疣贅、青年性扁平疣贅、疣贅状表皮発育異常症、尖圭疣贅、扁平疣贅、ボーエン病様丘疹症、喉頭および口腔粘膜上の乳頭腫、局所性上皮過形成、口唇ヘルペス、水疱瘡および帯状疱疹は、前記デバイスにより治療され得る。
【０３７０】
本発明の特に好ましい実施形態において、前記デバイスは、疣、特に非常に好ましくは生殖器疣の治療および／または予防のために使用され得る。パルス光線療法は、前記デバイスにより疣を治療するための１つの方法であり得る。
【０３７１】
神経学的または心理学的疾患および／または状態の治療および／または予防のために用いられる前記デバイスも、また、本発明の主題である。
【０３７２】
本発明での好ましい神経学的疾患は、パーキンソン病（ＭＢ）である。光が一定レベルの強度に達すると、それが、ドーパミンの産出を制限するメラトニンを抑制する。メラトニンの濃度を制限すると、脳におけるドーパミンの産出および使用が、より良好になる。
明るい光による治療を含む、ＭＢ患者での光線療法の最近の事例研究は、好ましい結果を示し、９０分間暴露されただけで、大部分の患者における寡動および固縮が著しく改善された。
【０３７３】
本発明での好ましいさらなる神経学的および心理学的疾患および／または状態は、気分および睡眠に関連する。光は、多くの状況において、気分に有益であることがよく知られている。光療法は、また、鬱病、季節性情動障害（ＳＡＤ）、非季節性鬱病、概日リズム睡眠障害（慢性概日リズム睡眠障害（ＣＲＳＤ）、状況性ＣＲＳＤ）を治療するためにも用いられ得る。
【０３７４】
米国国立医学図書館は、ある人々は、季節が変わると、深刻な気分の変化を体験することを指摘している。彼らは、余りに多く眠り、ほとんど活力を有さず、また、甘いものおよびデンプンを含む栄養物を要求し得る。彼らは、また、気分がめいることがある。症状は重いこともあるが、彼らは、通常、回復する。夏における状態は、しばしば、逆季節性情動障害と呼ばれ、また強い不安も含み得る。米国における１．５％〜９％の成人がＳＡＤを体験していると見積もられている。
【０３７５】
明るい光による光線療法、抗鬱剤による薬物療法、認知−行動療法、イオン化空気投与、およびホルモンのメラトニンの慎重に時期を見計らった補充を含めて、標準的な（冬季に起こる）季節性情動障害に対する様々な治療法がある。
【０３７６】
前記デバイスによって放出される、これらの神経学的および心理学的疾患および／または状態の治療および／または予防のための波長は、３５０〜６００ｎｍの範囲にある。その波長は、好ましくは４００〜５５０ｎｍ、特に好ましくは４４０〜５００ｎｍの範囲にある。この目的にとって特に好ましい２つの波長は、４６０および４８０ｎｍである。
【０３７７】
前記デバイスは、また、痛みの治療および／または予防のために使用され得る。光療法による痛みの緩和は、よく知られている。次の状態は、光療法により、うまく治療され得る痛みを生じる：手根管症候群、慢性創傷、上顆炎症、頭痛、偏頭痛、足底筋膜炎、腱炎および滑液嚢包炎、首の痛み、背中の痛み、筋肉痛、３叉神経痛、ならびに鞭打ち関連損傷。好ましくは、筋肉痛は、赤色または赤外光を放出する前記デバイスにより治療される。
【０３７８】
円形脱毛症は、ヒトを冒す状態であり、体毛が、身体のある部分または全ての部分から、通常は頭皮から、失われる。それは、特に第１段階において、頭皮に禿げたスポットを生じるので、スポットボールドネス（spot baldness）と呼ばれることがある。１〜２％の事例において、その状態は、全頭皮（全頭部脱毛症）に、または全表皮（全身性脱毛症）に広がり得る。円形脱毛症に似ていて、類似の原因を有する状態は、また、他の種でも起こる。
【０３７９】
円形脱毛症（自己免疫による脱毛）は、前記デバイスにより治療され得る。前記デバイスによって放出される、円形脱毛症の治療および／または予防のための波長は、２４０〜５００ｎｍの範囲にある。その波長は、好ましくは２９０〜４００ｎｍの間、特に好ましくは３００〜３３０ｎｍの範囲にある。この目的にとって特に好ましい１つの波長は、３１１ｎｍである。
【０３８０】
本出願内ですでに記載されたように、本発明によるデバイスならびに／または前記ＯＬＥＦＣおよびキャンバスは、とりわけ、動物およびヒトの治療のために用いることができる。しかし、光療法または光線療法は、他のどのような物質または有機体を処理するためにも、用いることができる。前記デバイスによる照射によって処理される適切なさらなる受光体および対象は、例えば、植物、微生物、細菌、菌類、および任意の種類の液体および固体である。微生物には、これらに限らないが、細菌および古細菌のような原核生物、原生生物、動物、菌類および植物のような真核生物が含まれる。好ましい液体は、ソフトドリンク、飲料、特に好ましくは、水および飲用水である。処置されるのに好ましいさらなる対象は、食料品および栄養物である。
【０３８１】
消毒手段としての光の使用はよく知られている。前記デバイスは、消毒のために用いることができる。これによって、任意の種類の消毒を意味し、限定ではないが、外傷、栄養物、ならびに固体および液体の物、例えば、美容製品、医療デバイス、手術および飲料に用いられるデバイスの消毒を含む。
【０３８２】
ソフトドリンク、飲料、好ましくは水、特に好ましくは飲用水の消毒のために前記デバイスを使用することが好ましい。汚染された水は、世界中に多くの感染症を引き起こし、多くの場合、人の重い疾患または死を招く。前記デバイスは、水を消毒する簡単な手段を提供する。市販品供給業者の水フィルターシステムは、イオン交換技術を利用している。
しかし、フィルターは、しばしば、微生物により汚染されがちであり、次には、これは、微生物により汚染された水を生じる。１つの解決策は、毒物学的観点からは問題のある銀塩を加えることである。それらを含む前記デバイスは、この問題に対する解決策を提供する。それらは、微生物汚染の度合いの低い水を提供するために、安全で効率的で、低コストの方法を提供するように、水フィルターシステムに組み込むことができる。光源は、濾過の前もしくは後の水、またはフィルターカートリッジ自体の両方を照射し得る。好ましくは、前記デバイスは、フィルターカートリッジとすでに濾過された水の両方を照射する。
【０３８３】
上で概略を示した、水の消毒の手順は、他の任意の液体に、特にソフトドリンクおよび飲料にも同様に適用できる。
【０３８４】
したがって、前記機能物質およびそれらを含む発光ファイバーデバイスは、ヒトおよび動物のための飲料および栄養物の消毒のために使用できる。
【０３８５】
本発明による消毒のための波長は、２００ｎｍ〜６００ｎｍ、好ましくは２５０ｎｍ〜５００ｎｍ、特に非常に好ましくは２８０ｎｍ〜４５０ｎｍの範囲にある。
【０３８６】
本発明は、また、水、飲用水、ソフトドリンク、飲料、食料品および栄養物の消毒のための、本発明によるデバイスにも関する。
【０３８７】
本発明によるデバイスは、また、光線力学療法（ＰＤＴ）に使用するために、用いることができる。
【０３８８】
本発明によるＰＤＴに必要とされる波長は、３００〜７００ｎｍ、好ましくは４００〜７００ｎｍ、特に非常に好ましくは５００〜７００ｎｍの範囲にある。好ましいさらなる４つの波長は、５９５、６００、６３０、および６６０ｎｍである。
【０３８９】
ＰＤＴとして知られている如何なる療法も、前記デバイスを用い、実施できる。正常組織におけるよりも多量に腫瘍組織に集まる、多環状炭化水素型化学構造を有する染料の特性がよく知られている。これらの染料には、アクリジン、キサンテン、ソラレン、およびポルフィリンが含まれる。最後の染料、特に、ヘマトポルフィリン（Ｈｐ）およびその化学的誘導体のいくつか（例えば、ＨｐＤ、ここで、ＨｐＤはＨｐ誘導体の混合物である）は、優れた腫瘍局在化特性を有し、これらの特性は、薬剤の全身投与の後の予め決められた時点での赤色光の照射による腫瘍の光療法処理の基礎である。
【０３９０】
ＰＤＴに用いられる薬剤は、好ましくは、アミノレブリン酸／アミノレブリン酸メチル、エファプロキシラルポルフィリン誘導体（ポルフィマーナトリウム、タラポルフィン、テモポルフィン、ベルテポルフィン）から選択される。
【０３９１】
本発明によるデバイスは、また、黄疸およびクリグラーナジャール症候群の治療および／または予防のために使用され得る。
【０３９２】
黄疸（jaundice）（ｉｃｔｅｒｕｓとしても知られる）は、皮膚、強膜上の結膜（目の白い部分）、および他の粘膜の黄色っぽい変色である。この変色は、高ビリルビン血症（血液中のビリルビンのレベルの上昇）によって引き起こされる。次いで、この高ビリルビン血症は、細胞外液におけるビリルビンレベルの上昇を引き起こす。黄疸は、３つのグループ、肝前性（溶血性）黄疸、肝性（肝細胞性）黄疸、および後肝性（閉塞性）黄疸に分類される。
【０３９３】
肝前性黄疸は、溶血（すなわち、赤血球の破壊）の速度の増加を引き起こす如何なるものによっても引き起こされる。熱帯の国では、この様にして、マラリアが黄疸を引き起こすことがある。特定の遺伝疾患、例えば、鎌状赤血球性貧血、球状血球症、およびグルコース６−リン酸デヒドロゲナーゼ欠損症は、赤血球溶解を増加させ得るので、溶血性黄疸に至り得る。一般に、腎臓の疾患、例えば、溶血性尿毒症症候群もまた、着色に導き得る。ビリルビン代謝における欠陥も、また、黄疸として表れる。黄疸は、通常、高熱を伴って発症する。鼠咬症（レプトスピラ病）もまた黄疸を引き起こし得る。
【０３９４】
肝性黄疸の原因には、急性肝炎、肝毒性およびアルコール性肝疾患が含まれ、これらによって、細胞の壊死が、ビリルビンを代謝し、排出する肝臓の能力を低下させるので、血液中に蓄積される。あまり一般的でない原因には、原発性胆汁性肝硬変、ジルベール症候群（軽い黄疸を生じ得る、ビリルビン代謝の遺伝疾患、これは、人口の約５％に見出される）、クリグラーナジャール症候群、転移性癌およびニーマンピック病が含まれる。新生児黄疸として知られ、新生児に見られるＣ型黄疸は一般的であり、ビリルビンの抱合および排出のための肝構造が、約２週齢まで、十分に成熟しないので、ほとんど全ての新生児に起こる。
【０３９５】
後肝性黄疸は、また閉塞性黄疸とも呼ばれ、胆管系における胆汁の排出に対する遮断によって引き起こされる。最も一般的な原因は、総胆管における胆石、および膵臓頭部における膵臓癌である。また、「肝吸虫」として知られる一群の寄生虫は、総胆管に生息することがあり、閉塞性黄疸を引き起こし得る。他の原因には、総胆管の狭窄、胆管閉鎖、導管癌、膵炎および膵仮性嚢胞が含まれる。閉塞性黄疸のまれな原因は、ミリッチー症候群である。
【０３９６】
黄疸、特に新生児黄疸は、治療されなければ、または適切に治療されなければ、重大な医学的帰結に至り得る。ビリルビンの濃度の増加は、核黄疸として知られる、脳を損傷する病態を生じ、生涯にわたる重大な身体障害に至り得る；この病態は、近年、新生児高ビリルビン血症の不十分な発見および治療のせいで発生していると懸念されている。初期の治療は、多くの場合、新生児を、多かれ少なかれ隔離されたインキュベータ内で、集中的な光療法に曝すことからなる。この療法は、多くの場合、新生児と両親の両方にとって感情的または心理学的に困難な状況を示す。前記デバイスは、前記の型の黄疸のどの種類でも治療するために、歩行できる人を対象にする軟質である、毛布のようなデバイスを提供するために用いることができる。こうして、新生児は、その両親の腕の中で横たわった状態で、治療され得る。従来の治療法は、また、新生児の過熱に至り易いが、これもまた、本発明による治療手法により、かなり減少され得る。
【０３９７】
好ましくは、本発明は、新生児黄疸の治療のための、前記発光デバイスの使用に関する。
【０３９８】
黄疸の治療および／または予防のための波長は、３００〜７００ｎｍの範囲にある。この波長は、好ましくは３５０〜６００ｎｍ、特に好ましくは３７０〜５８０ｎｍの範囲にある。好ましいさらなる波長は、４００〜５５０ｎｍの範囲にある。特に好ましい波長は、４１０〜４７０の範囲にある。この目的にとって特に好ましい２つの波長は、４５０および４６６ｎｍである。
【０３９９】
上で記載された前記デバイスの使用と同様に、本発明によるＯＬＥＦＣおよび／またはキャンバスは、疾患および美容上の状態の治療および／または予防および／または診断のために使用され得る。本発明は、また、疾患および／または美容上の状態の治療および／または予防および／または診断のためのデバイスの製造のためのＯＬＥＦＣにも関する。
さらに、本発明は、また、疾患および／または美容上の状態の治療および／または予防および／または診断のためのデバイスの製造のためのキャンバスにも関する。ここで、疾患および美容上の状態は、前記のものと同じである。
【０４００】
さらなる実施形態において、本発明は、疾患および美容上の状態の治療および／または予防および／または診断のための、ＯＬＥＦＣの使用に関する。さらに別の実施形態において、本発明は、疾患および美容上の状態の治療および／または予防および／または診断のための、キャンバスの使用に関する。ここで、疾患および美容上の状態は、前記のものと同じである。
【０４０１】
さらなる実施形態において、本発明は、疾患の治療および／または予防および／または診断のための、本発明によるＯＬＥＦＣの使用に関する。さらに別の実施形態において、本発明は、美容上の状態の治療および／または予防および／または診断のための、前記ＯＬＥＦＣの使用に関する。
【０４０２】
さらなる実施形態において、本発明は、疾患の治療および／または予防および／または診断のための、本発明によるキャンバスの使用に関する。さらに別の実施形態において、本発明は、美容上の状態の治療および／または予防および／または診断のための、前記キャンバスの使用に関する。
【０４０３】
ここで、疾患および美容上の状態は、前記のものと同じである。
【０４０４】
本発明の範囲内にありながらも、本発明の前記実施形態に対する変形を行い得ることが理解されるであろう。本明細書において開示されたそれぞれの特徴は、特に断らなければ、同一の、均等のまたは類似の目的に適合する別の特徴によって置き換えられてもよい。
こうして、特に断りがなければ、開示されている特徴の各々は、包括的な一連の均等なまたは類似の特徴の一例にすぎない。
【０４０５】
本明細書に開示されている特徴の全ては、少なくともいくつかのこのような特徴および／またはステップが相互に矛盾する組合せを除いて、任意の組合せで、組み合わせることができる。特に、本発明の好ましい特徴は、本発明の全ての態様に適用可能であり、任意の組合せで、用いることができる。同様に、必須でない組合せにおいて記載された特徴は、別々に用いることができる（組合せにおいてではなく）。
【０４０６】
前記の特徴（特に、好ましい実施形態）の多くは、本発明の実施形態の単なる一部としてではなく、それ自体に発明性があることが理解されるであろう。これから特許請求される発明のいずれかに加えて、または代わりに、これらの特徴に、独立した保護が求めることができる。
【０４０７】
ここで開示された教示は、抽出され、また、開示されている他の例と組み合わせることができる。
【０４０８】
本発明の他の特徴は、以下の例示的実施形態および図面の説明の間に明らかになるであろう。これらの例示的実施形態および図面は、本発明の例示のために記載し、本発明を限定することを意図しない。
【図面の簡単な説明】
【０４０９】
【図１】ファイバーコア１０を有し、外側の第１の電極２０と、発光層３０と、有機発光層３０上に位置する輻射線透過性の第２の電極４０とを有するファイバー。最終的に、このＯＬＥＦＣは、また、任意の輻射線透過性湿気および／または空気遮蔽層５０および／または任意の輻射線透過性封止物質６０も含み得る。
【図２】ｎ個の異なる波長λｉ（ｉ＝１からｎ）または波長範囲を放出するセグメントに分割されたファイバー（ａ）。好ましくは、ｎ＝２である（ｂ）。
【図３】ｎ個の異なる波長または波長範囲を有する光を放出するデバイスにおける、発光ファイバーの平行配置の図。
【図４】２つの異なる波長または波長範囲を有する光を放出するデバイスにおける、発光ファイバーの平行配置の図。
【図５】織られたファイバー。
【図６】２つの異なる波長または波長範囲を放出する、織られたファイバー。
【図７】取付け面１と、パワー供給源２と、反射物質３と、発光ファイバー４とを有するプラスター。
【図８】次のステップを含む、ファイバーを製造するための１つの方法。ステップＩ：ファイバーコア１０上へのアノード２０の堆積；ステップＩＩ：バッファ層３１の堆積；ステップＩＩＩ：中間層３２の堆積；ステップＩＶ：発光層３３の堆積；ステップＶ：カソード４０の堆積；ステップＶＩ：外皮のないアノード。
【図９】ＥＭＬとしてＰＢ１を用いるＯＬＥＦＣ１のエレクトロルミネセンス（ＥＬ）スペクトル。
【図１０】ＰＲ１を用いるＯＬＥＦＣ２のＥＬスペクトル。
【図１１】ＳＹを用いるＯＬＥＦＣ３のＥＬスペクトル。
【図１２】ＰＥＮ基材３００と、ＯＬＥＣファイバー４００と、カソード４０と、アノード２０と、細い導電性ワイヤ３１０および３２０と、エポキシ樹脂封止３３０とを有する、本発明によるプラスターを示す図。
【図１３】浸漬コーティングを用いるファイバー製造ライン。２１０−ファイバーコア；１３０−第１の電極の堆積チャンバ；２００−第２の電極の堆積チャンバ；１４０−バッファ物質またはＨＩＭの溶液を含む容器；１６０−ＨＴＭまたは中間層物質の溶液または配合物を含む容器；１８０−発光組成物の溶液または配合物を含む容器；１５０、１７０、および１９０は乾燥機である。
【図１４】全ての溶液に基づく製造方法。２５０−第２の電極のための導電性物質を含むインクを含む容器；２２０および２３０は乾燥器である；２４０−第１の電極のための導電性物質を含むインクを含む容器。
【０４１０】
［例］
［例１］
物質
次のポリマーを、スズキカップリングを用いることによって合成する。反応は、当業者によく知られている合成方法に従って実施できる。この方法は、例えば、ＷＯ２００３／０４８２２５に記載されている。
【０４１１】
ポリマーＰＢ１（青色発光ポリマー）は、次のモノマーを、示されているｍｏｌ％で含むコポリマーである。
【化２７】
2018029067.tif 000037
【０４１２】
ＰＢ１の分子量（ＭＷ）は、２０００００〜３０００００ｇ／ｍｏｌに分布している。
【０４１３】
ポリマーＰＲ１（赤色発光ポリマー）は、次のモノマーを、繰返し単位の指数によって示されているｍｏｌ％で含むコポリマーである。
【化２８】
2018029067.tif 000038
【０４１４】
ＰＲ１の分子量（ＭＷ）は、１２００００〜７２００００ｇ／ｍｏｌに分布している。
【０４１５】
中間層として用いられるポリマーＰ３は、次の繰返し単位を含むコポリマーである。
【化２９】
2018029067.tif 000039
【０４１６】
得られるポリマーＰ３の分子量（ＭＷ）は、２０００００〜３０００００ｇ／ｍｏｌに分布している。
【０４１７】
全てのポリマー、ＰＢ１、ＰＲ１およびＰ３は、トルエンによく溶ける。
【０４１８】
さらに、可溶性のフェニル置換ポリ（パラ−フェニレンビニレン）（ＰＰＶ）（Ｍｅｒｃｋ  ＫＧａＡによるＳｕｐｅｒ  Ｙｅｌｌｏｗ）（以下では、ＳＹと呼ばれる）を、黄色発光体として用いる。
【０４１９】
ポリ（エチレンオキシド）（ＰＥＯ、ＭＷ＝５１０６、Ａｌｄｒｉｃｈ）を、イオン伝導体として、また、トリフルオロメタンスルホン酸リチウム（ＬｉＴｆ、９９．９９５％金属ベース；Ａｌｄｒｉｃｈ）をイオン源として用いる。
【０４２０】
［例２］
ＯＬＥＦＣの製造
本発明において用いられるファイバーコア１０は、固い（hard）ポリマーで被覆されたシリカ光ファイバー（ＣｅｒａｍＯｐｔｅｃ  Ｉｎｄｕｓｔｒｉｅｓ，Ｉｎｃ．による）であり、直径４００μｍのシリカコアと、被覆物として２５μｍのポリイミドとを有する。電極の堆積の前に、ファイバーは、順次、洗浄剤で拭き取り、脱イオン水で洗い、トリクロロエチレン、アセトン、次にイソプロピルアルコール中で超音波洗浄することによって洗浄する。
【０４２１】
製造ステップＩからＶＩは、図８に概略的に示されている。
【０４２２】
ステップＩ：アノードの堆積
アノード２０を、１０−７Ｔｏｒｒで真空熱蒸着を用い、シャドウマスクを通してコンフォーマルに堆積させる。ファイバーを、蒸着の間、６０ｒｐｍの速度で、軸の回りに回転させる。それから、１５０ｎｍのＡｌを、第１の電極（アノード）として、洗浄したファイバーコア１０に蒸着する。
【０４２３】
ステップＩＩ：バッファ層３１の堆積
ＰＥＤＯＴ（Ｂａｙｔｒｏｎ  Ｐ  ＡＩ  ４０８３）を、浸漬コーティングし、次に、１８０℃で１０分間加熱することによって、厚さ８０ｎｍのバッファ層または正孔注入層（ＨＩＬ）として、ファイバー上に堆積させる；厚さは、濃度および浸漬コーティングの間の引き上げ速度を通じて制御できる。次いで、残留水を除去するために、ファイバーを、１８０℃で１０分間加熱する。
【０４２４】
ステップＩＩＩ：中間層３２の堆積
次いで、中間層ポリマーＰ３を、０．１〜０．５ｗｔ％の濃度で含むトルエン溶液により浸漬コーティングすることによって、中間層３２をコーティングし、約４０ｎｍの厚さを有する層を得る。
【０４２５】
ファイバー上の膜の厚さは、次のようにして求める。平らなガラス基材を、同じ溶液で浸漬コーティングすることによって、コーティングする；次に、ガラス基材上の膜の厚さを、Ｓｕｒｆａｃｅ  Ｐｒｏｆｉｌｅｒ（Ｄｅｋｔａｋ３ＳＴ）によって測定した。溶液の濃度および引き上げ速度を、望みの厚さが得られるまで、調節する。同じ条件、濃度および引き上げ速度が、ファイバー上にＰ３をコーティングするために適用され得る。
【０４２６】
残留溶媒を除去し、ポリマーを固定するために、中間層３２を、１８０℃で６０分間、加熱する。
【０４２７】
中間層のないＯＬＥＦＣでは、ステップＩＩＩは、飛ばされる。
【０４２８】
ステップＩＶ：発光層３３の堆積
次に、発光層（ＥＭＬ）３３を、発光ポリマー（ＥＭ）とＰＥＯとＬｉＴｆとを、ＥＭ：ＰＥＯ：ＬｉＴｆ＝１：１：０．２５の質量比で含むクロロベンゼン溶液に浸漬コーティングすることによって、コーティングし、約５００ｎｍの厚さを有する層を得る。組成物の濃度は、表１に列挙されている。
【表１】
2018029067.tif 000040
【０４２９】
ファイバー上の膜の厚さは、次のようにして求める。平らなガラス基材を、同じ溶液で浸漬コーティングすることによって、コーティングした；次に、ガラス基材上の膜の厚さを、Ｓｕｒｆａｃｅ  Ｐｒｏｆｉｌｅｒ（Ｄｅｋｔａｋ３ＳＴ）によって測定した。溶液の濃度および引き上げ速度は、望みの厚さが得られるまで、調節する。同じ条件、濃度および引き上げ速度が、ファイバー上に対応する膜をコーティングするために適用され得る。
【０４３０】
残留溶媒を除去するために、デバイスを、１８０℃で１０分間、加熱する。
【０４３１】
ステップＶ：カソード４０の堆積
Ａｇからなるカソード４０を、２５ｎｍの厚さで、発光層上に、熱真空蒸着により、シャドウマスクを通してコンフォーマルに堆積させる；ファイバーに沿うアノードとカソードの両方は、１セグメントにおいて、４ｃｍの長さを有する。それらは、両方の電極が、長さで約３ｃｍ、重なるように互いにずらして配置され、３ｃｍの長さは、また、ファイバー上の発光部分に相当する。
【０４３２】
ステップＶＩ：外皮のないアノード
ファイバーを、５ｃｍの長さのセグメントに切断する。接触できる外皮のないアノードを得るために、切断したファイバーの一方の端（ここには、カソードが堆積していない）を、最初に、トルエンで、次に、エタノールで洗って、ポリマーおよびＰＥＤＯＴを除去する。
【０４３３】
プラスターの製造の前に、ＯＬＥＦＣを、グローブボックス内で試験する。ＥＬスペクトルを、Ｏｃｅａｎ  Ｏｐｔｉｃｓ  ＵＳＢ２０００分光計によって記録する。ＥＭＬとしてＰＢ１を用いるＯＬＥＦＣ１のＥＬスペクトルを、図９に、ＰＲ１を用いるファイバーＯＬＥＦＣ２のそれを、図１０に、またＳＹを用いるＯＬＥＦＣ３のそれを、図１１に示す。これらのファイバーは、光学的観察による発光および明るさの均一性を考慮したプラスターの調製のために選択されている。
【０４３４】
［例３］
ＯＬＥＦＣを含むプラスターの製造
透明で軟質であるポリ（エチレンナフタレート）（ＰＥＮ）箔を、プラスターの製造のための基材として用いる。
【０４３５】
本発明によるプラスターは、図１２に概略的に示されている。ＰＥＮ基材３００は、約５．５ｃｍ×５．５ｃｍの面積を有する。カソード４０を片側に、外皮のないアノード２０を別の側にして、例２において製造したファイバーＯＬＥＣ４００を、基材の中央に平行に配列する。
【０４３６】
次いで、細い導電性ワイヤ３１０および３２０を、銀導電性接着剤の助けにより、ＯＬＥＦＣのカソードの末端とアノードの末端の両方に接続する。発光領域は、図１２において破線によって示される、基材の中央部分に限定される。
【０４３７】
次いで、デバイスを、ＵＶ硬化エポキシ樹脂を用いることによって、固定し、封止する。ＵＶ樹脂Ｔ−４７０Ｃ２（Ｎａｇａｓｅ＆Ｃｏ．，ＬＴＤによって製造される最新のＯＬＥＤ用ＵＶ接着剤）は、図１２において３３０として示される部分に付け、基材上の全てのファイバーを覆うのに十分なだけ厚い。次に、デバイスを、約６Ｊ／ｃｍ２の線量でＵＶランプに曝して樹脂を硬化させる。硬化した樹脂は、僅かに黄色に着色している。他の透明樹脂が、より多くの光を取り出すために、適切であり得る。ここで、プラスターの光出力をさらに向上させるために、反射箔をプラスター上に置くことができる。
【０４３８】
この様にして、ＯＬＥＦＣ１から６を含むプラスターを製造し、約２００Ｃｄ／ｍ２の初期ルミネセンスで、一定電流の下で、光学的観察によって寿命を試験する。２日の後、ＯＬＥＦＣ１〜３とＯＬＥＦＣ３〜６の間の違いは、顕著である。中間層を有するＯＬＥＦＣ（ＯＬＥＦＣ３〜６）は、暗いスポット、明度の減衰および均一性に関して、中間層をもたないものに比べて、より長い寿命を示す。
【０４３９】
ＯＬＥＦＣ３およびＯＬＥＦＣ４（これらを、二者択一的にＰＥＮ基材上に配置する）を含む別の１組のプラスターを製造する。このようなプラスターは、例えば、尋常性ざ瘡の治療に適している。
【図１】
2018029067.tif 000041
【図２】
2018029067.tif 000042
【図３】
2018029067.tif 000043
【図４】
2018029067.tif 000044
【図５】
2018029067.tif 000045
【図６】
2018029067.tif 000046
【図７】
2018029067.tif 000047
【図８】
2018029067.tif 000048
【図９】
2018029067.tif 000049
【図１０】
2018029067.tif 000050
【図１１】
2018029067.tif 000051
【図１２】
2018029067.tif 000052
【図１３】
2018029067.tif 000053
【図１４】
2018029067.tif 000054
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
少なくとも１種のイオン種を含む有機発光電気化学セル（ＯＬＥＣ）であって、前記ＯＬＥＣはファイバーの形態を有する（ＯＬＥＦＣ）ことを特徴とし、
ＯＬＥＣは、
ａ）外側の第１の電極を有するファイバーコアと；
ｂ）第１の電極上に配置された正孔注入層と；
ｃ）正孔注入層上に配置された下記式のコポリマーを含む中間層と；
【化１】
2018029067.tif 000055
ｄ）ポリマーである少なくとも１種の有機エレクトロルミネセンス化合物と移動性である少なくとも１種のイオン種とを含み、中間層上に配置された発光層（ＥＭＬ）と；
ｅ）前記有機発光層上に配置された輻射線透過性の第２の電極と
を含む、ＯＬＥＦＣ。
【請求項２】
前記ＯＬＥＦＣが軟質または硬質のファイバーコアを含むことを特徴とする、請求項１に記載のＯＬＥＦＣ。
【請求項３】
前記ファイバーが、円形、楕円形もしくは多角形の断面またはこれらの組合せを有することを特徴とする、請求項１または２に記載のＯＬＥＦＣ。
【請求項４】
ＯＬＥＦＣが、蛍光発光物質、燐光発光物質、および発光性有機金属錯体から選択される少なくとも１種の有機エレクトロルミネセンス化合物を含むことを特徴とする、請求項１〜３の何れか１項に記載のＯＬＥＦＣ。
【請求項５】
ＯＬＥＦＣが、少なくとも１種のホスト物質と少なくとも１種の発光物質とを含むことを特徴とする、請求項１〜４の何れか１項に記載のＯＬＥＦＣ。
【請求項６】
ホスト物質が、アントラセン、ベンゾアントラセン、ケトン、カルバゾール、トリアリールアミン、インデノフルオレン、フルオレン、スピロビフルオレン、フェナントレン、ジヒドロフェナントレン、チオフェン、トリアジン、イミダゾール、これらの異性体および誘導体から選択されることを特徴とする、請求項５に記載のＯＬＥＦＣ。
【請求項７】
前記ＯＬＥＦＣが、正孔輸送物質（ＨＴＭ）、正孔注入物質（ＨＩＭ）、電子輸送物質（ＥＴＭ）、および電子注入物質（ＥＩＭ）から選択される、少なくとも１種のさらなる機能物質を含むことを特徴とする、請求項１〜６の何れか１項に記載のＯＬＥＦＣ。
【請求項８】
前記ＯＬＥＦＣが、少なくとも１種のイオン性遷移金属錯体（ｉＴＭＣ）を含むことを特徴とする、請求項１〜７の何れか１項に記載のＯＬＥＦＣ。
【請求項９】
請求項１〜８の何れか１項に記載のＯＬＥＦＣの製造方法であって、当該方法が、次のステップ：
ａ）前記ファイバーコアの洗浄と；
ｂ）金属のコンフォーマル蒸着（conformal evaporation）による、または導電性物質を含む溶液もしくは配合物をコーティングすることによる、前記第１の電極の堆積と；
ｃ）正孔注入層の堆積と；
ｄ）下記式のコポリマーを含む中間層の堆積と；
【化２】
2018029067.tif 000056
ｅ）少なくとも１種の有機エレクトロルミネセンス化合物と少なくとも１種のイオン種とを含む溶液または配合物をコーティングすることによる、前記ＥＭＬの堆積と；
ｆ）前記第２の電極の堆積と；
ｇ）前記ファイバーを含むデバイスの任意の封止と
を含むことを特徴とする方法。
【請求項１０】
コーティングが、は浸漬コーティングもしくはスプレーコーティングである請求項９に記載の方法。
【請求項１１】
請求項１〜８の何れか１項に記載の少なくとも１種のＯＬＥＦＣを含むキャンバス。
【請求項１２】
請求項１〜８の何れか１項に記載の少なくとも１種のＯＬＥＦＣまたは請求項１１に記載のキャンバスを含むデバイス。
【請求項１３】
フラットパネル、曲面パネル、プラスター、包帯、毛布、寝袋、スリーブ、植込み型プローブ、経鼻胃管、胸郭ドレイン、パッド、ステント、パッチ、任意の種類の衣類、および口内の少なくとも１本の歯を覆うデバイスであることを特徴とする、請求項１２に記載のデバイス。
【請求項１４】
一般照明における使用、ディスプレイバックライトとしての使用、および情報ディスプレイとしての使用のための、請求項１２または１３に記載のデバイス。
【請求項１５】
疾患および／または美容上の状態の治療および／または予防および／または診断のための、請求項１２または１３に記載のデバイス。
【請求項１６】
皮膚疾患および／または美容上の皮膚の状態の治療および／または予防および／または診断のための、請求項１５に記載のデバイス。
【請求項１７】
ざ瘡、乾癬、湿疹、皮膚炎、アトピー性皮膚炎、浮腫、白斑、皮膚の脱感作、ボーエン病、腫瘍、前癌性腫瘍、悪性腫瘍、基底細胞癌、扁平上皮細胞癌、二次転移、皮膚Ｔ細胞リンパ腫、日光角化症、ヒ素角化症、放射線皮膚炎およびセルライトから選択される皮膚疾患および／または美容上の皮膚の状態の治療および／または予防および／または診断のための、請求項１５または１６に記載のデバイス。
【請求項１８】
感染症、並びに炎症性、神経学的および心理学的な疾患および／または状態の治療および／または予防および／または診断のための、請求項１５〜１７の何れか１項に記載のデバイス。
【請求項１９】
水、飲用水、ソフトドリンク、飲料、食料品および栄養物の消毒のための、請求項１５〜１８の何れか１項に記載のデバイス。
【請求項２０】
光線力学療法（ＰＤＴ）における適用において使用するための、および／または黄疸およびクリグラー・ナジャー症候群の治療および／または予防のための、請求項１５〜１９何れか１項に記載のデバイス。
【請求項２１】
疾患および／または美容上の状態の治療および／または予防および／または診断のためのデバイスを製造するための、請求項１〜８の何れか１項に記載のＯＬＥＦＣ。
【請求項２２】
請求項１〜８何れか１項に記載のＯＬＥＦＣまたは請求項１１記載のキャンバスまたは請求項１２または１３記載のデバイスの非治療的美容のための使用。
【手続補正２】
【補正対象書類名】明細書
【補正対象項目名】０４２８
【補正方法】変更
【補正の内容】
【０４２８】
ステップＩＶ：発光層３３の堆積
次に、発光層（ＥＭＬ）３３を、発光ポリマー（ＥＭ）とＰＥＯとＬｉＴｆとを、ＥＭ：ＰＥＯ：ＬｉＴｆ＝１：１：０．２５の質量比で含むクロロベンゼン溶液に浸漬コーティングすることによって、コーティングし、約５００ｎｍの厚さを有する層を得る。組成物の濃度は、表１に列挙されている。
【表１】
2018029067.tif 000057
【手続補正３】
【補正対象書類名】明細書
【補正対象項目名】０４３８
【補正方法】変更
【補正の内容】
【０４３８】
この様にして、ＯＬＥＦＣ１から６を含むプラスターを製造し、約２００Ｃｄ／ｍ２の初期ルミネセンスで、一定電流の下で、光学的観察によって寿命を試験する。２日の後、ＯＬＥＦＣ１〜３とＯＬＥＦＣ４〜６の間の違いは、顕著である。中間層を有するＯＬＥＦＣ（ＯＬＥＦＣ４〜６）は、暗いスポット、明度の減衰および均一性に関して、中間層をもたないものに比べて、より長い寿命を示す。
【外国語明細書】
2018029067000001.pdf